(57)【特許請求の範囲】
【請求項１】
始動入賞装置に遊技球が入球することに起因して大当りか否かを当否判定する当否判定手段と、
該当否判定の結果が大当りである場合に、閉鎖状態にある大入賞装置を所定の開放パターンに従って開放状態に変化させるラウンド遊技を、上限回数まで行うことを内容とした大当り遊技を実行する大当り遊技実行手段と、
前記大入賞装置への遊技球の入球を検出する検出手段と、
遊技上の演出を行う演出手段と、
前記大当り遊技の進行に伴う大当り演出を、前記演出手段を用いて行うとともに、特定のラウンド遊技の実行中に前記検出手段が検出した遊技球の個数が所定の特別演出実行個数に到達すると、前記大当り演出において特別演出を行う大当り演出実行手段と、
を備える遊技機であって、
１回の前記ラウンド遊技は、前記検出手段による遊技球の検出個数が限度個数に達したとき、或いは、前記検出個数が前記限度個数に達する前に所定の限度時間が経過したときに終了するように設定され、
前記大入賞装置への遊技球の入球状況を監視する監視手段と、
先に終了したラウンド遊技に対する前記監視手段による監視結果、若しくは、先に終了した大当り遊技に対する前記監視手段による監視結果に基づいて、開放状態にある前記大入賞装置への遊技球の入球の難易を判断する判断手段と、
前記判断手段の判断結果に従って、前記限度個数を超えない範囲で前記特別演出実行個数を決定する個数決定手段と、
を備えることを特徴とする遊技機。
【請求項２】
前記限度個数を超えない範囲で予め設定された初期個数を記憶する初期個数記憶手段を備え、
前記個数決定手段は、前記判断手段が前記遊技球の入球が困難と判断する場合に、前記特別演出実行個数を前記初期個数よりも少ない個数として決定し、前記判断手段が前記遊技球の入球が容易と判断する場合に、前記特別演出実行個数を、前記初期個数若しくは前記初期個数よりも多い個数として決定することを特徴とする請求項１に記載の遊技機。
【請求項３】
前記大当り遊技実行手段は、
前記大入賞装置を短時間周期で開放状態とする開放パターンに従う第１のラウンド遊技を第１の回数行った後、前記大入賞装置を長時間周期で開放状態とする開放パターンに従う第２のラウンド遊技を第２の回数行う第１の大当り遊技を実行可能であるとともに、
前記特定のラウンド遊技は、前記第１のラウンド遊技から選択されることを特徴とする請求項１または請求項２に記載の遊技機。
【発明の詳細な説明】
【技術分野】
【０００１】
本発明は、遊技機に関し、いわゆるセブン機、羽根物、権利物又はアレンジボール等の弾球式の遊技機や、スロットマシン（若しくはパチスロ）と称される回胴式の遊技機に対して適用することができる。
【背景技術】
【０００２】
弾球式の遊技機（パチンコ機）は、通常、「始動入賞装置」と「開閉部材を備える大入賞装置」とを遊技領域内に配設している。かかる遊技機においては、遊技球が始動入賞装置（始動口）に入球（入賞）することに起因して当否判定が実行されるとともに図柄変動遊技が開始され、当否判定の結果（図柄変動遊技の結果）が本表示手段（所謂「本図柄」を表示するための表示手段）において表示される。そして、当否判定の結果が「大当り」である場合、遊技機は大当り遊技を開始し、開閉部材の開放動作を行って、閉鎖状態にある大入賞装置を開放状態に変化させる。
【０００３】
この開放動作は所定の開閉パターンに従って開始され、この開放動作を開始した後、大入賞装置に所定個数の遊技球が入賞するか、所定時間が経過することにより、一旦、開放動作を完了し、１回の「ラウンド遊技」を終了する。そして、この「ラウンド遊技」が所定の回数（所謂「ラウンド数」）だけ繰り返されると、この遊技機は大当り遊技を終了する。かかる遊技機は、通常、本表示手段とは別に、「演出図柄（疑似図柄、文字、背景図柄、キャラクタ図柄、実写映像等）」を用いて図柄変動演出（図柄変動遊技の進行に伴う表示演出）を行う演出表示手段を備え、この演出表示手段においても、疑似図柄の確定表示を用いて「当否判定の結果」を報知する。
【０００４】
また、大当り遊技中においては演出表示手段を用いて様々な大当り演出が行われる。例えば、大当り遊技中に遊技球が大入賞装置に入球することを契機に、特別な演出を実行する遊技機が提案されている。具体的には、大入賞装置に入球することを契機に、所謂「当り継続演出」や所謂「確変昇格演出等」等の「当り中演出」を実行する遊技機が提案されている（特許文献１を参照、以下「従来例」という。）
【先行技術文献】
【特許文献】
【０００５】
【特許文献１】特開２００７−３１９５６号公報
【発明の概要】
【発明が解決しようとする課題】
【０００６】
ところが、従来例に係る遊技機では以下のような問題を有している。すなわち、遊技機の設置状況（「遊技機の設置角度」、「遊技盤面の摩耗度合い」、「大入賞装置周囲の釘調整の度合い」）等により、大入賞装置に遊技球が入球し難くなっている場合には、「大入賞装置への遊技球の入球を契機とする大当り中演出」が実行されない虞がある。この場合、当該「大当り中演出」の実行不可能となり、当該「大当り中演出の実行に伴う遊技効果」を発揮できないため、遊技者の興趣を向上させることは困難である。
【０００７】
本発明は、このような問題を解決するためになされたものであり、その目的とするところは、遊技者の興趣を向上させることが容易な遊技機を提供することである。
【課題を解決するための手段】
【０００８】
請求項１に記載の遊技機は、
始動入賞装置に遊技球が入球することに起因して大当りか否かを当否判定する当否判定手段と、
該当否判定の結果が大当りである場合に、閉鎖状態にある大入賞装置を所定の開放パターンに従って開放状態に変化させるラウンド遊技を、上限回数まで行うことを内容とした大当り遊技を実行する大当り遊技実行手段と、
前記大入賞装置への遊技球の入球を検出する検出手段と、
遊技上の演出を行う演出手段と、
前記大当り遊技の進行に伴う大当り演出を、前記演出手段を用いて行うとともに、特定のラウンド遊技の実行中に前記検出手段が検出した遊技球の個数が所定の特別演出実行個数に到達すると、前記大当り演出において特別演出を行う大当り演出実行手段と、
を備える遊技機であって、
１回の前記ラウンド遊技は、前記検出手段による遊技球の検出個数が限度個数に達したとき、或いは、前記検出個数が前記限度個数に達する前に所定の限度時間が経過したときに終了するように設定され、
前記大入賞装置への遊技球の入球状況を監視する監視手段と、
先に終了したラウンド遊技に対する前記監視手段による監視結果、若しくは、先に終了した大当り遊技に対する前記監視手段による監視結果に基づいて、開放状態にある前記大入賞装置への遊技球の入球の難易を判断する判断手段と、
前記判断手段の判断結果に従って、前記限度個数を超えない範囲で前記特別演出実行個数を決定する個数決定手段と、
を備えることを特徴とする。
【０００９】
請求項１の発明の遊技機によると、「先に終了したラウンド遊技における大入賞装置への遊技球の入球状況」若しくは「先に終了した大当り遊技における大入賞装置への遊技球の入球状況」に基づいて、特別演出の実行タイミング（特別演出実行個数）を調整することができる。このため、遊技機の設置状況（「遊技機の設置角度」、「遊技盤面の摩耗度合い」、「大入賞装置周囲の釘調整の度合い」）等により、大入賞装置に遊技球が入球し難くなっている場合であっても、その時々の状況に合わせた特別演出実行個数を設定して「特別演出」の実行させることできる。この結果、遊技機の設置状況に拘らず、当該「特別演出の実行に伴う遊技効果」を発揮でき、遊技者の興趣を向上させることができる。
【００１０】
ここで、「特別演出」としては、所謂「確変昇格演出」、所謂「当り継続演出（ラウンド昇格演出）」、「プレミアムな演出要素（出現頻度が低い演出要素）を出現させる演出」等を例示できる。また、「確変昇格演出」としては、（ａ）一旦、確変大当りを発生したのか、或いは、通常大当りを発生したのかが判別不能若しくは判別困難な演出を行った後、確変大当りが発生していたことを、特定のラウンド遊技中に報知する演出や、（ｂ）一旦、通常大当りを発生したことを示す演出を行った後、確変大当りが発生していたことを特定のラウンド遊技中に報知する演出、等を例示できる。
【００１１】
所謂「当り継続演出（ラウンド昇格演出）」としては、（ｃ）所定の大当り遊技が「第１のラウンド遊技」と、「第１のラウンド遊技よりも遊技者にとって有利な第２のラウンド遊技」とをこの順で実行する場合において（請求項４の発明を参照）、「第２のラウンド遊技が開始されること」を、当該第２のラウンド遊技の開始前や当該第２のラウンド遊技の開始時に報知する演出を例示できる。また、大当り遊技として、ラウンド遊技をＮ回行う「Ｎ型の大当り遊技」と、ラウンド遊技をＭ（Ｍ＜Ｎ）回行う「Ｍ型の大当り遊技」を実行可能である場合に、Ｍ回目のラウンド遊技を終了するまでの間に、「Ｍ＋１」回目のラウンド遊技を実行するか否かを報知する演出を例示できる。
【００１２】
「大入賞装置への遊技球の入球状況」としては、「１回若しくは所定回数のラウンド遊技に対する遊技球の入球個数」、「単位時間当りの入球個数」、「１回若しくは所定回数の大当り遊技に対する遊技球の入球個数」、「１回若しくは所定回数の大当り遊技における単位時間当りの入球個数」等を例示できる。また、「先に終了したラウンド遊技」は、「実行中の大当り遊技において、特定のラウンド遊技に先行して実行されたラウンド遊技」であってもよいし、「今回の大当り遊技よりも先に実行された大当り遊技を構成するラウンド遊技」であってもよい。
【００１３】
「特定のラウンド遊技」としては、大当り遊技を構成する複数のラウンド遊技のうちから選択される１個のラウンド遊技であってもよいし、２個以上のラウンド遊技であってもよいし、大当り遊技を構成する全てのラウンド遊技であってもよい。また、「演出手段」としては、遊技上の演出表示（表示演出）を行う演出表示手段（液晶表示装置等）と、遊技上の演出音（音声演出）を出力する音声出力手段（スピーカ）と、遊技上の電飾（発光演出）を行う電飾手段（ランプ装置）と、遊技上の演出動作を行う可動役物装置とのうちの何れか１つ、若しくは、２つ以上を例示できる。
【００１４】
「開放パターン」は、対象となるラウンド遊技において、大入賞装置を一回開閉する開放パターンであってもよいし、大入賞装置を複数回開閉する開放パターンであってもよい。また、対象となる大当り遊技は、大入賞装置を一回開閉する開放パターンに従うラウンド遊技を、インターバル時間を挟み複数回繰り返す大当り遊技であってもよいし、大入賞装置を複数回開閉する開放パターンに従うラウンド遊技を、インターバル時間を挟み複数回繰り返す大当り遊技であってもよい。更に、対象となる大当り遊技は、大入賞装置を一回開閉する開放パターンに従うラウンド遊技と、大入賞装置を複数回開閉する開放パターンに従うラウンド遊技とを行う大当り遊技であってもよい。
【００１５】
請求項２の発明の遊技機は、請求項１に記載の遊技機において、
前記限度個数を超えない範囲で予め設定された初期個数を記憶する初期個数記憶手段を備え、
前記個数決定手段は、前記判断手段が前記遊技球の入球が困難と判断する場合に、前記特別演出実行個数を前記初期個数よりも少ない個数として決定し、前記判断手段が前記遊技球の入球が容易と判断する場合に、前記特別演出実行個数を、前記初期個数若しくは前記初期個数よりも多い個数として決定することを特徴とする。
【００１６】
請求項２の発明の遊技機によると、遊技機に電源投入がなされてから（パチンコホールの始業時から）初めての大当りを生じた場合等において、個数決定手段が、演出実行個数を決定するための基準（初期個数）を示すものである。そして、この初期個数を基準としつつ、個数決定手段が演出実行個数を確実に決定することができる。
【００１７】
請求項３の発明の遊技機は、請求項１又は請求項２に記載の遊技機において、
前記大当り遊技実行手段は、
前記大入賞装置を短時間周期で開放状態とする開放パターンに従う第１のラウンド遊技を第１の回数行った後、前記大入賞装置を長時間周期で開放状態とする開放パターンに従う第２のラウンド遊技を第２の回数行う第１の大当り遊技を実行可能であるとともに、
前記特定のラウンド遊技は、前記第１のラウンド遊技から選択されることを特徴とする。
【００１８】
請求項３の発明の遊技機では、「第１のラウンド遊技」と、「第１のラウンド遊技よりも、大入賞装置への遊技球の入球が容易な第２のラウンド遊技」とを、この順で実行する。そして、「第２のラウンド遊技に比べて、遊技球の入球が困難な第１のラウンド遊技」において、遊技球の入球個数が特別演出実行個数に到達することを条件に、特別演出を出現させる構成（以下、「第１の具体的構成」という。）を採用する。この場合、遊技者の技量によって、特別演出の出現の可否を決することになるため、遊技者の興趣を更に向上させることができるはずである。ところが、前述のように、遊技機の設置状況等により、大入賞装置に遊技球が入球し難くなっている場合には、遊技者の技量が高くても、特別演出の出現確率が低くなるため、「第１の具体的構成」を備える遊技機が意図する遊技効果（例えば、遊技者がその技量を競い合うことを通じて、遊技興趣を高めるという効果）」を発揮できる可能性が低くなる。
【００１９】
一方、請求項３の発明では、遊技機の設置状況等により、大入賞装置に遊技球が入球し難くなっている場合においては、特別演出実行個数を少なくするため、「第１の具体的構成」を備える遊技機が意図する遊技効果（遊技者の技量を競い合う遊技）」を発揮できる可能性が高くなる。従って、請求項３の発明によると、遊技者の遊技興趣を更に向上させることができる。
【００２０】
また、本発明に関連する発明（以下、関連発明と称す）の遊技機は、請求項１又は請求項２に記載の遊技機において、
前記大当り遊技実行手段は、
前記大入賞装置を短時間周期で開放状態とする開放パターンに従う第１のラウンド遊技を第１の回数行った後、前記大入賞装置を長時間周期で開放状態とする開放パターンに従う第２のラウンド遊技を第２の回数行う第１の大当り遊技と、
前記第１のラウンド遊技を前記第１の回数若しくは前記第１の回数よりも多い第３の回数行う第２の大当り遊技と、
を前記大当り遊技として実行可能であり、
前記特定のラウンド遊技は、前記第１の大当り遊技を構成する第１のラウンド遊技から選択され、前記特別演出は前記第２のラウンド遊技の実行を示唆する示唆演出であり、前記大当り演出実行手段は、前記特定のラウンド遊技を実行中に前記検出手段が検出した遊技球の個数が、前記個数決定手段が決定した特別演出実行個数よりも少ない第１の所定個数に到達すると、前記大当り演出において前記特別演出とは異なる第２特別演出を行うとともに、
前記大当り演出実行手段は、前記第２の大当り遊技を開始してから、前記第１のラウンド遊技を第１の回数終了するまでの間において、実行中の第１のラウンド遊技で前記検出手段が検出した遊技球の個数が、前記上限個数よりも少ない第２の所定個数に到達すると、前記第２特別演出を実行することを特徴とする。
【００２１】
このような関連発明によると、前述の「第１の具体的構成」を備えるため、請求項３の発明と同様な効果を得ることができる。また、請求項４の発明では、「第１のラウンド遊技の後に第２のラウンド遊技を行う第１の大当り遊技」と、「第１のラウンド遊技の後に第２のラウンド遊技を行わない第２の大当り遊技」とが択一的に実行されるとともに、第１の大当り遊技及び第２の大当り遊技において、「第２特別演出（所謂、煽り演出）」を行う。
【００２２】
つまり、「特別演出の出現の前提となる第２特別演出（所謂「真実の演出」）と、「特別演出の出現の前提とならない第２特別演出（所謂「ガセの演出」）とが択一的に行われる。このため、遊技者が「第２特別演出」に遭遇した場合、「現在実行中の大当り遊技が第２の大当り遊技であるのか」、或いは、「第２の大当り遊技よりも、遊技者にとって有利な第１の大当り遊技であるのか」ということに想像を働かすことが必要となる。従って、請求項４の発明の遊技機によると、遊技興趣を更に一層向上させることができる。
【００２３】
また、上記関連発明の遊技機においては、演出手段として以下に示す「演出用開閉扉装置」を備えてもよい。
この演出用開閉扉装置は、
閉状態と開状態とに変化可能な第１開閉扉と、
前記第１開閉扉の奥側に配置され、前記第１開閉扉が開状態となったときに前方から視認可能となり、閉状態と開状態に変化可能な第２開閉扉と、を備えてもよい。
そして、関連発明の遊技機が、
前記第１の大当り遊技を構成する第１のラウンド遊技の実行中に前記検出手段が検出した遊技球の個数が、前記個数決定手段が決定した特別演出実行個数に到達すると、前記大当り演出において、前記第２開閉扉を閉状態に維持しつつ前記第１開閉扉を開状態に変化させる特別演出を行い、
前記第１の大当り遊技を構成する第１のラウンド遊技の実行中に前記検出手段が検出した遊技球の個数が前記第１の所定個数に到達すると、前記大当り演出において、第１開閉扉を用いた第２特別演出（例えば、第１開閉扉を半開き状態にしたり、第１開閉扉を振動させる等）を行い、
前記第１の大当り遊技を構成する第２のラウンド遊技の開始に伴って前記第１開閉扉及び前記第２開閉扉を開状態とする演出を行うとともに、
前記第２の大当り遊技を構成する第１のラウンド遊技の実行中に前記検出手段が検出した遊技球の個数が、前記第２の所定個数に到達すると、前記大当り演出において、前記第２特別演出を行う
ことを特徴としてもよい。
【００２４】
「第１開閉扉」及び「第２開閉扉」としては、（Ａ）遊技盤面に沿って動作可能な左側扉と右側扉とを備え、左側扉の右端部と右側扉の左端部とを近接させる閉状態と、左側扉の右端部と右側扉の左端部とを互いに離間させる開状態を実行可能な開閉扉（２枚扉で、引き戸式の開閉扉であってもよい。）、（Ｂ）遊技盤面に沿って動作可能な扉（１枚扉で、引き戸式の開閉扉）を備え、大入賞口の下方に設けられた特定部分の前方に位置して、当該特定部分を視認不能若しくは困難とする閉状態と、遊技盤面に沿って動作して特定部分を前方に開放（視認可能）とする開状態を実行可能な開閉扉、（Ｃ）左端部側が枢支され、上下に向かう回転軸心を基準に回転可能とされた左側扉と、右端部側が枢支され、上下に向かう回転軸心を基準に回転可能とされた右側扉と、を備え、左側扉の右端部と右側扉の左端部とを近接させる閉状態と、左側扉の右端部と右側扉の左端部とを互いに離間させように左側扉及び右側扉を回転させ、開状態を実行可能な開閉扉（所謂、観音開き型開閉扉）等を例示できる。また、複数組の「開閉扉」を、前後に配設することもできる。
【００２５】
各請求項の発明の遊技機は、「始動入賞装置への遊技球の入球（始動入賞）に起因して、大当りを発生させるか否かを当否判定によって判断する遊技機（大当り抽選及び小当り抽選のうちで大当り抽選のみを行う遊技機）」であってもよいし、「始動入賞に起因して、大当り抽選を行うとともに、小当り（大当りに比べて遊技者にとって得られる利益が少ない当り）を発生させるか否かの抽選を小当り抽選として行う遊技機（つまり、当否判定によって、大当り抽選及び小当り抽選を行う遊技機）」であってもよい。なお、後者において、小当りを発生すると、小当り遊技が行われる。
【００２６】
また、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、前面枠、上皿部材、下皿部材等のように、「扉の如く、開閉可能な部材（以下、「扉型部材」という。）」において、「左」、「右」、「前」、「後」等は、これらの扉型部材が使用状態にある場合、つまり、閉鎖された状態にある場合を基準としたものである。また、本明細書において、遊技盤面に設けられた各種入賞口に遊技球が入る（受け入れられる）ことを、「入賞」若しくは「入球」と表記することがある。このうち、「入賞」とは、賞球の払い出しの前提となる入賞口に遊技球が入球することを示すもので、入賞口に遊技球が入る（受け入れられる）ことを示す点では、「入球」と実質的に同義である。
【発明の効果】
【００２７】
以上記述したように各請求項の発明によると、遊技者の興趣を向上させることが容易な遊技機を得ることができる。
【図面の簡単な説明】
【００２８】
【図１】本発明の各実施例に係る遊技機を示す正面図である。
【図２】本発明の各実施例に係る遊技機において、外枠、本体枠、前面枠、皿部材（上皿部材、下皿部材）を示す斜視図である。
【図３】本発明の各実施例に係る遊技機において本体枠等を説明するための概略的な説明図である。
【図４】本発明の各実施例に係る遊技機の遊技盤を示す正面図である。
【図５】各実施例に係る遊技機の演出表示装置の表示画面を概略的に示す正面図である。
【図６】（ａ）は各実施例に係る遊技機の左下表示装置を概略的に示す正面図であり、（ｂ）は各実施例に係る遊技機の右下表示装置で実行される特別図柄の変動表示態様を示す説明図であり、（ｃ）は右下表示装置を概略的に示す正面図である。
【図７】（ａ）は遊技盤本体に設けられた下部ユニットの取付孔を説明するための概略的な斜視図（メイン役物装置等の他の盤部品の取付孔は省略）であり、（ｂ）は下部ユニットが取り付けられた遊技盤本体（メイン役物装置等の他の盤部品は省略）である。
【図８】下部ユニットの斜視図である。
【図９】下部ユニット（装飾板を取り外した状態）の斜視図である。
【図１０】大入賞口ユニットの取付位置等を説明するための斜視図である。
【図１１】収納部材（外郭部材及び駆動ユニットベース部）を説明するための斜視図である。
【図１２】（ａ）は外郭部材と球通路部材を示す一部斜視図であり、（ｂ）は第１の始動口入賞装置の開口部（第１の始動入賞口）と始動口入賞検出スイッチ等の位置関係を説明するための説明図である。
【図１３】球通路部材、転動面、傾斜板、外郭部材、駆動ユニットベース部、開口部、切り欠部、「開口部の前方に形成される空間部」等を説明するための説明図（概略的な縦断面図）である。
【図１４】球通路部材、転動面、傾斜板、外郭部材、駆動ユニットベース部、開口部、切り欠部、「開口部の前方に形成される空間部」等を説明するための説明図（概略的な平面図）である。
【図１５】外郭部材及び大入賞口入賞検出スイッチ等を示す一部斜視図である。
【図１６】ベース部材の斜視図である。
【図１７】ベース部材の正面図である。
【図１８】ベース部材の一部斜視図である。
【図１９】ベース部材の一部正面図である。
【図２０】ベース部材の背面図である。
【図２１】（ａ）は左側の球通路部材の斜視図であり、（ｂ）は左側の球通路部材の右側面図である。
【図２２】（ａ）及び（ｂ）は右側の球通路部材の斜視図である。
【図２３】第１大入賞口ユニットを説明するための平面図である。
【図２４】第１大入賞口ユニットを説明するための平面図である。
【図２５】第１大入賞口ユニットを説明するための斜視図である。
【図２６】（ａ）は裏カバー部材の斜視図であり、（ｂ）はシャッター部材の斜視図である。
【図２７】（ａ）は取付部材及び大入賞口ソレノイドの斜視図であり、（ｂ）は大入賞口ソレノイドの斜視図である。
【図２８】第１大入賞口ユニットを説明するための説明図である。
【図２９】第１大入賞口ユニットを説明するための説明図である。
【図３０】第１大入賞口ユニットを説明するための斜視図である。
【図３１】第１大入賞口ユニットを説明するための斜視図である。
【図３２】第１大入賞口ユニットを説明するための遊技盤の正面図である。
【図３３】第１大入賞口ユニットを説明するための遊技盤の正面図である。
【図３４】前方開閉扉ユニット及び後方開閉扉ユニット等を示す斜視図である。
【図３５】前方開閉扉ユニットの構成部品及び後方開閉扉ユニットの構成部品等を示す説明図（右側面図）である。
【図３６】前方開閉扉ユニット等を示す概略的な正面図である。
【図３７】前方開閉扉ユニット等を示す概略的な正面図である。
【図３８】前方開閉扉ユニットと大入賞口の関係を説明するための概略的な正面図である。
【図３９】後方開閉扉ユニット等を示す斜視図である。
【図４０】後方開閉扉ユニット等を示す概略的な背面図である。
【図４１】（ａ）支持レール等を示す概略的な説明図（概略的な縦断面図）であり、（ｂ）はワッシャーブッシュ等を示す概略的な説明図（概略的な縦断面図）である。
【図４２】後方開閉扉ユニット等を示す概略的な背面図である。
【図４３】（ａ）は各実施例に係る遊技機の可変式の始動入賞装置を概略的に示す正面図であり、（ｂ）は第２大入賞口等を示す正面図である。
【図４４】本発明の各実施例に係る遊技機を示す裏面図である。
【図４５】本発明の各実施例に係る電子制御装置を示すブロック図である。
【図４６】本発明の各実施例に係る電子制御装置を示すブロック図である。
【図４７】（ａ）は第１大当り動作Ａを説明するための説明図であり、（ｂ）は第２大当り動作Ａを説明するための説明図であり、（ｃ）は第１大当り動作Ｂを説明するための説明図であり、（ｄ）は第２大当り動作Ｂを説明するための説明図である。
【図４８】各実施例に係る遊技機の特図１大当り抽選（第１の大当り抽選）で使用するデータテーブルを説明するための説明図である。
【図４９】各実施例に係る遊技機の特図２大当り抽選（第２の大当り抽選）で使用するデータテーブルを説明するための説明図である。
【図５０】（ａ）は「第１大当り遊技Ｕの変則タイプ」における第２大入賞口の開閉パターンを説明するための説明図であり、（ｂ）は「第２大当り遊技Ｕの変則タイプ」における第２大入賞口の開閉パターンを説明するための説明図である。
【図５１】「第２大当り遊技の基本タイプ」における第２大入賞口の開閉パターンを説明するための説明図である。
【図５２】（ａ）は「第１大当り遊技Ｄの変則タイプ」における第１大入賞口の開閉パターンを説明するための説明図であり、（ｂ）は「第２大当り遊技Ｄの変則タイプ」における第１大入賞口の開閉パターンを説明するための説明図である。
【図５３】（ａ）及び（ｂ）はラウンド遊技の終了条件を説明するための説明図である。
【図５４】（ａ）及び（ｂ）は疑似図柄の内容を説明するための説明図である。
【図５５】（ａ）〜（ｃ）は本発明の各実施例に係る遊技機によって実行される図柄変動演出を説明するための説明図である。
【図５６】（ａ）及び（ｃ）は本発明の各実施例に係る遊技機によって実行される図柄変動演出を説明するための説明図である。
【図５７】陸上バトル演出と、演出用開閉扉装置の駆動態様とを説明するための説明図である。
【図５８】陸上バトル演出と、演出用開閉扉装置の駆動態様とを説明するための説明図である。
【図５９】陸上バトル演出と、演出用開閉扉装置の駆動態様とを説明するための説明図である。
【図６０】陸上バトル演出と、演出用開閉扉装置の駆動態様とを説明するための説明図である。
【図６１】（ａ）及び（ｂ）は演出用開閉扉装置を用いた演出動作を説明するための説明図である。
【図６２】（ａ）及び（ｂ）は演出用開閉扉装置を用いた演出動作を説明するための説明図である。
【図６３】陸上バトル演出と、演出用開閉扉装置の駆動態様とを説明するための説明図である。
【図６４】陸上バトル演出と、演出用開閉扉装置の駆動態様とを説明するための説明図である。
【図６５】陸上バトル演出と、演出用開閉扉装置の駆動態様とを説明するための説明図である。
【図６６】陸上バトル演出と、演出用開閉扉装置の駆動態様の関係等を説明するためのタイム図である。
【図６７】陸上バトル演出と、演出用開閉扉装置の駆動態様の関係等を説明するためのタイム図である。
【図６８】陸上バトル演出において、演出バタンの操作の有無によって生ずる差異を説明するための説明図である。
【図６９】陸上バトル演出と、演出用開閉扉装置の駆動態様とを説明するための説明図である。
【図７０】（ａ）及び（ｂ）は各実施例に係る遊技機において主制御部からコマンドが出力される様子を概念的に示した説明図である。
【図７１】各実施例に係る遊技機の遊技制御処理を示すフロー図である。
【図７２】各実施例に係る遊技機の普通電動役物遊技処理を示すフロー図である。
【図７３】各実施例に係る遊技機の特別図柄遊技処理を示すフロー図である。
【図７４】各実施例に係る遊技機の特別図柄遊技処理を示すフロー図である。
【図７５】各実施例に係る遊技機の特別図柄遊技処理を示すフロー図である。
【図７６】各実施例に係る遊技機の当否判定処理を示すフロー図である。
【図７７】各実施例に係る遊技機の図柄変動開始処理を示すフロー図である。
【図７８】各実施例に係る遊技機の大当り遊技処理を示すフロー図である。
【図７９】各実施例に係る遊技機の大当り遊技終了時処理を示すフロー図である。
【図８０】（ａ）は大当り動作開始コマンド出力処理を示すフロー図であり、（ｂ）は入球コマンド出力処理を示すフロー図である。
【図８１】各実施例に係る遊技機の演出制御処理を説明するためのフロー図である。
【図８２】各実施例に係る遊技機の図柄変動演出処理を示すフロー図である。
【図８３】各実施例の大当り演出処理を示すフロー図である。
【図８４】（ａ）は各実施例の大当り演出処理を示すフロー図であり、（ｂ）は各実施例のロングインターバル等を説明するための説明図である。
【図８５】初期化演出処理を示すフロー図である。
【図８６】入球コマンドカウント処理を示すフロー図である。
【図８７】各実施例（実施例２を除く）の演出テーブル設定処理を示すフロー図である。
【図８８】演出テーブルを示す説明図である。
【図８９】演出テーブルを示す説明図である。
【図９０】演出テーブルを示す説明図である。
【図９１】演出テーブルを示す説明図である。
【図９２】演出扉処理を示すフロー図である。
【図９３】演出テーブルデフォルト処理を示すフロー図である。
【図９４】（ａ）は各実施例の全開放開始処理を示すフロー図であり、（ｂ）は各実施例の全開放終了処理を示すフロー図である。
【図９５】実施例２において、陸上バトル演出と、演出用開閉扉装置の駆動態様とを説明するための説明図である。
【図９６】実施例２で使用する演出テーブルを示す説明図である。
【図９７】実施例２の演出テーブル設定処理を示すフロー図である。
【図９８】実施例３において、空中バトル演出と、特別演出の関係等を説明するための説明図である。
【図９９】（ａ）は実施例３の第２入球コマンド出力処理を示すフロー図であり、（ｂ）は第２入球コマンドカウント処理を示すフロー図である。
【図１００】実施例３の第２演出テーブル設定処理を示すフロー図である。
【図１０１】実施例３の第２演出テーブルデフォルト処理を示すフロー図である。
【発明を実施するための形態】
【００２９】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【実施例１】
【００３０】
（１）機械的な構造
ａ．遊技機の全体構造
先ず、この遊技機１の全体構造について、図１〜図３等を参照して説明する。この遊技機１は、図１及び図２に示すように、外枠２と、この外枠２に装着された遊技機本体Ｈ（機体）と、を備えている。また、外枠２は、図２に示すように、パチンコホールの島設備に設けられた設置部位に固定されると共に遊技機本体Ｈを支持するためのものである。この外枠２は、略矩形状の枠状体によって構成される外枠本体２１と、外枠本体２１の前面下部を覆う前板部２２とを備えている。
【００３１】
遊技機本体Ｈは、外枠２の左端側上下のヒンジＨ１、Ｈ２（図１及び図２を参照）を用いて、外枠２の左端側に回動自在に組み付けてられている。この遊技機本体Ｈは、遊技機１のうちで外枠２を除く部分であって、図２に示すように、本体枠３と、前面枠４と、前面枠４に一体化された皿部材（上皿部材５及び下皿部材６）５Ａと、遊技盤１０（図４を参照）と、裏機構盤１０２（図４４）を参照）等を主要部としている。また、本体枠３は、図３に示すように、外枠２に嵌めこまれ、外枠２に対して開閉可能に軸支されている。尚、図１に示すように、本体枠３の右端側には、施錠装置７が装着されている。また、図２においては、外枠２、本体枠３と、前面枠４と、皿部材５Ａ（上皿部材５、下皿部材６）を図示し、遊技盤１０と、裏機構盤１０２の図示を省略している。
【００３２】
本体枠３は、全体がプラスチック製であり、図３に示すように、枠状体によって構成されている。この本体枠３は、上半部に窓部３Ｍを備える枠本体部３ｂと、枠本体部３ｂの裏面部から略矩形枠状に突出する突出部３ｃとを備える。そして、本体枠３は、この突出部３ｃを用いて遊技盤１０を保持するための保持部を構成している。つまり、突出部３ｃの突端面であって、窓部３Ｍの左方側の上下と、窓部３Ｍの右方側の上下には保持具３ｆが回動可能な状態で装着され、保持具３ｆの突端部を遊技盤１０の後面部に当接させることで遊技盤１０が本体枠３により保持されている。
【００３３】
本体枠３が遊技盤１０を保持したとき、「遊技盤１０の前面部１０ａに構成される遊技領域１１」を、窓部３Ｍによって本体枠３の前方から視認することができる。また、遊技盤１０の背面部には、裏機構盤１０２（図４４参照）が装着され、この背面部を覆う状態とされている。なお、遊技球を上皿部材５に払い出すための遊技球払出装置１０９が、裏機構盤１０２に配設されている（図４４）を参照）。
【００３４】
前面枠４は、図２に示すように、本体枠３の前面側に配置され、本体枠３の左端に開閉可能に支持されている。この前面枠４はその中央部に視認窓４１ａを備えている。この視認窓４１ａは前面枠４の前後に貫通する状態に設けられ、遊技盤１０の盤面に形成された遊技領域１１（正面視で略円形の遊技領域１１）を前方から視認可能な形状に開設（略吊り鐘形状に開設）され、前面枠４を閉じたときにその背後に位置する遊技領域１１が、この視認窓４１ａによって前方から視認可能とされる。
【００３５】
前面枠４は、図１に示すように、枠本体４１と、この枠本体４１に装着されるガラス板４３（図３を参照）と、ガラス板４３を枠本体４１に保持させるための保持具（図示を省略）と、を備えている。また、本遊技機１では、図２に示すように、「上皿部材５及び下皿部材６を一体化した皿部材５Ａ」が、前面枠４に一体化され、本体枠３に対して前面枠４と一体で開閉可能とされている。但し、本実施例と異なり、皿部材５Ａを、本体枠３における前面枠４の装着部位よりも下方に装着し、前面枠４とは別に開閉可能としてもよい。また、上皿部材５及び下皿部材６を別体に設け、本体枠３における前面枠４の装着部位よりも下方に配置し、上方に配置される上皿部材５を前面枠４とは別に開閉可能とし、下方に配置される下皿部材６を開閉不可能としてもよい。
【００３６】
図１及び図２に示すように、前面枠４の前面部の上方側の左右には、スピーカＳＰ１、ＳＰ２（図４６参照）が装着され、前板部２２の左右両端にも、スピーカＳＰ３、ＳＰ４（図４６参照）が内蔵されている。そして、本遊技機１においては、これらのスピーカＳＰ１〜ＳＰ４を用いて、遊技状態に応じた効果音や、その他の音（音声）を発生させる。
【００３７】
図２に示すように、前面枠４の前面部において、上皿部材５の配置位を構成する箇所には、遊技機１から排出される遊技球を受け入れるための受入口５ｂを備えている。更に、上皿部材５の裏側には、球貸表示基板４１０（図４５参照）及び演出ボタン基板２２８（図４６参照）が設けられ、上皿部材５の上面部には「演出ボタンＳＷ」が配置されている（図２を参照）。
【００３８】
図２に示すように、皿部材５Ａにおいて上皿部材５の下方の部位が、下皿部材６を構成している。この下皿部材６の略中央には、その略容器形状とされる内部に上皿部材５から排出される遊技球を受け入れるための受入口６ａを備えている。また、下皿部材６の右端側には発射ハンドル９が設けられている。そして、本体枠３の前面部裏側（本体枠３の内部）であって、遊技盤１０よりも下方の左端側に位置する部位には、発射装置ユニット（図示を省略）が配設されており、この発射装置ユニットに、下皿部材６の右端に位置する発射ハンドル９が接続されている。ここで、発射装置ユニットは、球送り装置（図示を省略）から送り出される遊技球を略鉛直上方に発射して、遊技領域１１に到達させるためのものである。また、発射ハンドル９には、遊技者が触れていることを検出するタッチスイッチ（タッチセンサ）９ａが装着されており、その近傍には、遊技球の発射を一時的に停止するための発射停止スイッチ９ｂが装着されている。
【００３９】
ｂ．遊技盤１０の構成
次に、遊技盤１０の構成について図４等を用いて説明する。この遊技盤１０は正面視で略矩形状の合板を用いて構成される遊技盤本体１０Ａと、この遊技盤本体１０Ａに装着される各種の盤部品（外側レール１２、内側レール１３、メイン役物装置２０、下部ユニット８０等）が装着されている。尚、この遊技盤本体１０Ａの前面部には、セル画が印刷されたシート状物が貼着されているが図示を省略する。また、遊技盤本体１０Ａの前面部によって遊技盤面が構成される。
【００４０】
遊技盤本体１０Ａは、正面視で略円形とされる領域形成部１０Ｂと、領域形成部１０Ｂの周囲に位置する領域外部１０Ｃとを備える。また、遊技盤本体１０Ａの前面部には、ともに帯状の金属板を用いて構成される外側レール１２と、内側レール１３とが配設されている。そして、領域形成部１０Ｂの前面部は、この外側レール１２及び内側レール１３が形成する略円形の周壁によって略包囲されつつ、遊技領域１１を構成している。なお、遊技領域１１の左上部（遊技領域１１の中央部を基準に、左斜め上方に位置する部分）が、発射経路Ｙに開放されており、発射経路Ｙを通過した遊技球が、遊技領域１１に進入するための入口部１１Ｖを構成する。なお、「周壁部材」としては、「外側レール及び内側レールとで構成されるレール部材」、「単一のレールで構成されるレール部材」等を例示できる。
【００４１】
この領域形成部１０Ｂ（つまり、遊技盤１０において遊技領域１１内に位置する部位）には、メイン役物装置２０（所謂、センター役物）と、普通図柄作動ゲート（普通図柄作動口）１６と、第１の始動入賞装置１７ａと、第２の始動入賞装置１７ｂと、下部ユニット８０と、多数の障害釘１８と、風車１９等が配設されている。
【００４２】
メイン役物装置２０は、取付部材（化粧板）２１と、演出表示装置２７とを備える。このうち、取付部材２１は、領域形成部１０Ｂの前面部に装着される板状体によって構成され、図４に示すように、遊技領域１１の中央及び上方右側部分を占めている。この取付部材（化粧板）２１には、窓部形成孔２１ｄが設けられ、この窓部形成孔２１ｄによって、遊技領域１１の中央に位置する演出表示装置２７の表示内容を遊技者側から視認可能とする為の表示窓２１ｅを構成している。尚、この表示窓２１ｅは正面視で略矩形状とされている。
【００４３】
また、図４に示すように、取付部材２１の下縁部には、ステージ部２１ｐが前方に突出する状態に装着され、取付部材２１の周縁部のうちのその他の部位には、装飾部材２１Ａが前方に突出する状態に装着されている。この装飾部材２１Ａは、取付部材２１の上縁部から突出する庇部２１Ｈと、取付部材２１の左側縁部から突出する左側装飾部２１Ｌと、取付部材２１の右側縁部から突出する右装飾部２１Ｒとを備えている。また、左側装飾部２１Ｌの下端側には、ワープ部材２１Ｔが一体化されている。
【００４４】
このワープ部材２１Ｔは、略筒形状とされつつ軸心を右下り傾斜とする部材であり、内部に遊技球の通路（所謂「ワープ通路」）２１ｗを形成している。つまり、左側装飾部２１Ｌの左側面部（ワープ部材２１Ｔ）の上端部において、このワープ通路２１ｗの進入口（ワープ部材２１Ｔの一方の開口部）が、左斜め上方に向かって開口し、ワープ通路２１ｗの出口（ワープ部材２１Ｔの他方の開口部）が、ステージ部２１ｐ上（メイン役物装置２０の内部）に向かって開口している。すなわち、ワープ通路２１ｗは、遊技領域１１を流下する遊技球を上端の進入口で受け入れた後、ステージ部２１ｐ上（メイン役物装置２０の内部）に進入させる。
【００４５】
また、ステージ部２１ｐは、その上面部によって遊技球の転動面を構成する。この転動面は、左右の端部から中央部に向かって下る傾斜面として構成されているが、転動面の中央部では上方に向かって僅かに隆起する隆起部とされている。
【００４６】
本遊技機１においては、遊技領域１１を流下し、通路２１ｗを通じて転動面の左端部に到達した遊技球は、転動面上を右方向に転動し、更に、左方向に転動する。そして、遊技球の勢いが衰えたところで、この遊技球はメイン役物装置２０外に排出されるが、転動面の中央部から排出される遊技球の多くは、一定の確率で、後述する「第１の始動入賞装置１７ａ」に入賞する。尚、本実施例では、ステージ部２１ｐ上を転動しなければ、第１の始動入賞装置１７ａに入賞することができないが（図４を参照）、メイン役物装置２０に進入せずに（ステージ部２１ｐ上を転動しなくても）第１の始動入賞装置１７ａに入賞可能な構成を採用することもできる。
【００４７】
演出表示装置２７は、液晶表示装置によって構成されるものである。この演出表示装置２７においては、右下表示装置６０における特別図柄の変動表示及び停止表示に連動する演出表示（図柄変動演出）を実行する。尚、本実施例では、右下表示装置６０（第１の特別図柄表示部６２ａ、第２の特別図柄表示部６２ｂ）が、本図柄（特別図柄の一具体例を示す。）を用いて図柄変動遊技を行う「図柄変動遊技実行手段」（本表示手段）を構成し、演出表示装置２７が、疑似図柄（演出要素の一具体例を示す。）を用いて図柄変動演出を行う「図柄変動演出実行手段」（演出図柄表示手段）を構成する。
【００４８】
演出表示装置２７の表示画面２７ａは、その全体、若しくは、一部を用いて種々の図柄を表示可能である。この表示画面２７ａでは、図５に示すように、３つの疑似図柄表示部２７ｂ〜２７ｄにおいて疑似図柄（演出要素の一具体例）を表示しつつ、その背景において疑似図柄とは別の種々の演出要素を表示することによって、図柄変動遊技の進行（本図柄の変動表示および停止表示）に伴う図柄変動演出を行う。また、疑似図柄表示部２７ｂ〜２７ｄは、表示画面２７ａの所定の部位（略中央や隅部等）において横方向に３つ並んで配置される。このように出現する各疑似図柄表示部２７ｂ〜２７ｄにおいて「疑似図柄」を用いた変動表示と停止表示がなされる。
【００４９】
また、表示画面２７ａに疑似図柄表示部２７ｂ〜２７ｄを表示したり、大当り遊技時の演出表示（大当り演出）を表示する際には、この表示画面２７ａに、種々の演出要素が表示される。つまり、上述の疑似図柄を表示したり、背景を示す図柄（以下、背景図柄という。）Ｚ１を表示したり、キャラクタを示す図柄（以下、キャラクタ図柄という。）Ｚ２を表示したり、実写映像（図示を省略）を表示したりすることがある。また、この表示画面２７ａで、称号名称の表示（コメント表示）Ｚ３を行ったり、状態表示（例えば、連チャン回数表示）Ｚ４を行ったりすることがある。ここで、これらの演出要素（「疑似図柄」、「背景図柄」、「キャラクタ図柄」、「実写映像」、「称号名称の表示」、「状態表示」等）は、演出表示装置２７の表示画面２７ａに表示される「演出図柄」の一具体例を示すものであり、これらの演出要素によって「図柄変動遊技の進行に伴う図柄変動演出」が実現される。
【００５０】
この「演出要素」とは、図柄変動遊技の進行に伴う表示演出（図柄変動演出の一態様）を実現する「表示演出要素」や、図柄変動遊技の進行に伴う音声演出（図柄変動演出の一態様）を実現する「音声演出要素」や、図柄変動遊技の進行に伴う発光演出（図柄変動演出の一態様）を実現する「発光演出要素」のことを意味する。そのうち「表示演出要素」としては、例えば、遊技機が備える演出表示装置に表示される「疑似図柄（図柄変動遊技の結果を演出的に示す図柄」「文字（称号、コメント、演出説明、スローガン、標語等の一定の意味を有するものが望ましい。）」「背景図柄」「キャラクタ図柄」「実写映像」等を例示できる。なお、これら「疑似図柄」「文字」「背景図柄」「キャラクタ図柄」「実写映像」等の演出表示装置に表示される要素（表示演出要素）は、総じて「演出図柄」として捉えることができる。
【００５１】
また、「音声演出要素」としては、例えば、遊技機が備える音声出力装置から出力される「楽曲」「効果音」「言葉（セリフ）」等を例示できる。また、「発光演出要素」としては、例えば、遊技機を構成する「前面枠」や「遊技盤」に設けられる発光体の様々な発光態様（発光色、発光回数、発光順序、発光時間等の発光パターン）を例示できる。
【００５２】
下部ユニット８０は、図７（ａ）及び（ｂ）に示すように、遊技盤本体１０Ａの下部に設けられた取付孔１０Ｅを用いて、遊技盤本体１０に取り付けられている。この下部ユニット８０は、図８及び図９等を用いて示すように、収納部材８１（８１ａ及び８１ｂ）と、ベース部材８２と、装飾板８５と、球通路部材８６Ａ、８６Ｂと、左下表示装置５０（図４を参照）と、右下表示装置６０（図４を参照）と、第１大入賞口ユニット３１（図１０を参照）と、第１の始動入賞装置１７ａと、前方開閉扉ユニット９０と、後方開閉扉ユニット９５と、を備える。
【００５３】
収納部材８１は、図８〜図１０に示すように、遊技盤本体１０Ａの背後に配設されるとともに、前方開閉扉ユニット９０、後方開閉扉ユニット９５等の開閉扉を構成する装置や、球通路部材８６Ａ、８６Ｂ等を収納している。また、この収納部材８１は、図１１に示すように、前方に開口する略箱形状に構成された外郭部材８１ａと、外郭部材８１ａの内側に挿入配置された駆動ユニットベース部８１ｂと、を備える。なお、駆動ユニットベース部８１ｂは、「前方に開口する略箱形状から、その底部を除いた形状」を備えている。
【００５４】
図１１に示すように、外郭部材８１ａの上壁部と、駆動ユニットベース部８１ｂの上壁部との間には、空間部８１ｘが設けられている。但し、外郭部材８１ａの上壁部のうちで、中央部寄りの部分が、その左右に比べて上方に突出する突出部８１ｃとされているため、突出部８１ｃの下方において空間部８１ｘ（駆動ユニットベース部８１ｂの上壁部との間に形成される空間部８１ｘ）の上下幅が大きくされている。そして、駆動ユニットベース部８１ｂの上壁部において、突出部８１ｃの直下に位置する部位が、第１大入賞口ユニット３１（図１０を参照）を設置するための設置部位８１ｄとされている。つまり、本下部ユニット８０においては、突出部８１ｃと、設置部位８１ｄとの間に形成される空間を用いて、第１大入賞口ユニット３１（図１０等を参照）が設置される。
【００５５】
図１１に示すように、外郭部材８１ａの上壁部と、駆動ユニットベース部８１ｂの上壁部との間に形成される空間部８１ｘのうちで、設置部位８１ｄの左側方に位置する部位に、左側の球通路部材８６Ａが設置され、設置部位８１ｄの右側方に位置する部位に、右側の球通路部材８６Ｂが設置されている。
【００５６】
図１２（ａ）に示すように、外郭部材８１ａの内部奥側の略中央には、後述する球通路部材８６Ａ、８６Ｂから排出される遊技球を転動させるための転動面８１ｅが前方（図１２（ａ）の紙面手前側）に向かって下り傾斜状に設けられている。また、図１１に示すように、駆動ユニットベース部８１ｂの後壁部の略中央には開口部８１ｆが設けられるとともに、この後壁部において開口部８１ｆの下縁部を形作る部位からは、傾斜板８１ｇが前方（図１１の紙面手前側）に突出している。更に、外郭部材８１ａの下壁部の前縁部側の略中央には、略矩形状の切り欠部８１ｈが設けられている。
【００５７】
そして、図１３及び図１４に示すように、転動面８１ｅと傾斜板８１ｇの上面部とは、前後に連続する下り傾斜面を構成するとともに、傾斜板８１ｇの上面部の前端部が、切り欠部８１ｈと上下に位置合わせされるため、転動面８１ｅに到達する遊技球は、傾斜板８１ｇの上面部を転動した後、切り欠部８１ｈに向かって落下する。なお、駆動ユニットベース部８１ｂの前面であって、開口部８１ｆの正面前方に位置する部位には、透明な素材で構成されるセンターカバー８５Ｖが配設されている。
【００５８】
図１１に示すように、外郭部材８１ａの上壁部の左端側には、後述する第２の始動入賞装置１７ｂに入球した遊技球を進入させるための進入口８１ｊが設けられている。この進入口８１ｊは、所定の樋部材（遊技球を通過させる部材であり、遊技盤１０の後方に配設されているが、図示を省略する。）を用いて、第２の始動入賞装置１７ｂの下流側部分（遊技球の通過方向に沿った下流側部分）に接続されている。このため、第２の始動入賞装置１７ｂに入球する遊技球は、当該樋部材を介して進入口８１ｊに進入した後、左側の球通路部材８６Ａの内部を通過する。この後、左側の球通路部材８６Ａからその右側方に排出され、転動面８１ｅと、傾斜板８１ｇの上面部とを転動した後、切り欠部８１ｈに向かって落下する。
【００５９】
図１５に示すように、駆動ユニットベース部８１ｂに設けられた設置部位８１ｄ（第１大入賞口ユニット３１（図１０を参照）を設置するための設置部位８１ｄ）において、その左端側と右端側には、第１大入賞口３１ａ（後述する。）に遊技球が入球したことを検出するための大入賞口入賞検出スイッチ３１ｓ、３１ｔ（図４５を参照）が配置されている。つまり、第１大入賞口３１ａ（後述する。）に入球した遊技球は、何れかの大入賞口入賞検出スイッチ３１ｓ、３１ｔに向かって到達して検出される。なお、大入賞口入賞検出スイッチ３１ｓ、３１ｔは検出手段の具体例を構成する。また、本実施例では、２個の大入賞口入賞検出スイッチ３１ｓ、３１ｔ（検出手段）を備えるが、検出手段の数は一個以上あれば特に問わない。
【００６０】
両大入賞口入賞検出スイッチ３１ｓ、３１ｔは、略円形の通過孔３１１ｓ、３１１ｔを備えており、何れかの大入賞口入賞検出スイッチ３１ｓ、３１ｔの通過孔３１１ｓ、３１１ｔを遊技球が通過することで、遊技球が大入賞口３１（後述する。）に入球したことが検出される。そして、両通過孔３１１ｓ、３１１ｔは、その軸心（中心軸）を鉛直方向に向けつつ、切り欠部８１ｈの鉛直上方に配置されるため（図１３及び図１４を参照）、何れの通過孔３１１ｓ、３１１ｔを通過した遊技球も、切り欠部８１ｈに向かって落下する。
【００６１】
図１２及び図１５に示すように、外郭部材８１ａにおいて、突出部８１ｃの前端に位置する部位には、第１の始動入賞装置１７ａ（後述する。）に入球した遊技球を通過させる通路８１ｋが設けられている。この通路８１ｋは、左端で遊技球を受け入れるとともに、右方向に下り傾斜に構成されている。そして、通路８１ｋの下端部は、下方に向かって開放されているとともに、この下端部には始動口入賞検出スイッチ１７ｓ（図４５参照）が配設されている。この始動口入賞検出スイッチ１７ｓは、略円形の通過孔１７１ｓを備えており、この通過孔１７１ｓを遊技球が通過することで、第１の始動入賞装置１７ａに遊技球が入球したことが検出される。そして、通過孔１７１ｓは、その軸心（中心軸）を鉛直方向に向けつつ、転動面８１ｅの右端側の鉛直上方に配置されている（図１４を参照）。
【００６２】
このように、本遊技機１では、（Ａ）球通路部材８６Ａ、８６Ｂから排出される遊技球（後述する遊技球受入口Ａ１〜Ａ５，Ａ７〜Ａ１１のうちの何れかに入球した遊技球、若しくは、第２の始動入賞装置１７ｂに入球した遊技球）と、（Ｂ）第１の始動入賞装置１７ａに入球した遊技球と、（Ｃ）第１大入賞口３１ａに入球した遊技球が、全て「開口部８１ｆの前方の空間部８１Ｗ（図１３参照）に到達した後、切り欠部８１ｈに向かって落下する。つまり、本遊技機１においては、遊技盤面（遊技領域１１）を流下して、機外に排出されようとする全ての遊技球が、空間部８１Ｗの前方に到達した後、切り欠部８１ｈに向かって落下する。なお、空間部８１Ｗ（開口部８１ｆの前方の空間部８１Ｗ）によって、「球通過領域」の具体例を構成する。
【００６３】
ベース部材８２は、図８及び図９に示すように、収納部材８１の前面部側に配置されるもので、後方側の部分を取付孔１０Ｅに挿入し、前方側の部分を遊技盤本体１０Ａの前面部の前方に突出させた状態で配置される。このベース部材８２は、図１６に示すように、取付孔１０Ｅを封止する状態に配置されるベース体８２ａと、ベース本体８２ａの前面部から前方に突出する受取案内部８２ｂと、基板部８２ａの後面部から後方に突出する排出案内部８２ｃと、を備える。
【００６４】
ベース本体８２ａは、図１６に示すように、円弧状に構成される基体部８２ｄと、基体部８２ｄの左端部側から「基体部８２ｄの曲率中心」の方向に設けられる左装着部８２ｅと、基体部８２ｄの右端部側から「基体部８２ｄの曲率中心」の方向に設けられる右装着部８２ｆと、基体部８２ｄの両端に掛け渡される領域形成板８２ｇとを備える。また、基体部８２ｄは、内側レール１３と略同一の曲率半径を有しており、その前面部を遊技盤本体１０Ａの前面部（遊技盤１０の盤面、つまり、遊技領域１１）と略面一な状態としつつ（図２８、図２９を参照）、略円弧状の下縁部を、内側レール１３の下端側の部位（最下部を含む略円弧状となる部位）の内側に沿わせた状態で配置される。
【００６５】
左装着部８２ｅには、左下表示装置５０と装飾部材（図示を省略）が装着され、右装着部８２ｆには、右下表示装置６０装飾部材（図示を省略）が装着される。なお、左下表示装置５０及び右下表示装置６０の詳細については後述する。
【００６６】
領域形成板８２ｇは、図１７に示すように、左右に長尺な略板状体で構成されている。そして、「遊技領域１１を流下した遊技球を流入させる遊技球流入領域」を遊技領域１１の最下部の左右両端に亘って形成する部材である。換言すると、本遊技機１では、遊技盤１０の盤面を流下する遊技球が到達する最下部（つまり、遊技領域１１の最下部）が、内側レール１３の最下部ではなく、内側レール１３よりも上方において水平に配置される帯状の部分（領域形成板８２ｇによって構成される部分）とされる。すなわち、内側レール１３の最下部を含む略円弧状となる部位に対して、弦を構成する状態で、遊技領域１１の最下部を構成している。
【００６７】
領域形成板８２ｇには、横方向に向かって計１１個の貫通孔が設けられ、各貫通孔が遊技球受入口Ａ１〜Ａ１１を構成している。また、領域形成板８２ｇの中央部からは、上方に向かって取付部８２ｈが延出されており、この取付部８２ｈには、後述する第１の始動入賞装置１７ａが取り付けられている（図２８、図２９を参照）。そして、遊技球受入口Ａ１〜Ａ１１は、領域形成板８２ｇの前後を貫通する状態に設けられており、何れも、遊技球を受入（通過）可能な大きさとなっている。また、領域形成板８２ｇの中央部は、領域形成板８２ｇの他の部位に比べて高くされ（取付部８２ｈを除いても高くされ）、中央に位置する遊技球受入口Ａ６の高さは、他の遊技球受入口Ａ１〜Ａ５、Ａ７〜Ａ１１に比べて高くされている。なお、領域形成板８２ｇに設けられる遊技球受入口Ａ１〜Ａ１１は、遊技球流入領域に並設される「複数の遊技球受入口」の具体例を示している。
【００６８】
中央に位置する遊技球受入口Ａ６の開口形状（正面視）は略山型とされている。つまり、この遊技球受入口Ａ６は、略水平に構成される頂部と、その両端から略ハの字状に垂れ下る部分と、略水平な底部とを備えている。そして、この遊技球受入口Ａ６は、大当り遊技中に開放状態（遊技球受入可能状態）に変化する第１大入賞口３１ａを構成している。また、第１大入賞口３１ａ以外の遊技球受入口Ａ１〜Ａ１１の開口形状は、略円形若しくは略長円型とされている。つまり、第１大入賞口３１ａの左隣に位置する遊技球受入口Ａ５及び右隣に位置する遊技球受入口Ａ７は、横長の長円型の開口形状を備えている。これらの遊技球受入口Ａ５、Ａ７は、遊技領域１１内の何れの入賞口にも入賞しなかった遊技球を、遊技領域１１外に排出するためのアウト口３２ａ、３２ｂを構成する。
【００６９】
第１大入賞口３１ａの左隣に位置するアウト口３２ａの左隣に配置される遊技球受入口Ａ４と、第１大入賞口３１ａの右隣に位置するアウト口３２ｂの右隣に配置される遊技球受入口Ａ８は、何れも略円形の開口形状を備え、一般入賞口４１、４３を構成する。この「一般入賞口」は、「大当り遊技中に開放状態となる第１大入賞口３１ａ」及び「大当り遊技を実行するか否かの判定の実行契機に関与する始動入賞口」以外の入賞口、つまり、遊技機１の遊技状態に関わらず、単に、賞球払出の実行契機に関与する入賞口である。なお、本遊技機１において、始動入賞口は、第１の始動入賞装置１７ａによって構成される入賞口と、第２の始動入賞装置１７ｂによって構成される入賞口となっている。
【００７０】
一般入賞口４１の左隣に位置する遊技球受入口Ａ３と、一般入賞口４３の右隣に位置する遊技球受入口Ａ９は、何れの略円形の開口形状を備え、アウト口３３ａ、３３ｂを構成する。また、アウト口３３ａの左隣に位置する遊技球受入口Ａ２と、アウト口３３ｂの右隣に位置する遊技球受入口Ａ１０は、何れも略円形の開口形状を備え、一般入賞口４０、４４を構成する。更に、一般入賞口４０の左隣に位置する遊技球受入口Ａ１と、一般入賞口４３の右隣に位置する遊技球受入口Ａ１１は、横長の長円型の開口形状を備え、アウト口３４ａ、３４ｂを構成する。
【００７１】
次に、図１６及び図１８に示すように、受取案内部８２ｂは、領域形成板８２ｇの前面部から前方に突出する状態に配置され、排出案内部８２ｃは、領域形成板８２ｇの後面部から後方に突出する状態に配置されている。そして、受取案内部８２ｂに流下した遊技球は、何れかの遊技球受入口Ａ１〜Ａ１１（図１７を参照）を通じて排出案内部８２ｃに案内（誘導）されることで、遊技領域１１外に配置される。
【００７２】
受取案内部８２ｂは、遊技領域１１を流下した遊技球を進入させるための入口（遊技球を進入させる開口部）を上方に開口させたポケット部８２ｋ、８２ｍを、遊技球受入口Ａ１〜Ａ１１（図１７を参照）と同数だけ並設した構成を備える。また、排出案内部８２ｃは、受取案内部８２ｂに流下した遊技球を、後述する球通路部材８６Ａ、８６Ｂに受け渡すための部材である（図１８を参照）。そして、排出案内部８２ｃは、第１大入賞口３１ａの後方を除く位置に、上方に開口する樋形状部８２ｐを並設した構成を備える。また、ポケット部８２ｋ、８２ｍ及び樋形状部８２ｐの底部は、何れも、後方に向かって下り傾斜を有している。以下、ポケット部８２ｋ、８２ｍ及び樋形状部８２ｐについて更に詳細に説明する。
【００７３】
図１８及び図１９に示すように、第１大入賞口３１ａの前方には、略コの字状の断面を備えるポケット部８２ｋが設けられている。このポケット部８２ｋは、第１大入賞口３１ａを通過して、領域形成板８２ｇの後方に至る状態に設けられている。つまり、ポケット部８２ｋの前後方向中間部では、底部と、下端側の両側縁を第１大入賞口３１ａと共用する構成とされている。そして、遊技球がポケット部８２ｋにおいて、第１大入賞口３１ａの前方に位置する部位に落下すると、遊技球はポケット部８２ｋの底部の下り傾斜を利用し、第１大入賞口３１ａの方向に転動した後、第１大入賞口３１ａを通過して、ポケット部８２ｋの後方に向かって転動する。
【００７４】
下部ユニット８０において、ポケット部８２ｋの背後の位置には、図３０に示すように、遊技球が進入する空間部が設けられており、この空間部によって第１大入賞口３１ａが構成されている。そして、図３０及び図３１に示すように、第１大入賞口３１ａに進入した遊技球は、左右何れかの大入賞口入賞検出スイッチ３１ｓ、３１ｔ（図４５を参照）によって検出された後、切り欠部８１ｈに向かって落下し、下部ユニット８０外に排出される（図１３を参照）。
【００７５】
図１７に示すように、「第１大入賞口３１ａを構成する遊技球受入口Ａ６」以外の遊技球受入口（Ａ１〜Ａ５、Ａ７〜Ａ１１であって、図１７を参照）の前方（正面側）には、略Ｕの字状の断面を備えるポケット部８２ｍ（図１８を参照）が各々設けられている。これらのポケット部８２ｍの底部の後端縁は、対応する遊技球受入口（Ａ１〜Ａ５、Ａ７〜Ａ１１のうちの何れか）の下端縁と同一高さに揃えられる。また、これらのポケット部８２ｍの内部空間は、対応する遊技球受入口（Ａ１〜Ａ５、Ａ７〜Ａ１１のうちの何れか）と連通している。このため、遊技球が、これらのポケット部８２ｍのうちの何れかに落下すると、その底部の下り傾斜を利用し、対応する遊技球受入口（Ａ１〜Ａ５、Ａ７〜Ａ１１のうちの何れか）の方向に転動した後、当該遊技球受入口（Ａ１〜Ａ５、Ａ７〜Ａ１１のうちの何れか）を通過して、領域形成板８２ｇの後方に到達する（図１８を参照）。
【００７６】
これらのポケット部８２ｍの底部のうちで、前端縁側に位置する部位からは、ポケット部８２ｍに落下した遊技球を、後方に誘導し易くなるための突起８２ｎが立ち上げられている（図１８、図１９を参照）。この突起８２ｎは、「側面視で略直角三角形状のリブ」によって構成されるとともに、斜辺（上端面）を後方に向かう下り傾斜に配置しつつ、斜辺（上端面）の後端をポケット部８２ｍの底部に一体化させている。また、ポケット部８２ｍの高さは遊技球の直径（約１１ｍｍ）を超えるものとされており、左右に隣合うポケット部８２ｍが、互いの側壁を隣接配置しつつ区画されているため、何れのポケット部８２ｍに落下した遊技球が、他のポケット部８２ｍに移動することはない。
【００７７】
図１８に示すように、第１大入賞口３１ａの左右に位置するアウト口３２ａ、３２ｂ（遊技球受入口Ａ５、Ａ７であって、図１７を参照）の前方に位置するポケット部８２ｋの横幅と、受取案内部８２ｂの左右両端に位置するアウト口３４ａ、３４ｂ（遊技球受入口Ａ１、Ａ１１であって、図１７を参照）の前方に位置するポケット部８２ｍの横幅（遊技球の直径の約２倍の幅）は、他の遊技球受入口（Ａ２〜Ａ７、Ａ８〜Ａ１０であって、図１７を参照）の前方に位置するポケット部８２ｍの横幅（遊技球の直径を僅かに超える幅）よりも大きくされている。
【００７８】
また、図１８に示すように、第１大入賞口３１ａの左右に位置するアウト口３２ａ、３２ｂの前方に位置するポケット部８２ｍにおいては、第１大入賞口３１ａとの境界に、第１大入賞口３１ａの側からポケット部８２ｍの側に下る傾斜面８２ｒが設けられている。この傾斜面８２ｒの高さは、遊技球の直径よりも低くされている（第１大入賞口３１ａとの境界となる傾斜面８２ｒが低くされている。）。そして、第１大入賞口３１ａが閉鎖状態であるときに、後述のシャッター部材３１ｅ（図１０、図２５参照）の上面を転動した遊技球を、ポケット部８２ｋの側方に位置するポケット部８２ｍの方向に誘導し易くしている。
【００７９】
図２０に示すように、「第１大入賞口３１ａを構成する遊技球受入口Ａ６」以外の遊技球受入口（Ａ１〜Ａ５、Ａ７〜Ａ１１）の後方（背面側）には、略Ｕの字状の断面を備える樋形状部８２ｐ（図１８を参照）が各々配置されている。これらの樋形状部８２ｐの底部の前端縁は、対応する遊技球受入口（Ａ１〜Ａ５、Ａ７〜Ａ１１のうちの何れか）の下端縁と同一高さに揃えられる。また、これらの樋形状部８２ｐの内部空間は、対応する遊技球受入口（Ａ１〜Ａ５、Ａ７〜Ａ１１のうちの何れか）と連通している。
【００８０】
このため、遊技球受入口Ａ１〜Ａ５、Ａ７〜Ａ１１のうちの何れかを通過し、その通過した遊技球受入口に対応する樋形状部８２ｐの後方に到達した遊技球は、対応する球通路部材８６Ａ、８６Ｂを通過する。そして、球通路部材Ａ、８６Ｂを通過した遊技球は転動面８１ｅに排出され、転動面８１ｅ、傾斜板８１ｇの上面部を転動した後、切り欠部８１ｈに向かって落下して、下部ユニット８０外（機外）に排出される（図１２（ａ）、図１３を参照）。なお、一般入賞口４０、４１、４３、４４を通過した遊技球が進入する球通路部材８６Ａ、８６Ｂには、一般入賞検出スイッチ４０ｓ、４１ｓ、４３ｓ、４４ｓが配置されており、それらスイッチによって、いずれかの一般入賞口４０、４１、４３、４４に遊技球が入賞したことが検出される。
【００８１】
図１６に示すように、領域形成板８２ｇの後面（背面）うちで、第１大入賞口３１ａの周縁に位置する部位からは、連結壁８２ｏが後方に向かって突出している。この連結壁８２ｏは、「山型から、その底部を排除した形状（屋根型の形状）」を備え、領域形成板８２ｇの後方において、第１大入賞口３１ａの底部を除く略全域を包囲している。そして、図９に示すように、この連結壁８２ｏの後端面には、後述する裏カバー部材３１ｄの前端面が当接し、前後に略連続する屋根型のカバー（後述するシャッター部材３１ｅを隠蔽するカバー）を構成する。
【００８２】
左装着部８２ｅに装着された左下表示装置５０は、図４に示すように、遊技領域１１の周縁部寄りであって、メイン役物装置２０の左斜め下方の部位に配設されている。この左下表示装置５０は、図６（ａ）に示すように、遊技盤１０の前面部に配設される取付板５１と、取付板５１の前面部に装着された装飾部材（図示を省略）とを備える。また、この取付板５１には、普通図柄保留表示部５２と、第１特別図柄保留表示部５５、第２特別図柄保留表示部５６とが設けられている。
【００８３】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の数（即ち、保留数）」を、４個上限数として表示すると共に、未消化の遊技球（保留）が消化される毎に、「未消化の遊技球の数（即ち、保留数）」を、順次、デクリメントして表示するものである。ここで、普通図柄に関する「未消化の遊技球（つまり、保留球）」とは、普通図柄作動ゲート１６を通過したが、後述する普通図柄表示部６３において、当該通過に伴う当否抽選の結果の表示と、これに先行する変動表示（本実施例では、ＬＥＤを用いて点滅表示）とがなされていない遊技球を指す。
【００８４】
第１特別図柄保留表示部５５及び第２特別図柄保留表示部５６も、２個のＬＥＤを用いて構成され、所謂「特別図柄に関する保留数」を、４個を上限として表示するものである。つまり、第１特別図柄保留表示部５５は、「第１の始動入賞装置１７ａ（後述する。）に入賞したが、未だ、未消化の遊技球の数（即ち、保留数）」を、４個上限数として表示すると共に、未消化の遊技球（保留）が消化される毎に、「未消化の遊技球の数（即ち、保留数）」を、順次、デクリメントして表示するものである。また、第２特別図柄保留表示部５６は、「第２の始動入賞装置１７ｂ（後述する。）に入賞したが、未だ、未消化の遊技球の数（即ち、保留数）」を、４個上限数として表示すると共に、未消化の遊技球（保留）が消化される毎に、「未消化の遊技球の数（即ち、保留数）」を、順次、デクリメントして表示するものである。ここで、特別図柄（第１特別図柄、第２特別図柄）に関する「未消化の遊技球（つまり、保留）」とは、始動入賞装置１７に入賞したが、後述する特別図柄表示部（６２ａ若しくは６２ｂ）において、当該通過に伴う当否抽選（当否判定）の結果の表示と、これに先行する変動表示とがなされていない遊技球を指す。
【００８５】
普通図柄保留表示部５２と、第１特別図柄保留表示部５５及び第２特別図柄保留表示部５６においては、同様な態様で、保留数の表示を行う。つまり、（ａ）２個のＬＥＤを消灯させて「保留数」が「ゼロ」であることを、（ｂ）１個のＬＥＤを点灯させ、１個のＬＥＤを消灯させて「保留数」が「１」であることを、（ｃ）２個のＬＥＤを点灯させて「保留数」が「２」であることを、（ｄ）１個のＬＥＤを点滅させ、１個ＬＥＤを点灯させて「保留数」が「３」であることを、（ｅ）２個のＬＥＤを点滅させて「保留数」が「４」であることを各々示す。
【００８６】
また、右装着部８２ｆ（図１６参照）に装着された右下表示装置６０は、図４に示すように、遊技領域１１の周縁部寄りであって、メイン役物装置２０の右斜め下方の部位に配設されている。この右下表示装置６０は、図６（ｃ）に示すように、遊技盤１０の前面部に配設される取付板６１と、取付板６１の前面部に装着された装飾部材（図示を省略）とを備える。そして、この取付板６１には、第１の特別図柄表示部６２ａと、第２の特別図柄表示部６２ｂと、普通図柄表示部６３と等が設けられている。
【００８７】
第１の特別図柄表示部６２ａ、第２の特別図柄表示部６２ｂ及び普通図柄表示部６３は、何れも、「７セグメント表示体」を用いて構成されている。このうち、第１の特別図柄表示部６２ａでは、第１の始動入賞装置１７ａに遊技球が入賞したことに起因して実行される当否判定（第１の大当り抽選）の結果を示す第１の特別図柄が、図柄変動（変動表示）を経て停止表示する。また、第２の特別図柄表示部６２ｂでは、第２の始動入賞装置１７ｂに遊技球が入賞したことに起因して実行される当否判定（第２の大当り抽選）の結果が変動表示を経て停止表示する。但し、第１の特別図柄表示部６２ａ及び第２の特別図柄表示部６２ｂのうちの少なくとも一方において、大当り抽選の結果とともに、小当り抽選の結果を示す特別図柄が、変動表示を経て停止表示してもよい。尚、第１の特別図柄表示部６２ａ及び第２の特別図柄表示部６２ｂの表示結果の内容については後述する。また、第１の特別図柄表示部６２ａ及び第２の特別図柄表示部６２ｂにおいて表示される遊技の結果（当否判定の結果）と、演出表示装置２７において表示される遊技の結果（当否判定の結果）は一致するものとされる。
【００８８】
普通図柄表示部６３は、普通図柄作動ゲート（普通図柄作動口）１６を遊技球が通過することに起因して図柄変動開始条件が成立すると、普通図柄の変動表示を開始する。この普通図柄の変動表示は、普通図柄表示部６３において「０」〜「９」までの算用数字をこの順で表示した後、再び、「０」〜「９」までの算用数字をこの順で表示することを繰り返す「循環表示」によって構成される。そして、これらの変動表示の実行時間が経過すると、普通図柄の停止図柄が一定時間実行される。このとき、停止図柄が「奇数数字」である場合、当り図柄であり、停止図柄が「偶数数字」である場合、外れ図柄である。この普通電動役物１７ｄを開放状態とすべきか否かの抽選を行う抽選手段は、後述する主制御部２００Ａによって構成される。
【００８９】
装飾板８５は、図８に示すように、横方向に長尺な板状体を用いて構成され、受取案内部８２ｂ（図１６参照）の前方（正面側）に配置されている。この装飾板８５は、着色された半透明な板の前面及び後面にエンボス加工を施した構成を備えるとともに、前面に模様が付されている。この装飾板８５は、図２３及び図２４に示すように、全ての遊技球受入口Ａ１〜Ａ１１の手前側（正面側）において、後面を受取案内部８２ｂの前端部に当接する状態で配置されている。なお、装飾板８５は、受取案内部８２ｂの両端に設けられた取付孔８２Ｔ（図９参照）にビスを螺合することで、受取案内部８２ｂの前端面に固定されている。
【００９０】
この装飾板８５は、図８及び図１９に示すように、第１大入賞口３１ａを構成する遊技球受入口Ａ６の上部を除く部位（遊技球受入口Ａ６の下端から上端に向かって１／３〜２／３の部分）を覆うとともに、他の「遊技球受入口（Ａ１〜Ａ５、Ａ７〜Ａ１１）」（図１７参照）の全体を覆っている。このため、装飾板８５が、第１大入賞口３１ａの左右両側のアウトロ３２ａ、３２ｂの全部を覆い且つ第１大入賞口３１ａの上部を除く部位を覆う状態となっている。そして、装飾板８５は、透視度を低下させる処理が施された半透明板な板であるため、遊技者がその後方の状態を識別することが困難である。このため、装飾板８５の前方（正面側）からは、第１大入賞口３１ａと、その左右両側のアウトロ３２ａ、３２ｂとの境界を識別することが困難となっている。
【００９１】
左側の球通路部材８６Ａは、図９に示すように、第１大入賞口３１ａの左側において、ベース部材８２の後方に配設され、第１大入賞口３１ａの左側の遊技球受入口（Ａ１〜Ａ５であって、図１７等を参照）の後方に「遊技球の通路」を構成する。具体的には、図２１（ａ）に示すように、遊技球受入口Ａ１に対応する通路Ｂ１と、遊技球受入口Ａ２に対応する通路Ｂ２と、遊技球受入口Ａ３に対応する通路Ｂ３と、遊技球受入口Ａ４に対応する通路Ｂ４と、遊技球受入口Ａ５に対応する通路Ｂ５とを、各々後方に向かって下り傾斜状に備える。また、図２１（ｂ）に示すように、左側の球通路部材８６Ａの右側面には、２つの出口部８６ａ、８６ｂが前後に設けられ、これらの出口部８６ａ、８６ｂは、前述の転動面８１ｅに向かって開放されている（図１４を参照）。なお、通路Ｂ１、Ｂ３、Ｂ５は、球通路部材８６Ａの後方側に設けられた通路（以下、「第１通路」というが、図示を省略）を用いて、前方の出口部８６ａに連絡されている。また、通路Ｂ２、Ｂ４は、球通路部材８６Ａの後方側において、第１通路とは別に設けられた通路（以下、「第２通路」というが、図示を省略）を用いて、後方の出口部８６ｂに連絡されている。
【００９２】
また、図２１（ａ）に示すように、左側の球通路部材８６Ａの左端（左端の通路Ｂ１の更に左）には、球受部８６ｃが上方に向かって開口している。この球受部８６ｃは、前述の進入口８１ｊ（図１１参照）に進入した遊技球を受け入れ可能な状態に、進入口８１ｊに接続されている。また、球受部８６ｃは、その底面によって下り傾斜となる通路を構成するが、この通路の終端部（後端部）は、前述の第２通路に連絡されている。このため、遊技球受入口Ａ１、遊技球受入口Ａ３若しくは遊技球受入口Ａ５で受け入れられた遊技球は、前方の出口部８６ａを介して転動面８１ｅに排出され、遊技球受入口Ａ２若しくは遊技球受入口Ａ４で受け入れられた遊技球や、進入口８１ｊに進入した遊技球は、後方の出口部８６ｂを介して転動面８１ｅに排出される。
【００９３】
右側の球通路部材８６Ｂは、図９に示すように、第１大入賞口３１ａの右側において、ベース部材８２の後方に配設され、第１大入賞口３１ａの右側の遊技球受入口（Ａ７〜Ａ１１であって、図１７等を参照）の後方に遊技球の通路を構成する。具体的には、図２２（ａ）に示すように、遊技球受入口Ａ７に対応する通路Ｂ７と、遊技球受入口Ａ８に対応する通路Ｂ８と、遊技球受入口Ａ９に対応する通路Ｂ９と、遊技球受入口Ａ１０に対応する通路Ｂ１０と、遊技球受入口Ａ１１に対応する通路Ｂ１１とを、各々後方に向かって下り傾斜状に備える。また、図２２（ｂ）に示すように、右側の球通路部材８６Ｂの左側面には、２つの出口部８６ｅ、８６ｆが前後に設けられ、これらの出口部８６ｅ、８６ｆは、前述の転動面８１ｅに向かって開放されている（図１４を参照）。なお、通路Ｂ７、Ｂ９、Ｂ１１は、球通路部材８６Ｂの後方側に設けられた通路（以下、「第３通路」というが、図示を省略）を用いて、前方の出口部８６ｅに連絡されている。また、通路Ｂ８、Ｂ１０は、球通路部材８６Ｂの後方側において、第３通路とは別に設けられた通路（以下、「第４通路」というが、図示を省略）を用いて、後方の出口部８６ｆに連絡されている。
【００９４】
遊技球受入口Ａ７、遊技球受入口Ａ９若しくは遊技球受入口Ａ１１で受け入れられた遊技球は、前方の出口部８６ｅを介して転動面８１ｅに排出され、遊技球受入口Ａ８若しくは遊技球受入口Ａ１０で受け入れられた遊技球は、後方の出口部８６ｆを介して転動面８１ｅに排出される。
【００９５】
図８に示すように、第１の始動入賞装置１７ａは、領域形成板８２ｇの中央部から上方に延出された取付部８２ｈ（図１７参照）に取り付けられ、遊技領域１１において、ステージ部２１ｐ（転動面）の中央部の略鉛直下方の位置に配設されている（図４を参照）。この第１の始動入賞装置１７ａは、非可変式（固定式）の始動入賞装置であり、上方に開口部１７１ａ（つまり、第１の始動入賞口）を開口させたポケット形状を備えている。ここで、「第１の始動入賞装置１７ａを構成する開口部１７１ａ（第１の始動入賞口）」と、後述する「第２の始動入賞装置１７ｂを構成する開口部１７ｆ（第２の始動入賞口であって、図４及び６を参照）」は、遊技球流入領域より上方の部位に設けられる「上部遊技球受入口」の具体例を構成する。そして、これらの上部遊技球受入口（開口部１７１ａ、開口部１７ｆ）は、何れも、領域形成板８２ｇ（遊技球受入口Ａ１〜Ａ１１（第１遊技球受入口）よりも上方に配設されているとともに、遊技領域１１を流下する遊技球を受け入れ可能とされている。
【００９６】
ステージ部２１ｐ（転動面）の中央部から落下する遊技球は、第１の始動入賞装置１７ａの開口部（第１の始動入賞口）を通じて、第１の始動入賞装置１７ａに入賞する確率が高くされている。また、図１２（ｂ）に示すように、取付部８２ｈの後方には、「開口部１７１ａ（第１の始動入賞口）」と前述の「通路８１ｋ（外郭部材８１ａに設けられた通路８１ｋ）」とを接続する通路８２１ｈが、後方に向かって下り傾斜状に設けられている。そして、開口部１７１ａ（第１の始動入賞口）に入球した遊技球は、この通路８２１ｈを介して、通路８１ｋに進入し、前述の始動口入賞検出スイッチ１７ｓ（図４５参照）によって検出される。この後、始動口入賞検出スイッチ１７ｓの通過孔１７１ｓの下方に落下して、転動面８１ｅに到達する。
【００９７】
第２の始動入賞装置１７ｂは、遊技球受入口の大きさが変化する可変式（開閉式）の始動入賞装置であり、図４に示すように、遊技領域１１において、メイン役物装置２０の左側（表示画面の左側）であって、ワープ部材２１Ｔの上方に位置する部位に配設されている。この第２の始動入賞装置１７ｂは、図４３（ａ）に示すように、左斜め上方に開口しつつ遊技領域１１を流下する遊技球を受け入れ可能な開口部１７ｆ（つまり、第２の始動入賞口）と、この開口部１７ｆ（第２の始動入賞口）の開閉を行う普通電動役物１７ｄとを備える。
【００９８】
普通電動役物１７ｄは、遊技盤１１の盤面に垂直な支軸１７１ｅによって下端側を支持された開閉部材１７ｅと、開閉部材１７ｅを作動させるための普通電動役物ソレノイド１７ｃ（図１６参照）とを備えている。そして、開閉部材１７ｅは、下方側の支軸１７１ｅを中心に回動することで、遊技球の入賞不可能となるように開口部１７ｆ（第２の始動入賞口）を閉鎖する閉鎖状態と、遊技球の入賞可能となるように開口部１７ｆ（第２の始動入賞口）を開放する開放状態とに変化することができる。つまり、普通電動役物ソレノイド１７ｃの駆動を開始して、開閉部材１７ｃが反時計回り（正面視）に回転すると、第２の始動入賞装置１７ｂは閉鎖状態から開放状態に変化する。そして、普通電動役物ソレノイド１７ｃの駆動を停止すると、開閉部材１７ｃが正面視で時計回り（正面視）に回転するため、第２の始動入賞装置１７ｂは閉鎖状態に戻される。
【００９９】
なお、第２の始動入賞装置１７ｂの内部には遊技球の通過を検出する始動口入賞検出スイッチ１７ｔ（図１６参照）が配設されている。また、第２の始動入賞装置１７ｂとしては、所謂「チューリップ式の始動入賞装置」を用いることもできる。つまり、普通電動役物１７ｄを、左右に配設された一対の可動翼片と、一対の可動翼片を作動させるための普通電動役物ソレノイドとを備えるものとしてもよい。この場合、両可動翼片はそれぞれの下方側の支軸を中心に、上端側を相互に離間するように、左右に開放可能とされる。そして、両可動翼片が立設状態となる閉鎖状態にあるときに、両可動翼片の上端部間の間隔が縮小される。また、普通電動役物ソレノイドを駆動して、両可動翼片を、下端側の軸心に上端側を相互に離間するように傾動させると、両可動翼片の上端部間の間隔が拡大され、開放状態とされる。また、第１の始動入賞装置１７ａ若しくは第２の始動入賞装置１７ｂに入賞した遊技球は、遊技球受入口Ａ１〜Ａ１１で受け入れられた遊技球と同様に、下部ユニット８０外に排出される。
【０１００】
本遊技機１においては、第２の始動入賞装置１７ｂが開放状態となると、遊技領域１１を流下する遊技球が第２の始動入賞装置１７ｂに入賞する確率は、遊技領域１１を流下する遊技球が第１の始動入賞装置１７ａに入賞する確率に比べて高くなっている。そして、遊技機１の遊技モードが開放延長モード（後述する。）となり、第２の始動入賞装置１７ｂが開放状態となる時間が長くなると、遊技球が第２の始動入賞装置１７ｂに入賞する確率は第１の始動入賞装置１７ａに入賞する確率に比べて遙かに高くなる。なお、本実施例では、開放延長モードにおける第２の始動入賞装置１７ｂの開放時間を「５秒」としており、非開放延長モード（通常開放モード）における第２の始動入賞装置１７ｂの開放時間を「０．２秒」としている。一方、前述のように、第２の始動入賞装置１７ｂが閉鎖状態になると、遊技球が第２の始動入賞装置１７ｂに入賞することが不可能であるため、遊技機１の遊技モードが開放延長モードでない場合、遊技球が第２の始動入賞装置１７ｂに入賞する確率は第１の始動入賞装置１７ａに入賞する確率に比べて遙かに低くなる。すなわち、遊技機１の遊技モードが開放延長モードとなると、遊技球が第１の始動入賞装置１７ａに入賞するケースはレアケースとなり、遊技機１の遊技モードが開放延長モードでない場合、遊技球が第２の始動入賞装置１７ｂに入賞するケースはレアケースである。
【０１０１】
ここで、「開放状態の第２の始動入賞装置１７ｂに遊技球が入賞する確率」は、「第１の始動入賞装置１７ａに遊技球が入賞する確率」よりも遙かに高くされている。このため、遊技機１の遊技モードが開放延長モードにあるときには、非開放延長モード（通常開放モード）にあるときに比べて、始動入賞を生ずる確率が高くなり、右下表示装置６０及び演出表示装置２７において、特別図柄の図柄変動を実行する頻度（つまり、図柄変動の実行頻度）が向上する。つまり、本遊技機１においては、開放延長モードとなると、図柄変動の実行頻度が通常（非開放延長モードにあるとき）に比べて向上する遊技が行われる。
【０１０２】
第１大入賞口ユニット３１は、前述の第１大入賞口３１ａの開閉を行う。そして、この第１大入賞口ユニット３１は、第１大入賞口３１ａとともに、第１大入賞装置（各請求項の大入賞装置）の一具体例を構成する。この第１大入賞口ユニット３１は、図９に示すように、下部ユニット８０に組み込まれ、第１の始動入賞装置１７ａの下方に配置されている。つまり、前述の設置部位８１ｄ（図１１参照）に設置されて、下部ユニット８０に組み込まれている。そして、図１０に示すように、第１大入賞口ユニット３１の主要な構成部品は、第１大入賞口３１ａの背後であって、左側の球通路部材８６Ａと、右側の球通路部材８６Ｂとの間に挟まれた状態で配置されている。
【０１０３】
この第１大入賞口ユニット３１は、図２３〜図２５に示すように、裏カバー部材３１ｄと、シャッター部材３１ｅと、取付部材３１ｆと、大入賞口ソレノイド３１ｃを備えている。以下、第１大入賞口ユニット３１の詳細を説明する。なお、図２３及び図２４では、図示の便宜のため、シャッター部材３１ｅの一部にハチング表示を施している。
【０１０４】
裏カバー部材３１ｄは、図２６（ａ）に示すように、シャッター部材３１ｅを前後動可能に支持する前方支持部３１ｇと、取付部材３１ｆを固定状態で支持する後方支持部３１ｈとを備える。このうち、前方支持部３１ｇは、第１大入賞口３１ａよりも一回り大きな山型で、底部に開口部を設けた枠形状に構成される外壁部３１ｊを備える。また、裏カバー部材３１ｄの前端部（つまり、外壁部３１ｊの前端部）は、図９に示すように連結壁８２ｏの後端部と接続され、前後に略連続する屋根型のカバー（後述するシャッター部材３１ｅを隠蔽するカバー）を構成する。なお、外壁部３１ｊは、所定のブラケットＢ等を用いて、収納部材８１の上面部に固定される（図２８、図２９を参照）。
【０１０５】
シャッター部材３１ｅは、図２６（ｂ）に示すように、略山型に構成される開閉本体部３１ｐと、開閉本体部３１ｐの後方において略山型設けられた伝達部３１ｑと、伝達部３１ｑの後端部から後方に突出するガイド片３１ｒ、３１ｒとを備える。このうち、開閉本体部３１ｐは、外壁部３１ｊの内側（内部）に挿入され、前後動可能とされている（図１９及び図２５を参照）。また、開閉本体部３１ｐは、第１大入賞口３１ａよりも一回り小さな山型に構成され、外壁部３１ｊの内部を摺動して前方に動作すると、第１大入賞口３１ａの前方に突出した状態となる（図２４、図２９、図３１を参照）。なお、開閉本体部３１ｐは「作動片」の具体例を構成する。
【０１０６】
図２６（ｂ）に示すように、伝達部３１ｑの後端部中央には、大入賞口ソレノイド３１ｃの駆動力が伝達される筒状部（四角筒形状）３１ｕが設けられている。また、両ガイド片３１ｒ、３１ｒは、前後に長尺な板状に構成され、肉厚方向（左右方向）に貫通するガイド孔３１ｔを、前後に２個ずつ備えている。このガイド孔３１ｔは、前後に長尺な長孔を用いて構成されている。
【０１０７】
取付部材３１ｆは、図２５に示すように、裏カバー部材３１ｇの後方支持部３１ｈ上に支持されるとともに、大入賞口ソレノイド３１ｃを固定状態に支持しつつ、シャッター部材３１ｅのガイド片３１ｒ、３１ｒを前後動可能に支持する部材である。この取付部材３１ｆは、図２７（ａ）に示すように、平面形状が略矩形の底板部８７ａを備え、この底板部８７ａの略中央に大入賞口ソレノイド３１ｃを搭載した状態で、後方支持部３１ｈ上に支持されている。
【０１０８】
底板部８７ａの上面部であって、大入賞口ソレノイド３１ｃの左右両脇に位置する部位は、各々底板部８７ａの上方にガイドピン８７ｂを回転可能な状態に支持するための支持部８７ｃが、前後に２個ずつ設けられている。この支持部８７ｃは、底板部８７ａの上方で所定の間隔をおいて左右に対向する各一対の軸受部材８７ｄ、８７ｄで構成され、軸心を左右に向けたガイドピン８７ｂを回転可能な状態に支持している。そして、このガイドピン８７ｂに装着されて、各一対の軸受部材８７ｄ、８７ｄ間に配設されたブッシュ８７ｅが、ガイドピン８７ｂの軸心周りに回転可能とされている。
【０１０９】
図２３に示すように、大入賞口ソレノイド３１ｃの左側の軸受部材８７ｄ、８７ｄの間には、左側のガイド片３１ｒが挿入され、大入賞口ソレノイド３１ｃの右側の軸受部材８７ｄ、８７ｄ間には、右側のガイド片３１ｒが挿入されている。その際、図２８に示すように、各ガイド片３１ｒにおいて前方側に設けられたガイド孔３１ｔには、前方側に配置されたブッシュ８７ｅが摺動可能な状態で挿入され、各ガイド片３１ｒにおいて後方側に設けられたガイド孔３１ｔには、後方側に配置されたブッシュ８７ｅが摺動可能な状態で挿入されている。
【０１１０】
図２８に示すように、ガイド孔３１ｔは、前後に長尺な長孔を用いて構成されているため、シャッター部材３１ｅは、ブッシュ８７ｅ及びガイドピン８７ｂを介して取付部材３１ｆに支持されつつ、前後動可能な状態とされている。そして、シャッター部材３１ｅを後方に移動して、ガイド孔３１ｔの前端にブッシュ８７ｅを当接させたときに、開閉本体部３１ｐの前端が、第１大入賞口３１ａよりも前方へ突出しない位置となり、第１大入賞口３１ａを開放状態とする（図２３を参照）。つまり、開閉本体部３１ｐ（作動片）は、遊技領域１１よりも奥側（遊技者から見た奥側）に没入した状態となる。
【０１１１】
第１大入賞口３１ａが開放状態にあるとき、シャッター部材３１ｅを前方に移動すると、図２９に示すように、開閉本体部３１ｐが第１大入賞口３１ａよりも前方へ突出し、開閉本体部３１ｐの前端側が「第１大入賞口３１ａの前方に位置するポケット部８２ｋ」の上方に移動する。そして、ガイド孔３１ｔの後端にブッシュ８７ｅを当接させたときに、開閉本体部３１ｐの前端が、ポケット部８２ｋの上方を覆い隠すとともに、装飾板８５に近接する（遊技球の直径の１／１０以下の距離に接近する。）。これにより、第１大入賞口３１ａは、遊技球を入賞させることが不可能な閉鎖状態となる（図２４を参照）。つまり、開閉本体部３１ｐ（作動片）は、遊技領域１１よりも手前側（遊技者から見た手前側）に突出した状態となる。
【０１１２】
第１大入賞口３１ａが閉鎖状態となると、図３１に示すように、開閉本体部３１ｐがポケット部８２ｋの上方を覆い隠す。そして、開閉本体部３１ｐは略山型に構成されており、第１大入賞口３１ａの左右両側のアウト口３２ａ、３２ｂの前方に位置するポケット部８２ｍにおいては、第１大入賞口３１ａとの境界に、第１大入賞口３１ａの側からポケット部８２ｍの側に下る傾斜面８２ｒが設けられている。そして、この傾斜面８２ｒと、開閉本体部３１ｐの左右に下り傾斜となる上面（天面）とが、遊技球を転動させる下り傾斜を形成するため、第１大入賞口３１ａが閉鎖状態にあるときに、開閉本体部３１ｐ上に落下する遊技球はポケット部８２ｍの方向に誘導され易くなっている（図３１、図３３を参照）。
【０１１３】
一方、図３０に示すように、開閉本体部３１ｐがポケット部８２ｋの上方から退避して、第１大入賞口３１ａが開放状態となると、第１の始動入賞装置１７ａの左側部近傍若しくは右側部近傍を通過する遊技球は、ポケット部８２ｋに落下し易くなっている（図３２を参照）。
【０１１４】
図２７（ａ）に示すように、取付部材３１ｆの底板部８７ａの上面部であって、大入賞口ソレノイド３１ｃの配設箇所の前方に部位には、大入賞口ソレノイド３１ｃの駆動力をシャッター部材３１ｅに伝達するためのクランク部材８７ｍを傾動可能に支持するための支持部８７ｎが設けられている。また、クランク部材８７ｍの上端部は、伝達部３１ｑの筒状部３１ｕ（図２６（ｂ）参照）に挿入されている。
【０１１５】
大入賞口ソレノイド３１ｃは、図２７（ｂ）に示すように、取付部材３１ｆの底板部８７ａの上面部に固定される本体部３１ｖと、本体部３１ｖの内部で軸受（図示を省略）によって前後にスライド可能に支持されて本体部３１ｖの前方への突出量を変化可能なプランジャ３０ｗと、プランジャ３０ｗの前端側に一体化され、プランジャ３０ｗとともに前後するプランジャヘッド３０ｘと、プランジャ３０ｗの外周位置に配置されたソレノイドコイル（図示を省略）と、復帰手段（復帰バネであって、図示を省略）とを備えている。
【０１１６】
プランジャ３０ｗの前端側には、図２７（ａ）及び（ｂ）に示すように、略コの字状の係止部３０ｙが設けられており、この係止部３０ｙが、クランク部材８７ｍの中間部を挟み込んだ状態で、クランク部材８７ｍに係止されている。
【０１１７】
この第１大入賞口ユニット３１では、ソレノイドコイルへの通電を行うと、ソレノイドコイルからプランジャ３０ｗへ、電流に比例した大きさの牽引力を生ずるため、図２８に示すように、プランジャ３０ｗ及びプランジャヘッド３０ｘが復帰手段（復帰バネ）の付勢力に対抗しつつ、後方に移動する。そして、クランク部材８７ｍの中間部がプランジャヘッド３０ｘによって後方に引っ張られるため、クランク部材８７ｍは後方に傾いた状態となり、クランク部材８７ｍの上端部が筒状部３１ｕを後方に押圧する。これにより、シャッター部材３１ｅは後方に移動して、第１大入賞口３１ａは開放状態となる。
【０１１８】
一方、ソレノイドコイルへの通電を停止すると、図２９に示すように、プランジャ３０ｗ及びプランジャヘッド３０ｘが復帰手段（復帰バネ）の付勢力によって、前方に移動する。このため、クランク部材８７ｍの中間部がプランジャヘッド３０ｘによって前方に押されるため、クランク部材８７ｍは前方に傾いた状態となり、クランク部材８７ｍの上端部が筒状部３１ｕを前方に押圧する。これにより、シャッター部材３１ｅは前方に移動して、第１大入賞口３１ａは閉鎖状態となる。
【０１１９】
図４に示すように、メイン役物装置２０の周縁部であって、表示画面２７ａの左斜め上方の部位には、第２大入賞口ユニット３５が配設されている。この第２大入賞口ユニット３５は、図４３（ｂ）に示すように、第２大入賞口３５ａと、遊技盤１１の盤面に垂直な支軸３５１ｂによって下端側を支持された開閉部材３５ｂと、開閉部材３５ｂを作動させるための大入賞口ソレノイド３５ｃ（図４５を参照）とを備えている。そして、第２大入賞口３５ａと、その開閉を行う第２大入賞口ユニット３５は第２大入賞装置の具体例を構成する。開閉部材３５ｂは、第２大入賞口３５ａの開閉を行うための部材であり、下方側の支軸３５１ｂを中心に回動することで、第２大入賞口３５ａへの遊技球の入賞が不可能となるように第２大入賞口３５ａを閉鎖する閉鎖状態と、第２大入賞口３５ａへの遊技球の入賞が可能となるように第２大入賞口３５ａを開放する開放状態とに変化することができる。
【０１２０】
つまり、大入賞口ソレノイド３５ｃの駆動を開始して、開閉部材３５ｂを反時計回り（正面視）に回転させ、開閉部材３５ｂを「左斜め上方に上がり傾斜となる傾動姿勢」に変化させると、第２大入賞口３５ａは開放状態に変化し、遊技球の入賞が可能となる。一方、大入賞口ソレノイド３５ｃの駆動を停止すると、開閉部材３５ｂが正面視で時計回り（正面視）に回転するため、第２大入賞口３５ａは閉鎖状態に変化し、遊技球の入賞が不可能となる。
【０１２１】
メイン役物装置２０には、図４３（ｂ）に示すように、第２大入賞口３５ａに入賞した遊技球を通過させ、機外に排出するための通過路３５ｔが設けられている。そして、この通過路３５ｔの経路方向に沿った中間部には、第２大入賞口３５ａに入賞した遊技球を検出するための大入賞口検出スイッチ３５ｓが配設されている。なお、本実施例と異なり、第１大入賞口３１ａ及び第２大入賞口３５ａのうちの少なくとも一方または両方を、アタッカータイプの開閉部材で開閉する構成としてもよい。つまり、開閉部材の下端部を回動可能に支持し、対象となる大入賞口を閉鎖する起立姿勢と、対象となる大入賞口を開放する前傾姿勢とに姿勢変更可能とすることもできる。
【０１２２】
図４に示すように、遊技盤１０の前面部であって、遊技領域１１を構成する部位には、多数の障害釘１８が各盤部品との位置バランスを考慮しつつ植設されている。そして、本遊技機１では、障害釘１８の幾つかを用いて、第１大入賞口３１ａの周囲に、第１誘導路１１Ｓ、１１Ｔと、第２誘導路１１Ｌ、１１Ｒとが、互いに近接した状態で設けられている。つまり、図３２及び図３３に示すように、第１の始動入賞装置１７ａの左右近傍には、遊技領域１１を流下する遊技球を第１大入賞口３１ａに誘導する第１誘導路１１Ｓ、１１Ｔが設けられ、これらの左側方及び右側方には、遊技領域１１上を流下する遊技球をアウト口３２ａ、３２ｂに誘導する第２誘導路１１Ｌ、１１Ｒが設けられている。
【０１２３】
図４に示すように、下部ユニット８０において、装飾板８５（領域形成板８２ｇ）の下方の部位が、装飾領域９０Ｓとされている。つまり、内側レール１３の下端側の部位（内側レール１３の最下部を中央部とする略円弧状の部位）と、装飾板８５（領域形成板８２ｇ）を弦とする部分とで囲まれる部位（装飾板８５の下方であって遊技領域１１の最下端に亘る部位）を装飾領域９０Ｓとしている。そして、図８に示すように、この装飾領域９０Ｓに、前方開閉扉ユニット９０及び後方開閉扉ユニット９５が配設されている。
【０１２４】
前方開閉扉ユニット９０は、第１大入賞口３１ａの下方に前方開閉扉（左側扉９１Ｌ及び右側扉９１Ｒ）を開閉可能な状態に配置するためのユニット（装置）であり、第１開閉扉装置の具体例を構成する。また、後方開閉扉ユニット９５は、前方開閉扉（左側扉９１Ｌ及び右側扉９１Ｒ）の奥側に、後方開閉扉（左側扉９５Ｌ及び右側扉９５Ｒ）を開閉可能な状態に配置するためのユニット（装置）であり、第２開閉扉装置の具体例を構成する。更に、前方開閉扉ユニット９０と、後方開閉扉ユニット９５とによって、「演出用開閉扉装置」の具体例が構成される。そして、図３４に示すように、後方開閉扉ユニット９５は、前方開閉扉ユニット９０の後方に配設されている。次に、前方開閉扉ユニット９０及び後方開閉扉ユニット９５等について説明する。
【０１２５】
図３４に示すように、前方開閉扉ユニット９０及び後方開閉扉ユニット９５は、４個の支持部材（左から右に、支持部材９０ａ、支持部材９０ｃ、支持部材９０ｄ、支持部材９０ｂの順）を左右方向に間隔を設けつつ備えている。これらの支持部材９０ａ〜９０ｄは、図３５に示すように、駆動ユニットベース部８１ｂの後壁部の前面における上端側に装着されている（但し、図３５では支持部材９０ｂのみを図示）。そして、図３４に示すように、左端の支持部材９０ａの前端部と、右端の支持部材９０ｂの前端部との間には、第１ロッド９０ｅが支持されている。この第１ロッド９０ｅは円柱状とされつつ、軸心を左右に向けた状態で、駆動ユニットベース部８１ｂ内の上方側に配設されている。
【０１２６】
図３４に示すように、左端の支持部材９０ａの前後方向中間と、支持部材９０ａの右隣の支持部材９０ｃの前端部との間には、第２ロッド９０ｆが支持され、右端の支持部材９０ｂの前後方向中間と、支持部材９０ｂの左隣の支持部材９０ｄの前端部との間には、第３ロッド９０ｇが支持されている。これらのロッド９０ｆ、９０ｇ（第２ロッド９０ｆ、第３ロッド９０ｇ）も、第１ロッド９０ｅと同様に、円柱状とされつつ、軸心を左右に向けた状態で駆動ユニットベース部８１ｂ内の上方側に配設されている。但し、第２ロッド９０ｆ及び第３ロッド９０ｇは、第１ロッド９０ｅよりも後方であって、第１ロッド９０ｅよりも下方に配置されている。
【０１２７】
図３４に示すように、支持部材９０ｃと、支持部材９０ｄとの間に位置する部位は、空き空間９０ｈとされている。そして、この空き空間９０ｈの後方には、「図１３を用いて前述した開口部８１ｆ」が配設されるとともに、空き空間９０ｈの左右方向中間部と、第１大入賞口３１ａの左右方向中間部とは、上下に位置合わせされている（図３８の中心線Ｘを参照）。
【０１２８】
図３６に示すように、前方開閉扉ユニット９０は、左側扉９１Ｌと、右側扉９１Ｒと、前述の第１ロッド９０ｅと、第１前方アーム板金９２ａと、第２前方アーム板金９２ｂと、第１モータ９２ｃと、第２モータ９２ｄとを備える。また、図３４に示すように、左側扉９１Ｌの後面左端側と、右側扉９１Ｒの後面右端側には、係止部材９２ｅ、９２ｆが装着されている。この係止部材９２ｅ、９２ｆの後端部には、軸心を左右に向けつつ第１ロッド９０ｅを摺動状態で挿通する挿通部（図示を省略）が設けられている。そして、左側扉９１Ｌ及び右側扉９１Ｒの上端側が、係止部材９２ｅ、９２ｆを介して第１ロッド９０ｅに支持されることで、左側扉９１Ｌ及び右側扉９１Ｒは、第１ロッド９０ｅの軸心方向に移動可能とされている。なお、左側扉９１Ｌ及び右側扉９１Ｒは、正面視が略矩形の板状体によって構成されている。また、「左側扉９１Ｌ及び右側扉９１Ｒで構成される前方開閉扉」によって、「第１開閉扉」の具体例を構成する。
【０１２９】
図３６に示すように、第１前方アーム板金９２ａは、断面（紙面に垂直な断面）が略Ｌの字状で左右に長尺な本体部９２ｊと、本体部９２ｊの右端部から上方に延出された連結部９２ｋとを備えている。そして、連結部９２ｋの前面部を、左側扉９１Ｌの後面下端側に連結しつつ、本体部９２ｊを略水平に配置している。また、第２前方アーム板金９２ｂも、断面（紙面に垂直な断面）が略Ｌの字状で左右に長尺な本体部９２ｊと、本体部９２ｊの左端部から上方に延出された連結部９２ｋとを備えている。そして、連結部９２ｋの前面部を、右側扉９１Ｒの後面下端側に連結しつつ、本体部９２ｊを略水平に配置している。
【０１３０】
図４１（ａ）に示すように、第１前方アーム板金９２ａ及び第２前方アーム板金９２ｂは、その下面（本体部９２ｊの下面）を水平に配置される支持レール９２ｍ、９２ｎによって支持され、左右に摺動可能とされている。つまり、縦断面形状（紙面に垂直な縦断面）が略コの字状で、左右に長尺な支持レール９２ｍが、外郭部材８１ａの底壁部左端側の上面に設置され、第１前方アーム板金９２ａを左右に摺動可能な状態に支持している。また、縦断面形状（紙面に垂直な縦断面）が略コの字状で、左右に長尺な支持レール９２ｎが、外郭部材８１ａの底壁部右端側の上面に設置され、第２前方アーム板金９２ｂを左右に摺動可能な状態に支持している。なお、支持レール９２ｍ、９２ｎの底面に複数個のローラを配置して、第１前方アーム板金９２ａ及び第２前方アーム板金９２ｂの摺動の円滑化を図ってもよい。
【０１３１】
図３６に破線で示すように、駆動ユニットベース部８１ｂの前方側には、カバー部材８１Ｌ、８１Ｒ（図１０を参照）が設置されている。そして、一方のカバー部材（以下、「左カバー部材」という。）８１Ｌは、駆動ユニットベース部８１ｂの前面側における左端側に装着され、他方のカバー部材（以下、「右カバー部材」という。）８１Ｒは、駆動ユニットベース部８１ｂの前面側における右端側に装着されている。また、左側扉９１Ｌと、右側扉９１Ｒは、左カバー部材８１Ｌの装着箇所と、右カバー部材８１Ｒの装着箇所に設けられる空間部の前方に配設されている。
【０１３２】
図３６に示すように、第１モータ９２ｃは、左カバー部材８１Ｌの後方において、その駆動軸９２１ｃを前方に向けた状態で設置され、第２モータ９２ｄは右カバー部材８１Ｒの後方において、その駆動軸９２１ｄを前方に向けた状態で設置されている。また、第１前方アーム板金９２ａを構成する本体部９２ｊの底板部９２１ｊの左端側上面には、ラック部材（ラックが設けられた部材の意味で使用する。）９２ｑが装着されている。同様に、第２前方アーム板金９２ｂを構成する本体部９２ｊの底板部９２１ｊの右端側上面にも、ラック部材９２ｒが装着されている。これらのラック部材９２ｑ、９２ｒは、歯先を上方に向けつつ、歯を横方向に並べている。そして、第１モータ９２ｃの駆動軸９２１ｃに装着されたギア９２ｓと、第１前方アーム板金９２ａのラック部材９２ｑとは、中間ギア９２ｖを介して噛合し、第２モータ９２ｄの駆動軸９２１ｄに装着されたギア９２ｔと、第２前方アーム板金９２ｂのラック部材９２ｒとも、中間ギア９２ｗを介して噛合している。
【０１３３】
ところで、前方開閉扉ユニット９０を作動させないときには、図３６に示すように、左側扉９１Ｌの右端部と、右側扉９１Ｒの左端部とが当接する状態とされる。つまり、図３８の破線で示すように、前方開閉扉ユニット９０を用いた演出を行わないときには、左側扉９１Ｌの右端部と、右側扉９１Ｒの左端部とが、第１大入賞口３１ａの中心から下方に延びる中心線Ｘ上で当接した近接した状態（つまり、閉状態）となる。そして、前方開閉扉ユニット９０を開状態とする場合には、第１モータ９２ｃの駆動軸９２１ｃを第１の所定方向に第１所定量だけ駆動するとともに、第２モータ９２ｄの駆動軸９２１ｄを第２の所定方向に第１所定量と同一量だけ、駆動する。
【０１３４】
これにより、図３７に示すように、左側扉９１Ｌが左方向にスライドするとともに、右側扉９１Ｒが右方向にスライドして、左側扉９１Ｌの右端部と、右側扉９１Ｒの左端部とが中心線Ｘから離間した状態となる。このとき、図３８に示すように、左側扉９１Ｌの右端部と、右側扉９１Ｒの左端部と距離Ｙ１が、第１大入賞口３１ａの左右開口幅Ｙ２よりも大きくなる。また、前方開閉扉ユニット９０が開状態にあるときに、第１モータ９２ｃの駆動軸９２１ｃを第１の所定方向と反対方向に第１所定量と同一量だけ駆動するとともに、第２モータ９２ｄの駆動軸９２１ｄを第２の所定方向と反対方向に第１所定量と同一量だけ、駆動すると、前方開閉扉ユニット９０が閉状態に戻される。なお、以下の説明において、「左側扉９１Ｌが前方開閉扉ユニット９０の閉状態を構成する位置にある」ことを「左側扉９１Ｌが閉状態位置にある」と称し、「右側扉９１Ｒが前方開閉扉ユニット９０の閉状態を構成する位置にある」ことを「右側扉９１Ｒが閉状態位置にある」と称することがある。また、「左側扉９１Ｌが前方開閉扉ユニット９０の開状態を構成する位置にある」ことを「左側扉９１Ｌが開状態位置にある」と称し、「右側扉９１Ｒが前方開閉扉ユニット９０の開状態を構成する位置にある」ことを「右側扉９１Ｒが開状態位置にある」と称することがある。
【０１３５】
また、第１モータ９２ｃ及び第２モータ９２ｄは、ステッピングモータであり、装飾駆動基板２２６を介してサブ制御基板２２０に接続され（図４６を参照）、その回転動作（回動動作）と停止動作は、サブ制御基板２２０から送信される制御信号を用いて制御される（図４６を参照）。また、図３４〜図３６において図示を省略するが、前方開閉扉ユニット９０は、左側扉９１Ｌが閉状態位置にあることを検出するためのセンサＳ１と、右側扉９１Ｒが閉状態位置にあることを検出するためのセンサＳ２と、左側扉９１Ｌが開状態位置にあることを検出するためのセンサＳ３と、右側扉９１Ｒが開状態位置にあることを検出するためのセンサＳ４とを備えている。これらのセンサＳ１〜Ｓ４は、装飾駆動基板２２６を介してサブ制御基板２２０に接続され（図４６を参照）、その検出信号はサブ制御基板２２０に入力される。
【０１３６】
図３９に示すように、後方開閉扉ユニット９５は、左側扉９５Ｌと、右側扉９５Ｒと、前述の第２ロッド９０ｆと、前述の第３ロッド９０ｇと、第１後方アーム板金９５ａと、第２後方アーム板金９５ｂと、第３モータ９５ｃと、第４モータ９５ｄと、ＬＥＤランプ４Ｋ（図３７参照）とを備える。また、左側扉９５Ｌは、右から左に向かって前面部及び後面部を２段階に後退させる階段形状（３段の階段形状）を備えている。つまり、左側扉９５Ｌは、左側扉９１Ｌの後方に配置される左扉本体９５Ｍと、左側扉９５Ｌの左端側を構成する左支持板９５Ｎと、略Ｌ字状に屈曲しつつ左扉本体９５Ｍ及び左支持板９５Ｎを連結する連結部９５Ｐとを備える。なお、左扉本体９５Ｍ及び左支持板９５Ｎは正面視で略矩形の板状態に構成されている。
【０１３７】
また、右側扉９５Ｒは、左から右に向かって前面部及び後面部を２段階に後退させる階段形状（３段の階段形状）を備えている。つまり、右側扉９５Ｌは、右側扉９１Ｒの後方に配置される右扉本体９５Ｑと、右側扉９５Ｒの右端側を構成する右支持板９５Ｓと、略Ｌ字状に屈曲しつつ右扉本体９５Ｑ及び右支持板９５Ｓを連結する連結部９５Ｔとを備える。なお、右扉本体９５Ｑ及び右支持板９５Ｓは正面視で略矩形の板状態に構成されている。また、「左側扉９５Ｌ及び右側扉９５Ｒで構成される後方開閉扉」によって「第２開閉扉」の具体例を構成する。
【０１３８】
左扉本体９５Ｍの後面に係止部材９５ｅが装着され、右扉本体９５Ｑの後面に係止部材９５ｆが装着されている。そして、これらの係止部材９５ｅ、９５ｆの後端部には、軸心を左右に向けつつ第１ロッド９０ｅを摺動状態で挿通する挿通部（図示を省略）が設けられている。そして、左扉本体９５Ｍは、その上端側は係止部材９５ｅを介して第１ロッド９０ｅによって支持されることで、第１ロッド９０ｅの軸心方向に移動可能とされ、右扉本体９５Ｑは、その上端側が係止部材９５ｆを介して第１ロッド９０ｅによって支持されることで、第１ロッド９０ｅの軸心方向に移動可能とされている。但し、これらの係止部材９５ｅ、９５ｆは、前方開閉扉ユニット９０を構成する係止部材９１ｅ、９１ｆの間に配置されている。
【０１３９】
左支持板９５Ｎの後面に係止部材９５Ｅが装着され、右支持板９５Ｓの後面に係止部材９５Ｆが装着されている。そして、係止部材９５Ｅの後端部には、軸心を左右に向けつつ第２ロッド９０ｆを摺動状態で挿通する挿通部（図示を省略）が設けられている。また、係止部材９５Ｆの後端部には、軸心を左右に向けつつ第３ロッド９０ｇを摺動状態で挿通する挿通孔（図示を省略）が設けられている。そして、左支持板９５Ｎは係止部材９５Ｅを介して第２ロッド９０ｆによって支持されることで、第２ロッド９０ｆの軸心方向に移動可能とされている。また、右支持板９５Ｓは、係止部材９５Ｆを介して第３ロッド９０ｇによって支持されることで、第３ロッド９０ｇの軸心方向に移動可能とされている。
【０１４０】
図４０に示すように、第１後方アーム板金９５ａは、背面視で略逆Ｌ状の金属板で構成されている。つまり、左右に長尺な略矩形板状の本体部９５ｊと、背面視で本体部９５ｊの左端部（正面視で右端部）から上方に延出された連結部９５ｋとを備えている。そして、連結部９２ｋの前面部を、左支持板９５Ｎの後面下端側に連結しつつ、本体部９５ｊを略水平に配置している。また、第２後方アーム板金９５ｂは、第１後方アーム板金９５ａと左右に鏡面対象な形状（背面視で略Ｌ状）の金属板で構成されている。つまり、左右に長尺な略矩形板状の本体部９５ｊと、背面視で本体部９５ｊの右端部（正面視で左端部）から上方に延出された連結部９２ｋとを備え、連結部９２ｋの前面部を、右支持板９５Ｓの後面下端側に連結しつつ、本体部９５ｊを略水平に配置している。
【０１４１】
第１後方アーム板金９５ａを構成する本体部９５ｊの下端面は、駆動ユニットベース部８１ｂ内の下端側であって、しかも、駆動ユニットベース部８１ｂの中央部よりも左側において、所定間隔をおいて同一高さに設置された３個のワッシャーブッシュ９５ｍによって支持されている。同様に、第２後方アーム板金９５ｂを構成する本体部９５ｊの下端面は、駆動ユニットベース部８１ｂ内の下端側であって、しかも、駆動ユニットベース部８１ｂの中央部よりも右側において、所定間隔をおいて同一高さに設置された３個のワッシャーブッシュ９５ｎによって支持されている。
【０１４２】
ここで、図４１（ｂ）に示すように、駆動ユニットベース部８１ｂの後壁部に設けられた支持部８１２ｂと、駆動ユニットベース部８１ｂの前方側に設置されるカバー部材８１Ｌ、８１Ｒとの間には、ワッシャーブッシュ９５ｍ、９５ｎと同数の支持ピン９５ｐが、それらの軸心を前後に向けつつ支持されている。なお、左カバー部材８１Ｌは、駆動ユニットベース部８１ｂの前面側における左端側に装着され、右カバー部材８１Ｒは、駆動ユニットベース部８１ｂの前面側における右端側に装着されている。そして、左側扉９１Ｌ、右側扉９１Ｒ、左扉本体９５Ｍ及び右扉本体９５Ｑは、左カバー部材８１Ｌの装着箇所と、右カバー部材８１Ｒの装着箇所との間に配設される。
【０１４３】
ワッシャーブッシュ９５ｍ、９５ｎは、対応する支持ピン９５ｐを挿通することで、支持ピン９５ｐで支持されつつ回転可能とされている。更に、第１後方アーム板金９５ａを構成する本体部９５ｊの下端面はワッシャーブッシュ９５ｍに対してその上方から当接し、第２後方アーム板金９５ｂを構成する本体部９５ｊの下端面は、ワッシャーブッシュ９５ｎに対してその上方から当接している。そして、左側扉９５Ｌが第２ロッド９０ｆの軸心方向に移動するときに、ワッシャーブッシュ９５ｍは回転しつつ第１後方アーム板金９５ａを構成する本体部９５ｊを支持し、右側扉９５Ｒが第２ロッド９０ｆの軸心方向に移動するときに、ワッシャーブッシュ９５ｎは回転しつつ第２後方アーム板金９５ａを構成する本体部９５ｊを支持する。なお、図４１（ｂ）に示すように、ワッシャーブッシュ９５ｍ、９５ｎは、本体部９５ｊを支持する円板状の部分の前後に、それよりも外形が大きな円板状の部分（フランジ）を備え、本体部９５ｊの前後面下端側が、外形が大きな円板状の部分に摺動可能とされるため、本体部９５ｊの前後方向への「がたつき」を防止できる。
【０１４４】
図４０に示すように、第３モータ９５ｃは、左カバー部材８１Ｌの後方において、その駆動軸９５１ｃを鉛直下方に向けた状態で設置され、第４モータ９５ｄは右カバー部材８１Ｒの後方において、その駆動軸９５１ｄを鉛直下方に向けた状態で設置されている。また、第１後方アーム板金９５ａを構成する本体部９５ｊの後面部左端側（背面視で右端側）には、ラック部材（ラックが設けられた部材の意味で使用する。）９５ｑが装着されている。同様に、第２後方アーム板金９５ｂを構成する本体部９５ｊの後面部右端側（背面視で左端側）にも、ラック部材９５ｒが装着されている。これらのラック部材９５ｑ、９５ｒは、歯先を後方に向けつつ、歯を横方向に並べている。そして、第３モータ９５ｃの駆動軸９５１ｃに装着されたギア９５ｓと、第１後方アーム板金９５ａのラック部材９５ｑとが噛合し、第２モータ９５ｄの駆動軸９５１ｄに装着されたギア９５ｔと、第２後方アーム板金９５ｂのラック部材９５ｒとが噛合している。
【０１４５】
後方開閉扉ユニット９５を作動させないときには、図３９及び図４０に示すように、左側扉９５Ｌの右端部と、右側扉９５Ｒの左端部とが当接する状態とされる。つまり、後方開閉扉ユニット９５を用いた演出を行わないときには、図３８に示すように、左側扉９５Ｌの右端部と、右側扉９５Ｒの左端部とが、第１大入賞口３１ａの中心から下方に延びる中心線Ｘ上で当接した近接した状態（つまり、閉状態）となる。そして、前方開閉扉ユニット９５を開状態とする場合には、第３モータ９５ｃの駆動軸９５１ｃを第３の所定方向に第２所定量だけ駆動するとともに、第４モータ９５ｄの駆動軸９５１ｄを第４の所定方向に第２所定量と同一量だけ、駆動する。
【０１４６】
これにより、図４２に示すように、左側扉９５Ｌが左方向にスライドするとともに、右側扉９５Ｒが右方向にスライドして、左側扉９５Ｌの右端部と、右側扉９５Ｒの左端部とが中心線Ｘから離間した状態となる。このとき、左側扉９５Ｌの右端部と、右側扉９５Ｒの左端部と距離が、第１大入賞口３１ａの左右開口幅Ｙ２よりも大きくなる。
【０１４７】
また、後方開閉扉ユニット９５が開状態にあるときに、第３モータ９５ｃの駆動軸９５１ｃを第３の所定方向と反対方向に第２所定量と同一量だけ駆動するとともに、第４モータ９５ｄの駆動軸９５１ｄを第４の所定方向と反対方向に第２所定量と同一量だけ、駆動すると、後方開閉扉ユニット９０が閉状態に戻される。なお、後方開閉扉ユニット９５が開状態であるか、閉状態であるかを問わず、第１後方アーム板金９５ａの本体部９５ｊと、第２後方アーム板金９５ｂの本体部９５ｊは、何れも、３個のワッシャーブッシュ９５ｍ、９５ｎによって支持された状態が維持される。
【０１４８】
以下の説明において、「左側扉９５Ｌが後方開閉扉ユニット９５の閉状態を構成する位置にある」ことを「左側扉９５Ｌが閉状態位置にある」と称し、「右側扉９５Ｒが後方開閉扉ユニット９５の閉状態を構成する位置にある」ことを「右側扉９５Ｒが閉状態位置にある」と称することがある。また、「左側扉９５Ｌが後方開閉扉ユニット９５の開状態を構成する位置にある」ことを「左側扉９５Ｌが開状態位置にある」と称し、「右側扉９５Ｒが後方開閉扉ユニット９５の開状態を構成する位置にある」ことを「右側扉９５Ｒが開状態位置にある」と称することがある。
【０１４９】
なお、本実施例では、係止部材９５ｅ、９５ｆが、前方開閉扉ユニット９０を構成する係止部材９２ｅ、９２ｆの間に配置されているため、前方開閉扉ユニット９０及び後方開閉扉ユニット９０が閉状態にあるときに、第１モータ９２ｃ及び第２モータ９２ｄを駆動せずに、第３モータ９５ｃ及び第４モータ９５ｄを駆動して、後方開閉扉ユニット９５を開状態としようとすると、係止部材９５ｅが係止部材９２ｅを左方向に押圧し、係止部材９５ｆが係止部材９２ｆを右方向に押圧する。このため、本実施例では、第１モータ９２ｃ及び第２モータ９２ｄを駆動せずに、前方開閉扉ユニット９０を開状態とすることもできる。一方、前方開閉扉ユニット９０及び後方開閉扉ユニット９０が開状態にあるときに、第３モータ９５ｃ及び第４モータ９５ｄを駆動せずに、第１モータ９２ｃ及び第２モータ９２ｄを駆動して前方開閉扉ユニット９０を閉状態としようとすると、係止部材９２ｅが係止部材９５ｅを右方向に押圧し、係止部材９２ｆが係止部材９５ｆを右方向に押圧する。このため、第３モータ９５ｃ及び第４モータ９５ｄを駆動せずに、後方開閉扉ユニット９５が開状態とすることもできる。
【０１５０】
また、第３モータ９５ｃ及び第４モータ９５ｄは、ステッピングモータであり、装飾駆動基板２２６を介してサブ制御基板２２０に接続され（図４６を参照）、その回転動作（回動動作）と停止動作は、サブ制御基板２２０から送信される制御信号を用いて制御される。また、図３９〜図４２において図示を省略するが、後方開閉扉ユニット９５は、「左側扉９５Ｌが閉状態位置」にあることを検出するためのセンサＳ５と、「右側扉９５Ｒが閉状態位置」にあることを検出するためのセンサＳ６と、「左側扉９５Ｌが開状態位置」にあることを検出するためのセンサＳ７と、「右側扉９５Ｒが開状態位置」にあることを検出するためのセンサＳ８とを備えている。これらのセンサＳ５〜Ｓ８は、装飾駆動基板２２６を介してサブ制御基板２２０に接続され（図４６を参照）、その検出信号はサブ制御基板２２０に入力される。
【０１５１】
図３７に示すように、左扉本体９５Ｍ及び右扉本体９５Ｑの前面部には、レンズ９５Ｖ、９５Ｗが装着されている。そして、後方開閉扉ユニット９５が閉状態となり、左扉本体９５Ｍの右端部及び右扉本体９５Ｑの左端部が当接すると、レンズ９５Ｖ、９５Ｗは一体化して、略長円形状のレンズ（９５Ｖ、９５Ｗ）を形成する。また、レンズ９５Ｖ、９５Ｗの背後には、前述のＬＥＤランプ４Ｋが配置され、これらのＬＥＤランプ４Ｋが発光すると、「一体化して略長円形状とされたレンズ（９５Ｖ、９５Ｗ）」の表面に所定の図柄（本実施例では、「極」の文字）が強調表示される構成とされている。なお、ＬＥＤランプ４Ｋは、装飾駆動基板２２６を介してサブ制御基板２２０に接続されており（図４６を参照）、「演出部材」の具体例を構成する。
【０１５２】
本実施例では、前方開閉扉ユニット９０と後方開閉扉ユニット９５とが開状態となると、駆動ユニットベース部８１ｂの略中央が前方側（遊技者側）から視認可能となる（図１３及び図５９（ｂ）を参照）。つまり、駆動ユニットベース部８１ｂを構成する後壁部略中央の開口部８１ｆと、傾斜板８１ｇと、「切り欠部８１ｈの鉛直上方に位置する空間部８１Ｗ」とが、前方側（遊技者側）から視認可能となる。すなわち、装飾板８５の下方に設けられる「左側扉９５Ｌ及び右側扉９５Ｒ」の奥側（内部）に、遊技領域１１（盤面）に存在する全ての球受入口に流入した遊技球が通過する共通の球通路（空間部８１Ｗ）を設け、大当り遊技中に前方開閉扉ユニット９０と後方開閉扉ユニット９５とが開状態となった際に、「空間部８１Ｗで構成される球通過領域（球通路）」を通過する遊技球（排出球）を遊技者側から視認可能とする。
【０１５３】
本実施例では、このような構成を有するため、遊技領域１１（遊技盤面）に存在する全ての遊技球受入口に流入した遊技球が、全て共通の球通過領域（空間部８１Ｗ）を通過して遊技機１外（盤裏側）に排出され、遊技者は、その排出の様子を大当り遊技中に第１大入賞口３１ａ周辺（開状態となった前方開閉扉ユニット９０及び後方開閉扉ユニット９５の奥側）で目視することができる。
【０１５４】
つまり、第１大入賞口３１ａに流入した遊技球のみならず、それ以外の遊技球受入口（アウト口３２ａ、３２ｂ、３３ａ、３３ｂ、３４ａ、３４ｂ、一般入賞口４０、４１、４３、４４など）に流入した遊技球や、上部遊技球受入口（第１の始動入賞口を構成する開口部１７１ａ、第２の始動入賞口を構成する開口部１７ｆ）に流入した遊技球が、全て共通の球通過領域（空間部８１Ｗ）で通過する様子を目視することができる。これにより、第１大入賞口３１ａへの入賞数が少ないとしても、多くの遊技球が第１大入賞口３１ａに入賞している印象を、遊技者により与え易くなる。
【０１５５】
発射ハンドル９を操作することで、遊技領域１１の左側下方から略鉛直上方に発射された遊技球は、遊技領域１１の左側において、外側レール１２及び内側レール１３に挟まれつつ円弧状に上昇する発射経路Ｙを通過して（図４を参照）、遊技領域１１の左側上部（前述の入口部１１Ｖ）に到達した後、遊技領域１１に進入する。そして、遊技領域１１に進入した遊技球には、メイン役物装置２０の左側を通過するもの（以下、「左打ち球」という。）と、メイン役物装置２０の右側を通過するもの（以下、「右打ち球」という。）がある。
【０１５６】
「左打ち球」のうちで第１大入賞口３１ａの周囲に到達するものは、第１の始動入賞装置１７ａの左側部近傍を通過し、「右打ち球」のうちで第１大入賞口３１ａの周囲に到達するものは、第１の始動入賞装置１７ａの右側部近傍を通過する。そして、第１誘導路１１Ｓ、１１Ｔと、第２誘導路１１Ｌ、１１Ｒとが、互いに近接した状態で設けられているとともに、装飾板８５が第１大入賞口３１ａの上部を除く部位を覆い、第１大入賞口３１ａの左右両側のアウトロ３２ａ、３２ｂの全部を覆う状態となっている。しかも、装飾板８５に透視度を低下させる処理が施され、その前方からは、第１大入賞口３１ａと、その左右両側のアウトロ３２ａ、３２ｂとの境界を識別することが困難となっている。
【０１５７】
従って、第１大入賞口３１ａの周囲に到達する遊技球が、「左打ち球」及び「右打ち球」のうちの何れであっても、遊技球が第１大入賞口３１ａに入賞したのか、或いは、その側方のアウトロ３２ａ、３２ｂに受け入れられたのかを識別することが困難となっている。例えば、図３２に示すように、第１大入賞口３１ａが開放状態にあるとき、第１の始動入賞装置１７ａの左側部近傍に到達した遊技球Ｗ１が、第１誘導路１１Ｓに誘導され、第１大入賞口３１ａに入賞したのか、その左側方のアウトロ３２ａに受け入れられたのかを識別することが困難となっている。また、図３３に示すように、第１大入賞口３１ａが閉鎖状態にあるとき、第１誘導路１１Ｓに誘導された遊技球Ｗ２が、第１大入賞口３１ａに入賞したのか、その左側方のアウトロ３２ａに受け入れられたのかを識別することが困難となっている。なお、本実施例と異なり、「右打ち球」は全て「アウト球」として機外に排出されることとしてもよい。
【０１５８】
なお、遊技盤１０の盤面構成を選択すること等によって、第１大入賞口３１ａへの入賞確率を「左打ち球」に比べて「右打ち球」の方を高くしてもよい。つまり、第１大入賞口３１ａを用いた第１大当り遊技を、所謂「右打ち専門の大当り遊技」とすることもできる。なお、第１大入賞口３１ａへの入賞確率を「左打ち球」に比べて「右打ち球」の方を高くするための手法としては、「遊技領域１１内の障害釘の配置態様を選択する手法（第１大入賞口３１ａよりも左側に配設される障害釘を、第１大入賞口３１ａへ遊技球を誘導し難い状態とし、第１大入賞口３１ａよりも右側に配設される障害釘を、第１大入賞口３１ａへ遊技球を誘導し易い状態とする手法）」や、「遊技領域１１内に所定通路を構成する部材を配置する手法（第１大入賞口３１ａよりも右側に、第１大入賞口３１ａへ遊技球を誘導するワープ通路を設ける手法）」等を例示できる。この場合、遊技者は、第１大入賞口３１ａを用いた第１大当り遊技の際に「右打ち」を行い、第２大入賞口３５ａを用いた第２大当り遊技若しくは第３大当り遊技の際に「左打ち」を行うことになるため（大当り遊技の種類に応じて、遊技球の発射態様を選択することになるため）、遊技の減り張りを付けることが容易である。
【０１５９】
ｃ．遊技機１の裏面構造
次に、本実施例の遊技機１の裏面構造について図４４を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【０１６０】
裏パック１０２には、遊技球が蓄えられる遊技球タンク１０５と、賞球または貸球としての遊技球の払い出しを行う遊技球払出装置１０９と、主制御部２００Ａを構成する主制御基板２００が格納された主制御基板ケースと、発射装置ユニットを制御する発射制御基板２６０が格納された発射装置制御基板ケース１３０と、遊技球払出装置１０９を制御する払出制御基板２４０が格納された払出制御基板ケース１１８と、主制御基板２００と各種スイッチ類とを中継する中継端子板などが搭載されている。なお、遊技球払出装置１０９は賞球払出手段の具体例を構成する。
【０１６１】
また、遊技球タンク１０５には底部にタンクスイッチが設けられており、球切れを検出することができる。また、遊技球タンク１０５と遊技球払出装置１０９とは、タンクレール１０６によって接続されている。更に、図４４において、タンクレール１０６の右側には球抜きレバーが設けられ、タンクレール１０６の下流側には補給球切れ検知スイッチが設けられている。
【０１６２】
（２）制御回路の構成
次に、図４５及び図４６を用いて本実施例の遊技機１の制御回路の構成について説明する。本遊技機１の制御回路（電子制御装置）は、主制御部２００Ａと、複数の副制御部（２２０Ａ、２２２Ａ、２４０Ａ、２６０Ａ）とを含んで構成されている。つまり、主制御基板２００を用いて構成されるとともに遊技の基本的な進行や賞球に関わる当否についての制御を司る主制御部２００Ａと、複数の副制御部（２２０Ａ、２２２Ａ、２４０Ａ、２６０Ａ）とを備えている。
【０１６３】
副制御部としては、（ａ）サブ制御基板２２０を用いて構成されるとともに、「図柄表示、ランプの発光、効果音、可動物の動作等を用いた遊技の各種の演出の制御を司るサブ制御部２２０Ａと、（ｂ）演出表示制御基板２２２を用いて構成されるとともに、「図柄表示、ランプの発光、効果音、可動物の動作等を用いた遊技の各種の演出の制御を司る演出制御部２２２Ａと、（ｃ）払出制御基板２４０を用いて構成されるとともに貸球や賞球を払い出す動作の制御を司る払出制御部２４０Ａと、（ｄ）発射制御基板２６０を用いて構成されるとともに遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２２２Ａ、２６０Ａ）とが存在する。つまり、本遊技機１は、遊技の基本的な進行を司る主制御部２００Ａと、遊技上の演出を制御する副制御部（サブ制御部２２０Ａ）とを含んで構成される電子制御装置（制御回路）を備えている。
【０１６４】
これらの制御部（２００Ａ、２２０Ａ、２２２Ａ、２４０Ａ、２６０Ａ）を構成する制御基板（２００、２２０、２２２、２４０、２６０）は、各種論理演算及び算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマなど、種々の周辺ＬＳＩがバスで相互に接続されて構成されている。尚、図４５及び図４６中の矢印の向きは、データあるいは信号を入出力する方向を表している。また、図４５においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１６５】
主制御部２００Ａ（主制御基板２００）は、普通図柄作動ゲート通過検出スイッチ１６ｓ、始動口入賞検出スイッチ１７ｓ、一般入賞検出スイッチ４０ｓ、４１ｓ、４３ｓ等から遊技球の検出信号を受け取って、遊技の基本的な進行や賞球に関わる当否を決定した後、サブ制御部２００Ａ（サブ制御基板２２０）や、払出制御部２４０Ａ（払出制御基板２４０）、発射制御部２６０Ａ（発射制御基板２６０）等に向かって、後述する各種の信号（コマンド）を出力する。また、主制御部２００Ａ（主制御基板２００）には、発射装置ユニットから発射された遊技球を検出するカウントスイッチ８ｓも接続されている。
【０１６６】
また、主制御部２００Ａ（主制御基板２００）は、普通電動役物ソレノイド１７ｃや、大入賞口ソレノイド３１ｃ、大入賞口ソレノイド３５ｃ、左下表示装置５０、右下表示装置６０に信号を出力することにより、これらの動作を直接制御している。つまり、主制御部２００Ａ（主制御基板２００）は、当否判定手段と、大当り遊技実行手段として機能することになる。また、主制御部２００Ａ（主制御基板２００）を構成するＣＰＵ２０１により決定された所定の信号（コマンド）は、サブ制御基板２２０や払出制御基板２４０に対してそれぞれ送信される。ここで、主制御部２００Ａ（主制御基板２００）は、当否判定手段、大当り遊技実行手段、確率変動手段、開放演出手段の具体例を構成する。
【０１６７】
サブ制御部２２０Ａ（サブ制御基板２２０）は、主制御部２００Ａ（主制御基板２００）からの各種信号（コマンド）を受け取ると、信号（コマンド）の内容を解析して、その結果に応じた遊技の演出を行う。つまり、サブ制御部２２０Ａ（サブ制御基板２２０）は、主制御部２００Ａ（主制御基板２００）からの制御信号に基づいて遊技の演出の制御を司るものである。なお、サブ制御部２２０Ａ（サブ制御基板２２０）は演出表示装置２７での変動遊技（疑似図柄の変動）を実現するための「表示制御手段」、装飾領域９０Ｓに設けられる開閉扉（本実施例では、前方開閉扉ユニット９０及び後方開閉扉ユニット９５）の駆動を制御する駆動制御手段等として機能する。
【０１６８】
このサブ制御部２２０Ａ（サブ制御基板２２０）には、図４６に示すように、演出表示制御部２２２Ａ（演出表示制御基板２２２）と、アンプ基板２２４と、装飾駆動基板２２６と、演出ボタン基板２２８と、にそれぞれ電気的に接続されている。また、サブ制御基板２２０は、ＣＰＵ２２０ａと、ＲＯＭ２２０ｂと、ＲＡＭ２２０ｃとを備えている。このサブ制御部２２０Ａ（サブ制御基板２２０）は、大当り演出実行手段、監視手段、判断手段、個数決定手段、実行個数記憶手段の具体例を構成する。
【０１６９】
サブ制御基板２２０のＣＰＵ２２０ａは、主制御基板２００からの制御信号を受けて演出表示制御基板２２２、アンプ基板２２４、装飾駆動基板２２６及び演出ボタン基板２２８などの各基板を制御する。また、ＲＯＭ２２０ｃには、各基板の制御に必要なデータ（特に遊技の装飾に関する情報）が記憶されている。また、ＣＰＵ２２０ａは、主制御部２００Ａ（主制御基板２００）から送出された表示制御コマンド（つまり、表示制御信号）を受信するとともに、ＲＯＭ２２０ｃに記憶されたプログラムに従って受信した表示制御コマンドを解析する。そして、サブ制御部２２０Ａ（サブ制御基板２２０）を構成するＣＰＵ２２０ａは、主制御部２００Ａ（主制御基板２００）から送信された表示制御コマンドに基づき新たに生成したコマンドや、主制御部２００Ａ（主制御基板２００）から送信されたままの表示制御コマンドを、図柄制御コマンドとして演出表示制御部２２２Ａ（演出表示制御基板２２２）に対して送信する。
【０１７０】
アンプ基板２２４には、所定の効果音を出力するスピーカＳＰ１〜ＳＰ４が電気的に接続されている。また、装飾駆動基板２２６には、前面枠４や遊技盤１０等に設けられる装飾用の各種ＬＥＤ（ランプ）を搭載した各種ＬＥＤ基板（４ｂ〜４ｈ、４ｊ〜４ｒ、４Ｋ等）が接続されている。また、装飾駆動基板２２６は、サブ制御基板２２０Ａからの信号を受けて遊技の装飾に関する制御を行うものである。また、装飾駆動基板２２６には、第１モータ９２ｃ、第２モータ９２ｄ、第３モータ９５ｃ、第４モータ９５ｄが接続されており、サブ制御基板２２０は、各モータ９２ｃ、９２ｄ、９５ｃ、９５ｄに駆動信号（駆動パルス）を供給する。
【０１７１】
また、サブ制御基板２２０Ａには、装飾駆動基板２２６を介して位置検出用のセンサ（光学センサ）Ｓ１〜Ｓ８が接続されている。そして、「左側扉９１Ｌが閉状態位置」にあるときにはセンサＳ１から検出信号が出力され、「右側扉９１Ｒが閉状態位置」にあるときにはセンサＳ２から検出信号が出力される。このため、サブ制御基板２２０は、これらの検出信号を受信することで、前方開閉扉ユニット９０が閉状態にあることを把握できる。また、「左側扉９１Ｌが開状態位置」にあるときにはセンサＳ３から検出信号が出力され、「右側扉９１Ｒが開状態位置」にあるときにはセンサＳ４から検出信号が出力される。このため、サブ制御基板２２０は、これらの検出信号を受信することで、前方開閉扉ユニット９０が開状態にあることを把握できる。
【０１７２】
更に、「左側扉９５Ｌが閉状態位置」にあるときにはセンサＳ５から検出信号が出力され、「右側扉９５Ｒが閉状態位置」にあるときにはセンサＳ６から検出信号が出力される。このため、サブ制御基板２２０は、これらの検出信号を受信することで、後方開閉扉ユニット９５が閉状態にあることを把握できる。また、「左側扉９５Ｌが開状態位置」にあるときにはセンサＳ７から検出信号が出力され、「右側扉９５Ｒが開状態位置」にあるときにはセンサＳ８から検出信号が出力される。このため、サブ制御基板２２０は、これらの検出信号を受信することで、後方開閉扉ユニット９５が開状態にあることを把握できる。
【０１７３】
このように、本実施例では、前方開閉扉ユニット９０の左側扉９１Ｌ及び右側扉９１Ｒと、後方開閉扉ユニット９５の左側扉９５Ｌ及び右側扉９５Ｒの位置を、それぞれ位置検出用のセンサ（光学センサ）Ｓ１〜Ｓ８で検出する態様を例示するが、第１モータ９２ｃ、第２モータ９２ｄ、第３モータ９５ｃ、第４モータ９５ｄの駆動軸９２１ｃ、９２１ｄ、９５１ｃ、９５１ｄの回転位置を検出することで、左側扉９１Ｌ、右側扉９１Ｒ、左側扉９５Ｌ、右側扉９５Ｒの位置を検出することもできる。例えば、駆動軸９２１ｃ、９２１ｄ、９５１ｃ、９５１ｄに、その基準回転位置（例えば、各扉を閉状態位置にする回転位置或いは開状態位置にする回転位置）を検出するための被検出体（インデックス部材）を装着する。そして、この被検出体（インデックス部材）が位置検出用センサの検出範囲に到達すると、位置検出用センサ（光学センサ）から検出信号が出力されるようにしてもよい。
【０１７４】
但し、本実施例では、各モータ９２ｃ、９２ｄ、９５ｃ、９５ｄとしてステッピングモータを使用するため、サブ制御基板２２０は、各モータ９２ｃ、９２ｄ、９５ｃ、９５ｄに供給する駆動信号（駆動パルス）の総数をカウントすることによっても、各扉の位置（駆動軸の回転位置）を把握することができる。また、左側扉９１Ｌ、右側扉９１Ｒ、左側扉９５Ｌ、右側扉９５Ｒを駆動するためのアクチュエータとしては、モータ以外のもの（ソレノイド）等を使用することもできる。
【０１７５】
払出制御部２４０Ａには、図４４に示すように、中継端子板、発射制御部２６０Ａ、下皿満タンスイッチ６ｓ等が接続されている。また、払出制御部２４０Ａには中継端子板を介して、遊技球払出装置（払出装置）１０９を構成する払出モータ１０９ｍと、前側払出スイッチ１０９ａと、後側払出スイッチ１０９ｂとが接続されている。また、払出制御部２４０Ａには、主制御部２００Ａが双方向通信可能な状態に接続されている。なお、遊技球払出装置１０９は賞球払出手段の具体例を構成する。
【０１７６】
この払出制御部２４０Ａは、所謂、貸球や賞球の払い出しに関する各種の制御を司っている。例えば、遊技者が貸出ボタン５ｃや返却ボタン５ｑを操作すると、その操作信号は、球貸表示基板４１０から中継端子板を介して払出制御基板２４０に伝達され、その操作信号に基づいて払出モータ１０９ｍを駆動させるための駆動信号が、遊技球払出装置（払出装置）１０９（払出モータ１０９ｍ）に伝達される。
【０１７７】
また、主制御部２００Ａが賞球の払出コマンドを出力すると、このコマンドを払出制御部２４０Ａが受け取って、払出モータ１０９ｍに駆動信号を出力することによって賞球の払い出しが行われる。また、払い出される遊技球は、２つの払出スイッチ（前側払出スイッチ１０９ａ、後側払出スイッチ１０９ｂ）によって検出されて、払出制御部２４０Ａに入力される。更に、払い出された賞球数はカウントスイッチ１０９ｃによっても検出されて、主制御部２００Ａでも計数されている。
【０１７８】
次に、サブ制御部２２０Ａ（サブ制御基板２２０）に対する信号或いはコマンドの入出力関係について説明する。前述のように、サブ制御部２２０Ａ（サブ制御基板２２０）には、演出表示制御基板２２２と、アンプ基板２２４、装飾駆動基板２２６、演出ボタン基板２２８などの各種基板が接続されている。また、サブ制御部２２０Ａは、前述のように、主制御部２００Ａから各種の演出用のコマンド（表示制御コマンドなど）を受け取ると、コマンドの内容を解釈して、（ａ）演出表示装置２７での具体的な表示内容や、（ｂ）スピーカＳＰ１〜４で出力する効果音、更には、（ｃ）各種ＬＥＤやランプ類の点灯若しくは点滅の具体的な態様を決定する。次いで、演出表示装置２７の駆動信号（各種の図柄制御コマンド）を演出表示制御部２２２Ａに出力して、演出図柄（疑似図柄、背景図柄、キャラクタ図柄等）の変動表示及び停止表示を行う。このとき、表示される演出図柄（疑似図柄、背景図柄、キャラクタ図柄等）の表示データ（静止画像データ、動画像データなど）については、演出表示装置２７、或いは、演出表示制御基板２２２に内蔵された表示用ＲＯＭ（図示を省略）に格納されているデータを使用する。
【０１７９】
疑似図柄の変動表示及び停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ４ｂ〜４ｈ等の駆動信号を出力することによって、各種ランプ類（ＬＥＤ４ｂ〜４ｈ等）等の点灯・点滅動作等を制御する。また、上皿部材５の前面側に設けられた演出ボタンＳＷを遊技者が操作すると、この操作信号がサブ制御部２２０Ａに供給される。そして、サブ制御部２２０Ａは、供給された操作信号に基づいて、演出表示装置２７を初めとする各種の演出内容に操作結果を反映させることが可能に構成されている。
【０１８０】
（３）遊技機１による遊技の流れ
前述のように、本遊技機１では、第１の始動入賞装置１７ａ若しくは第２の始動入賞装置１７ｂに遊技球が入賞すること（以下、「始動入賞」という。）に基づいて行われる当否判定（大当り抽選）の結果を示す停止図柄の停止表示（確定表示）と、この停止表示の前段階に行われる図柄変動表示とを、２種類の図柄表示装置（右下表示装置６０及び演出表示装置２７）において略同時に実行する。ここで、右下表示装置６０（つまり、第１の特別図柄表示部６２ａ若しくは第２の特別図柄表示部６２ｂ）において表示される特別図柄（７セグメント表示体に次々に変更表示される特別図柄）は「本図柄」であり、遊技の基本進行を司る「主制御部２００Ａ（後述する。）」において「停止図柄」と「変動時間（変動パターン）」が決定される。
【０１８１】
なお、本実施例では、本表示手段（つまり、第１の特別図柄表示部６２ａ及び第２の特別図柄表示部６２ｂ）と、その表示制御を行う主制御部２００Ａとが協働して「図柄変動遊技実行手段」の具体例を構成する。また、本実施例では、第１の始動入賞装置１７ａへの遊技球の入賞に起因して行われる当否判定（つまり、第１の当否判定）及び第２の始動入賞装置１７ｂへの遊技球の入賞に起因して行われる当否判定（つまり、第２の当否判定）が大当り抽選のみによって構成されるが、少なくとも一方の当否判定（特に、第１の当否判定）が大当り抽選及び小当り抽選によって構成されてもよい。
【０１８２】
一方、演出表示装置２７の表示画面２７ａにおいて表示される「疑似図柄」は、「主制御部２００Ａからの各種指令に基づき遊技上の演出を制御するサブ制御部２２０Ａ（後述する。）」によって、その変動態様と停止図柄とが決定される。「疑似図柄」の変動表示は「本図柄」のそれと同一の時間だけ実行され、その変動表示の終了によって停止表示される「疑似図柄の停止図柄」の表示内容（大当り、外れ等）は、第１の特別図柄表示部６２ａ若しくは第２の特別図柄表示部６２ｂにおける「本図柄の停止図柄」の表示内容（大当り、外れ等）と矛盾を生じないものとされる。そして、本実施例においては特別図柄の変動表示中（図柄変動遊技中）にリーチ表示などの図柄変動演出表示を行う場合、その図柄変動演出表示は演出表示装置２７（疑似図柄）において行われる。以下、本図柄及び疑似図柄の表示内容について簡単に説明する。なお、本実施例では、演出表示装置２７と、その表示制御を行うサブ制御部２２０Ａとが協働して「図柄変動演出実行手段」の一具体例を構成する。
【０１８３】
ｃ−１．本図柄
第１の始動入賞装置１７ａへの遊技球の入賞に起因する特別図柄の変動表示及び停止表示（確定表示）は第１の特別図柄表示部６２ａにおいて行われ、第２の始動入賞装置１７ｂへの遊技球の入賞に起因する特別図柄の変動表示及び停止表示（確定表示）は第２の特別図柄表示部６２ｂにおいて行われる。特別図柄の変動表示は、図６（ｂ）に示すように、第１の特別図柄表示部６２ａを構成する７セグメント表示体及び第２の特別図柄表示部６２ｂを構成する７セグメント表示体によって、「算用数字を構成できない不完全な図柄（以下、不完全図柄という。）」の「循環表示」を行うことで実現される。尚、以下の説明において、第１の特別図柄表示部６２ａに表示される特別図柄（本図柄）を「第１の特別図柄」と称し、第２の特別図柄表示部６２ｂに表示される特別図柄（本図柄）を「第２の特別図柄」と称することがある。
【０１８４】
本実施例では、低確率モード（通常確率モード）において、第１の始動入賞装置１７ａへの遊技球の入賞に起因して行われる当否判定（第１の大当り抽選）の結果として「大当り」が導出される確率（図柄変動遊技の結果が大当りになる確率）は、約「１／４００」となっている。そして、大当りを示す判定結果が導出されると、大当り遊技実行手段が作動を開始し、本遊技機１の遊技状態が大当り遊技状態（特別遊技状態）となる。そして、大当り遊技を開始すると、主制御部２００Ａが大入賞口ソレノイド３１ｃの駆動及び駆動停止を行うことで「第１大入賞口３１ａを開閉する開閉動作」が実行されるか、大入賞口ソレノイド３５ｃの駆動及び駆動停止を行うことで「第２大入賞口３５ａを開閉する開閉動作」が実行される。なお、遊技状態が大当り遊技状態となっている間は、特別図柄（本図柄）の変動表示が行われない状態、すなわち、図柄変動遊技が実行不能な状態となる。これに対し、「大当り遊技状態移行前」や「大当り遊技状態終了後」の大当り遊技が行われていない状態は、特別図柄（本図柄）の変動表示が行われる状態、すなわち、図柄変動遊技が実行可能な状態（図柄変動遊技状態）となる。
【０１８５】
ここで、「第１大入賞口３１ａの開放」は、大入賞口ソレノイド３１ｃを駆動してシャッター部材３１ｅを後方に移動させ、開閉本体部３１ｐ（作動片）を遊技領域１１よりも奥側（遊技者から見た奥側）に没入とさせることで行われる。そして、大入賞口ソレノイド３１ｃを駆動する時間（駆動時間）に応じて、第１大入賞口３１ａを開放状態に維持する時間（開放時間）が規定される。逆に、「第１大入賞口３１ａの閉鎖」は、第１大入賞口３１ａが開放状態であるときに、大入賞口ソレノイド３１ｃの駆動を停止してシャッター部材３１ｅを前方に移動させ、開閉本体部３１ｐ（作動片）を遊技領域１１よりも手前側（遊技者から見た手前）に突出させることで行われる。そして、大入賞口ソレノイド３１ｃの駆動を停止する時間（駆動停止時間）に応じて、第１大入賞口３１ａを閉鎖状態に維持する時間（閉鎖時間）が規定される。
【０１８６】
また、「第２大入賞口３５ａの開放」は、第２大入賞口３５ａが閉鎖状態にあるときに、大入賞口ソレノイド３５ｃを駆動して開閉部材３５ｂを反時計回り（正面視）に回転させ、開閉部材３５ｂを「左斜め上方に上がり傾斜となる傾動姿勢」に変化させることで行われる。そして、大入賞口ソレノイド３５ｃを駆動する時間（駆動時間）に応じて、第２大入賞口３５ａを開放状態に維持する時間（開放時間）が規定される。逆に、「第２大入賞口３５ａの閉鎖」は、第２大入賞口３５ａが開放状態であるときに、大入賞口ソレノイド３５ｃの駆動を停止して開閉部材３５ｂを正面視で時計回り（正面視）に回転させ、第２大入賞口３５ａを閉鎖すること（開閉部材３５ｂで、第２大入賞口３５ａを封鎖すること）で行われる。そして、大入賞口ソレノイド３５ｃの駆動を停止する時間（駆動停止時間）に応じて、第２大入賞口３５ａを閉鎖状態に維持する時間（閉鎖時間）が規定される。
【０１８７】
本遊技機１は、第１大入賞口３１ａや第２大入賞口３５ａを開閉するための開閉パターン（以下、「大当り動作」）として、各々２通りのパターンを有している。つまり、第１大入賞口３１ａを開閉するための「大当り動作」としては、図４７（ａ）及び（ｂ）に示すように、（Ａ）第１大入賞口３１ａを「０．２秒」開放状態に変化させること（以下、「短開放」という。）を２回繰り返した後、第１大入賞口３１ａを「９．６秒」開放状態に変化させること（以下、「中開放」という。）を１回行うことを内容とする大当り動作（以下、「第１大当り動作Ａ」という。）と、（Ｂ）第１大入賞口３１ａを「２６秒」開放状態に変化させること（以下、「第１長開放」という。）を内容とする大当り動作（以下、「第２大当り動作Ａ」という。）とが設定されている。
【０１８８】
第２大入賞口３５ａを開閉するための「大当り動作」としては、図４７（ｃ）及び（ｄ）に示すように、（Ｃ）第２大入賞口３５ａを「０．２秒」開放状態に変化させること（短開放）を２回繰り返すことを内容とする大当り動作（以下、「第１大当り動作Ｂ」という。）と、（Ｄ）第１大入賞口３５ａを「２０秒」開放状態に変化させること（以下、「第２長開放」という。）を内容とする大当り動作（以下、「第２大当り動作Ｂ」という。）とが設定されている。
【０１８９】
ここで、「第１大当り動作Ｂ」は、遊技球が入球困難な態様で第２大入賞口３５ａを開放状態に変化させる大当り動作（開放動作）である。この第１大当り動作Ｂを行うことで、第２大入賞口３５ａは瞬間的に開放状態となるだけなので、遊技球が遊技領域１１に連続的に発射されていても、第２大入賞口３５ａに遊技球が入球する可能性は極めて低くなっている（例えば、入球可能性０．１％）。つまり、「第１大当り動作Ｂ」は、第２大入賞口３５ａへの遊技球の入球を許容するものの、遊技球の入球を確実に発生させる動作（入球可能性１００％の開放動作）ではなく、専ら、「報知」や「演出」のための動作である。つまり、第２大入賞口３５ａへの遊技球の入球に基づく賞球の払い出しを予定しない大当り動作である。
【０１９０】
「第１大当り動作Ａ」は、第１大当り動作Ｂに比べて遊技球の入球容易な態様で第１大入賞口３１ａを開放状態に変化させる大当り動作である。この第１大当り動作Ａを行っているときに、遊技球が遊技領域１１に連続的に発射され、その遊技球の殆どが第１大入賞口３１ａに向かって流下すると、「１〜８球」の遊技球が第１大入賞口３１ａに遊技球が入球する可能性がある（遊技球の発射タイミングが良いと８球入球する可能性がある）。つまり、「第１大当り動作Ａ」は、遊技領域１１に発射される遊技球が連続的に第１大入賞口３１ａに入球するとすれば、「第１大入賞口３１ａに８個（本実施例の規定数）の遊技球を入球させることが可能な大当り動作」である。要するに、「第１大入賞口３１ａに規定数（本実施例では８個）の遊技球を入球させることは可能であるものの、後述する第２大当り動作Ａに比べると困難な大当り動作」である。なお、以下の説明において、規定数（８個）は、「第１大入賞口３１ａを開閉する大当り遊技」と、「第２大入賞口３５ａを開閉する大当り遊技」の何れにおいても、「限度個数」の具体例を示している。
【０１９１】
「第２大当り動作Ａ」は、第１大当り動作Ａ及び第１大当り動作Ｂに比べて遊技球の入球容易な態様で第１大入賞口３１ａを開放状態に変化させる大当り動作である。換言すると、遊技球の入球がきわめて容易な態様で、第１大入賞口３１ａを開放状態に変化させる大当り動作である。この「第２大当り動作Ａ」を行っているときに、遊技球が遊技領域１１に連続的に発射されると、ほぼ確実に「８個」の遊技球が第１大入賞口３１ａに入球する。つまり、「第２大当り動作Ａ」は、「第１大入賞口３１ａに規定数（本実施例では８個）の遊技球をほぼ確実に入球させることができる開放動作」である。この「第２大当り動作Ａ」も、第１大入賞口３１ａへの遊技球の入球に基づく賞球の払い出しを予定する大当り動作（開放動作）といえる。但し、「第２大当り動作Ａ」により第１大入賞口３１ａが開放状態となる場合には、「第１大当り動作Ａ」により開放状態となる場合に比べ多く遊技球が第１大入賞口３１ａに入球する可能性が高くなる。このことから、「第２大当り動作Ａ」は、「第１大当り動作Ａ」に比べ多くの賞球の払い出しを予定する大当り動作ともいえる。
【０１９２】
「第２大当り動作Ｂ」も、「第１大当り動作Ａ」及び「第１大当り動作Ｂ」に比べて遊技球の入球容易な態様で第２大入賞口３５ａを開放状態に変化させる大当り動作である。換言すると、遊技球の入球が極めて容易な態様で、第２大入賞口３５ａを開放状態に変化させる大当り動作である。この「第２大当り動作Ｂ」を行っているときに、遊技球が遊技領域１１に連続的に発射されると、ほぼ確実に「５〜７個」の遊技球が第２大入賞口３５ａに入球する。この「第２大当り動作Ｂ」も、第２大入賞口３５ａへの遊技球の入球に基づく賞球の払い出しを予定する大当り動作（開放動作）といえる。但し、「第２大当り動作Ｂ」により第２大入賞口３５ａが開放状態となる場合には、「第１大当り動作Ｂ」により開放状態となる場合に比べ多く遊技球が第２大入賞口３５ａに入球する可能性が高くなる。このことから、「第２大当り動作Ｂ」は、「第１大当り動作Ｂ」に比べ多くの賞球の払い出しを予定する大当り動作ともいえる。
【０１９３】
なお、「第１大当り動作Ａ」、「第１大当り動作Ｂ」、「第２大当り動作Ａ」及び「第２大当り動作Ｂ」における開放時間は、本実施例に示すものに限定されない。例えば、「第２大当り動作Ａ」及び「第２大当り動作Ｂ」の開放時間を２０秒〜３０秒のうちの何れかの時間とすることができ、「第１大当り動作Ａ」の「中開放」の継続時間を５秒〜１１秒のうちの何れかの時間とすることができる。また、「第１大当り動作Ａ」及び「第１大当り動作Ｂ」において、「短開放」の継続時間を０．０５〜０．５秒のうちの何れかの時間とすることができる。更に、「第１大当り動作Ａ」、「第１大当り動作Ｂ」、「第２大当り動作Ａ」及び「第２大当り動作Ｂ」のうちの何れかにおいて、開放時間が異なるものを混在させ、この開放時間が異なる開放動作を、一回の大当り遊技若しくは一回のラウンド遊技（１回の大当りラウンドに係るラウンド遊技）で実行してもよい。
【０１９４】
本実施例の遊技機１では、遊技状態が大当り遊技状態（特別遊技状態）に移行すると、「４回（４ラウンド）」に亘る「ラウンド遊技」若しくは「１６回（１６ラウンド）」に亘る「ラウンド遊技」を実行する。そして、最終（４ラウンド目若しくは１６ラウンド目）の「ラウンド遊技」を終了すると、大当り遊技が終了し、遊技機１の遊技状態が図柄変動遊技状態（図柄変動遊技が実行可能な状態）となる。なお、本実施例では、各ラウンド遊技の開始及び終了毎に、主制御基板２００からサブ制御基板２２０に「ラウンド開始指定コマンド（ラウンド数指定コマンドであって、大当りラウンドの開始や、その開始されるラウンド数を示すコマンド）」及び「ラウンド終了指定コマンド（大当りラウンドが終了したことを示すコマンド）」が送信される。そして、サブ制御基板２２０に搭載されたＣＰＵ２２０ａは、主制御基板２００からの「ラウンド開始指定コマンド（ラウンド数指定コマンド）」及び「ラウンド終了コマンド」に基づき、現在実行中の大当り遊技（ラウンド遊技）の進行状況を判断し、その進行状況に応じた種々の大当り遊技関連演出を演出表示装置２７等により実行する。
【０１９５】
ところで、主制御基板２００に搭載されたＲＯＭ２０３には、「大当り遊技の態様を特定するためのデータ」が「大当り図柄（後述する。）の種類」に対応付けて記憶されている。この「大当り遊技の態様」は、「ラウンド遊技の実行回数（ラウンド数）」と「各ラウンド遊技の内容」によって特定される。なお、本実施例では、大当り図柄の種類によらず、一律に「ラウンド遊技の回数（上限回数）」は「一定数（例えば、１６ラウンド）」としてもよい。
【０１９６】
また、本実施例では、大当り遊技において実行する各ラウンド遊技の終了条件は以下のように定められている。つまり、各ラウンド遊技において予定されている「第１大入賞口３１ａの開放時間」若しくは「第２大入賞口３５ａの開放時間」（１回のラウンドで複数回開放する場合は、その複数回の開放の合計開放時間）が経過するか、遊技球の入球数が規定数（限度個数であって、本実施例では８個）に到達すると、当該「ラウンド遊技」の終了条件が成立する。この終了条件の成立によって１回のラウンド遊技が終了し、その後、所定の待機時間（例えば、２秒若しくは４４秒）が経過すると、次のラウンド遊技が開始される。そして、本実施例では、大当り遊技を開始した後、ラウンド遊技を所定回数（４ラウンド若しくは１６ラウンド）繰り返すと、大当り遊技を終了する。更に、「大当り終了に係る演出（エンディング演出）」を行った後、遊技状態が図柄変動遊技状態に戻される。
【０１９７】
本実施例では、第１の特別図柄表示部６２ａ若しくは第２の特別図柄表示部６２ｂに停止表示（確定表示）される大当り図柄の態様に応じて、実行される大当り遊技（ラウンド遊技）の内容や、大当り遊技終了後の遊技機１の遊技状態（図柄変動遊技状態における遊技モード）が異なったものとなる。つまり、第１の特別図柄表示部６２ａ若しくは第２の特別図柄表示部６２ｂに停止表示（確定表示）される大当り図柄に応じて、遊技者に対して異なった利益が付与される。以下、この点について詳細に説明する。
【０１９８】
ここで、以下の説明において、「１６Ｒ確変大当り」は、ラウンド遊技を「１６ラウンド（１６回）」行う大当り遊技の開始契機となるとともに、大当り遊技終了後に確率変動手段を作動させる契機（確変状態設定手段が遊技状態を確変状態に設定する契機）となる大当りを示す。また、「４Ｒ確変大当り」とは、ラウンド遊技を「４ラウンド（４回）」行う大当り遊技の開始契機となるとともに、大当り遊技終了後に確率変動手段を作動させる契機（確変状態設定手段が遊技状態を確変状態に設定する契機）となる大当りを示す。更に、「１６Ｒ通常大当り」は、ラウンド遊技を「１６ラウンド」行う大当り遊技の開始契機となるとともに、大当り遊技終了後に確率変動手段を作動させない（確変状態設定手段が遊技状態を確変状態に設定しない）大当りを示し、「４Ｒ通常大当り」とは、ラウンド遊技を「４ラウンド」行う大当り遊技の開始契機となるとともに、大当り遊技終了後に確率変動手段を作動させない大当りを示す。
【０１９９】
また、第１の特別図柄表示部６２ａ若しくは第２の特別図柄表示部６２ｂに停止表示（確定表示）される大当り図柄（１６Ｒ確変大当りを示す大当り図柄、４Ｒ確変大当りを示す大当り図柄、１６Ｒ通常大当りを示す大当り図柄、４Ｒ通常大当りを示す大当り図柄）に応じて、異なる内容の大当り遊技（対象とする大入賞口の種類、予定賞球数）や、異なる内容の大当り演出（例えば、バトル演出の種類、バトル演出の勝ち負け）が実行される。なお、本実施例では、各大当り図柄に対応する各種大当り（１６Ｒ確変大当り、４Ｒ確変大当り、１６Ｒ通常大当り、４Ｒ通常大当り）を、末尾にアルファベット付して区別することとする。
【０２００】
第１の始動入賞装置１７ａへの遊技球の入賞に起因して当否判定（第１の大当り抽選）が行われ、大当りを示す判定結果が導出されると、主制御部２００Ａは「大当りの種類（大当り図柄の種類）」を乱数抽選（以下、「振分抽選」という。）によって決定する。そして、この乱数抽選によって、図４８に示すように、「大当りの種類（大当り図柄の種類）」が、「１６Ｒ確変大当りＡ」、「４Ｒ確変大当りＢ」、「４Ｒ通常大当りＡ」、「４Ｒ確変大当りＣ」、「１６Ｒ確変大当りＤ」、「１６Ｒ確変大当りＥ」、「１６Ｒ確変大当りＦ」、「１６Ｒ通常大当りＡ」及び「１６Ｒ確変大当りＨ」のうちの何れかに決定される。
【０２０１】
この「振分抽選」を行うための乱数（大当り図柄決定乱数）は、当否判定用の乱数（大当り抽選用の乱数など）と同様に、始動入賞を生じたタイミングで取得される。なお、第１の大当り抽選の結果が落選の場合、主制御部２００Ａは小当りを発生させるか否かを乱数抽選（小当り抽選）によって決定してもよい。
【０２０２】
また、図４８に示す大当りのうち、「４Ｒ確変大当りＢ」、「４Ｒ通常大当りＡ」、「４Ｒ確変大当りＣ」は、第２大入賞口３５ａを開閉して行う大当り遊技（以下、「大当り遊技Ｕ」と表記することがある。）の開始契機となる大当りであり（図４８及び図４９中「上」と表記）、「１６Ｒ確変大当りＡ」、「１６Ｒ確変大当りＤ」、「１６Ｒ確変大当りＥ」、「１６Ｒ確変大当りＦ」、「１６Ｒ通常大当りＡ」及び「１６Ｒ確変大当りＨ」は、第１大入賞口３１ａを開閉して行う大当り遊技（以下、「大当り遊技Ｄ」と表記することがある。）の開始契機となる大当り（図４８及び図４９を参照）である。
【０２０３】
第２の始動入賞装置１７ｂへの遊技球の入賞に起因して当否判定（第２の大当り抽選）が行われ、大当りを示す判定結果が導出された場合も、主制御部２００Ａは「大当りの種類（大当り図柄の種類）」を乱数抽選（以下、「振分抽選」という。）によって決定する。そして、この乱数抽選によって、図４９に示すように、「大当りの種類（大当り図柄の種類）」が、「４Ｒ確変大当りＡ」、「４Ｒ通常大当りＢ」、「４Ｒ確変大当りＥ」、「１６Ｒ確変大当りＢ」、「１６Ｒ確変大当りＣ」、「１６Ｒ確変大当りＤ」、「１６Ｒ確変大当りＥ」、「１６Ｒ確変大当りＦ」、「１６Ｒ通常大当りＡ」及び「１６Ｒ確変大当りＨ」のうちの何れかに決定される。
【０２０４】
この「振分抽選」を行うための乱数（大当り図柄決定乱数）も、当否判定用の乱数（大当り抽選用の乱数など）と同様に、始動入賞を生じたタイミングで取得される。なお、第２の大当り抽選の結果が落選の場合、主制御部２００Ａは小当りを発生させるか否かを乱数抽選（小当り抽選）によって決定してもよい。また、第２の大当り抽選の結果が当選である場合の「振分抽選」においては、第１の大当り抽選の結果が当選である場合の「振分抽選」に比べて、遊技者にとってより有利な振り分けがなされる。つまり、本実施例では、第２の大当り抽選の結果が当選である場合の「振分抽選」においては、第１の大当り抽選の結果が当選である場合の「振分抽選」に比べて、より多量の賞球が期待できる大当りが選択される確率が高くなっている（図４８、図４９を参照）。なお、第２の大当り抽選の結果が当選である場合の「振分抽選」において、第１の大当り抽選の結果が当選である場合の「振分抽選」に比べて、「確変大当り」が選択される確率がより高くなっていてもよい（図４８、図４９を参照）。
【０２０５】
また、図４９に示す大当りのうち、「４Ｒ確変大当りＡ」、「４Ｒ通常大当りＢ」、「４Ｒ確変大当りＥ」、「１６Ｒ確変大当りＢ」及び「１６Ｒ確変大当りＣ」は、第２大入賞口３５ａを開閉して行う大当り遊技（大当り遊技Ｕ）の開始契機となる大当りであり、「１６Ｒ確変大当りＤ」、「１６Ｒ確変大当りＥ」、「１６Ｒ確変大当りＦ」、「１６Ｒ通常大当りＡ」及び「１６Ｒ確変大当りＨ」は、第１大入賞口３１ａを開閉して行う大当り遊技（大当り遊技Ｄ）の開始契機となる大当りである。
【０２０６】
本実施例では、図４９及び図５０に示すように、第２大入賞口３５ａを開閉して行う「大当り遊技Ｕ」として、予定賞球数が多い（予定出球数；１２８６球）大当り遊技（以下、「第１大当り遊技Ｕ」という。）と、「第１大当り遊技Ｕ」よりも少ない（予定出球数；４９９球）大当り遊技（以下、「第２大当り遊技Ｕ」という。）と、を設定している。なお、「第１大当り遊技Ｕ」としては、変則タイプ（複数の大当り動作を組み合わせたタイプ）の大当り遊技のみを設定し、「第２大当り遊技Ｕ」としては、変則タイプの大当り遊技と、基本タイプ（単一の大当り動作で構成されるタイプ）の大当り遊技とを設定している。
【０２０７】
「第１大当り遊技Ｕ」の変則タイプは、図４９に示すように、「１６Ｒ確変大当りＢ」の発生を契機として実行される。この「第１大当り遊技Ｕの変則タイプ」においては、図５０（ａ）に示すように、「第１大当りラウンド（１Ｒ）」から「第１０大当りラウンド（１０Ｒ）」までの各大当りラウンドにおいて、第２大当り動作Ｂを実行する。そして、「第１１大当りラウンド（１１Ｒ）」から「第１６大当りラウンド（１６Ｒ）」までの各大当りラウンドにおいて、第１大当り動作Ｂを実行する。この「第１大当り遊技Ｕ」においては、第２大入賞口３５ａが開放状態を維持する時間が所定時間（１１Ｒ〜６Ｒでは合計「０．４秒」、１Ｒ〜１０Ｒでは「２０秒」）となる前に、第２大入賞口３５ａへの遊技球の入賞数が「規定数（８個）」に到達すると、その大当りラウンドは終了する。なお、１１Ｒ〜１６Ｒでは、第２大入賞口３５ａに遊技球が入賞する可能性は低い。
【０２０８】
「第２大当り遊技Ｕ」の変則タイプは、図４９に示すように、「１６Ｒ確変大当りＣ」の発生を契機として実行される。この「第２大当り遊技Ｕ」の変則タイプにおいては、図５０（ｂ）に示すように、「第１大当りラウンド（１Ｒ）」から「第６大当りラウンド（６Ｒ）」までの各大当りラウンドにおいて、第２大当り動作Ｂを実行する。そして、「第７大当りラウンド（７Ｒ）」から「第１６大当りラウンド（１６Ｒ）」までの各大当りラウンドにおいて、第１大当り動作Ｂを実行する。この「第２大当り遊技Ｕ」の変則タイプにおいては、第２大入賞口３２ａが開放状態を維持する時間が所定時間（１Ｒ〜６Ｒでは合計「２０秒」、７〜１６Ｒでは合計「０．４秒」）となる前に、第２大入賞口３５ａへの遊技球の入賞数が「規定数（８個）」に到達すると、その大当りラウンドは終了する。なお、７Ｒ〜１６Ｒでは、第２大入賞口３５ａに遊技球が入賞する可能性は低い。
【０２０９】
「第２大当り遊技Ｕ」の基本タイプは、「４Ｒ確変大当りＡ」、「４Ｒ確変大当りＢ」、「４Ｒ確変大当りＣ」、「４Ｒ確変大当りＥ」、「４Ｒ通常大当りＡ」若しくは「４Ｒ通常大当りＢ」の発生を契機として実行される。この「第２大当り遊技Ｕ」の基本タイプにおいては、図５１に示すように、「第１大当りラウンド（１Ｒ）」から「第４大当りラウンド（４Ｒ）」までの各大当りラウンドにおいて、第２大当り動作Ｂを実行する。この「第２大当り遊技Ｕ」の基本タイプにおいては、第２大入賞口３２ａが開放状態を維持する時間が所定時間（１Ｒ〜４Ｒでは「２０秒」）となる前に、第２大入賞口３５ａへの遊技球の入賞数が「規定数（８個）」に到達すると、その大当りラウンドは終了する。
【０２１０】
本実施例では、図４８及び図４９に示すように、第１大入賞口３１ａを開閉して行う「大当り遊技Ｄ」として、予定賞球数が多い（予定出球数；２０３７）大当り遊技（以下、「第１大当り遊技Ｄ」という。）と、「第１大当り遊技Ｄ」よりも少ない（予定出球数；２４９球）大当り遊技（以下、「第２大当り遊技Ｄ」という。）と、を設定している。なお、「第１大当り遊技Ｄ」及び「第２大当り遊技Ｄ」としては、変則タイプの大当り遊技のみを設定しているが、基本タイプの大当り遊技（例えば、第２大当り遊技の基本タイプのように、各大当りラウンドにおいて、「大入賞装置を一回開閉するだけのラウンド遊技」を行う大当り遊技）を設定することもできる。
【０２１１】
「第１大当り遊技Ｄ」の変則タイプは、「１６Ｒ確変大当りＡ」、「１６Ｒ確変大当りＤ」、「１６Ｒ確変大当りＥ」若しくは「１６Ｒ確変大当りＦ」の発生を契機として実行される。この「第１大当り遊技Ｄ」の変則タイプにおいては、図５２（ａ）に示すように、「第１大当りラウンド（１Ｒ）」及び「第１大当りラウンド（１Ｒ）」において、第１大当り動作Ａを実行する。そして、「第３大当りラウンド（３Ｒ）」から「第１６大当りラウンド（１６Ｒ）」までの各大当りラウンドにおいて、第２大当り動作Ａを実行する。
【０２１２】
この「第１大当り遊技Ｄ」の変則タイプにおいては、図５３（ａ）に示すように、第１大入賞口３１ａが開放状態を維持する時間が所定時間（１Ｒ及び２Ｒでは合計「１０秒」、２Ｒ〜１５Ｒでは「２６秒」）となるか、図５３（ｂ）に示すように、所定時間になる前に、第１大入賞口３１ａへの遊技球の入賞数が「規定数（８個）」に到達すると、その大当りラウンドは終了する。ここで、図５４（ｂ）に示すケースは、「第２大当りラウンド（２Ｒ）」において、第１大入賞口３１ａが合計開放時間が「９．６秒」となったときに、第１大入賞口３１ａへの遊技球の入賞数が「規定数（８個）」に到達し、「第３大当りラウンド（３Ｒ）」において、第１大入賞口３１ａの合計開放時間が「２４秒」となったときに、第１大入賞口３１ａへの遊技球の入賞数が「規定数（８個）」に到達したため、各ラウンド遊技を早く終了させた場合を例示している。また、何れの大当り遊技においても、各ラウンド間のインターバル時間は原則として「２秒」とされているが、「第１大当り遊技Ｄ」の変則タイプにおいては、第２ラウンドと第３ラウンド間のインターバル時間を４４秒とし、演出期間を確保している。この点に関しては後述する。
【０２１３】
「第２大当り遊技Ｄ」は、「１６Ｒ確変大当りＨ」若しくは「１６Ｒ通常大当りＡ」の発生を契機として実行される。この「第２大当り遊技Ｄ」においては、図５２（ｂ）に示すように、「第１大当りラウンド（１Ｒ）」から「第１６大当りラウンド（１６Ｒ）」までの各大当りラウンドにおいて、第１大当り動作Ａを実行する。この「第２大当り遊技Ｄ」においては、第１大入賞口３１ａが開放状態を維持する時間が所定時間（１Ｒ〜１６Ｒは合計「１０秒」）となる前に、第１大入賞口３１ａへの遊技球の入賞数が「規定数（８個）」に到達すると、その大当りラウンドは終了する。
【０２１４】
何れの確変大当りを生じても、対応する大当り遊技を実行した後には、当否判定の結果が大当りとなる確率（第１の大当り抽選の結果が当選となる確率及び第２の大当り抽選の結果が当選となる確率）が高確率とされる。このように、当否判定の結果が大当りとなる確率が高確率とされる遊技状態が「高確率モード（高確率状態）」である。また、何れの通常大当りを生じても、対応する大当り遊技を実行した後には、当否判定の結果が大当りとなる確率（第１の大当り抽選の結果が当選となる確率と第２の大当り抽選の結果が当選となる確率）が低確率（通常確率）とされる。
【０２１５】
「４Ｒ確変大当りＣ」、「４Ｒ確変大当りＥ」及び「４Ｒ確変大当りＣ」は、所謂「潜伏確変大当り」である。但し、「４Ｒ確変大当りＣ」若しくは「４Ｒ確変大当りＥ」を開放延長手段の非作動時に生ずると、対応する大当り遊技（第２大当り遊技Ｕ）の終了後に開放延長手段及び変動時間短縮手段は非作動とされるが、開放延長手段の作動時に生ずると、対応する大当り遊技（第２大当り遊技Ｕ）の終了後に開放延長手段及び変動時間短縮手段が作動する（図７９を参照）。また、「１６Ｒ確変大当りＨ」も所謂「潜伏確変大当り」であり、この大当りを開放延長手段の非作動時に生ずると、第２大当り遊技Ｄの終了後に開放延長手段及び変動時間短縮手段は非作動とされるが、開放延長手段の作動時に生ずると、第２大当り遊技Ｕの終了後に開放延長手段及び変動時間短縮手段が作動する（図７９を参照）。
【０２１６】
ｃ−２．疑似図柄
演出表示装置２７の表示画面２７ａにおいても、第１の始動入賞装置１７ａ若しくは第２の始動入賞装置１７ｂへの入賞（始動入賞）に起因して図柄変動開始条件が成立すると、疑似図柄の変動表示（疑似図柄を用いた図柄変動演出）を開始する。そして、疑似図柄の変動表示の実行時間（変動時間）が経過すると、疑似図柄の停止表示（確定表示）が一定時間（約０．６秒間）実行される。この疑似図柄の停止表示（確定表示）は、前述の右下表示装置６０（第１の特別図柄表示部６２ａ若しくは第２の特別図柄表示部６２ｂ）による停止表示（本図柄の確定図柄）と同様に、当否判定の結果を表示するものである。
【０２１７】
演出表示装置２７の表示画面２７ａにおいては、疑似図柄の変動表示を開始する際に３つの疑似図柄表示部が出現し、各疑似図柄表示部において「疑似図柄」の変動表示（順次、変更される疑似図柄の表示）と停止表示（停止した疑似図柄の表示）がなされる。この疑似図柄の変動表示は、「１」〜「９」までの算用数字（数字図柄）と、後述するバトル演出の開始を示唆する「バ」の文字（以下、バトル図柄という）と、をこの順で表示した後、再び、「１」〜「９」までの算用数字、「アルファベットのＡの文字」及び「バ」の文字をこの順で表示することを繰り返す「循環表示」によって構成される。また、疑似図柄表示部に確定表示される確定図柄には、「外れを示す停止図柄」と、「大当りを示す停止図柄」がある。
【０２１８】
ここで、前述のように、本遊技機１においては、「大当り」として、図４８及び図４９に示すように、複数種類の大当りの各々に対応して本図柄の停止図柄（大当り図柄）を設定している。一方、図５４（ａ）に示すように、疑似図柄の停止図柄（疑似図柄を用いた大当り図柄）は以下のように定めている。つまり、「確率変動手段」及び「開放延長手段」が非作動のとき（所謂、「初当り時」）に生じた「１６Ｒ確変大当りＡ」を示す停止図柄は、表示画面２７ａに「同一の図柄」を３個並べて構成される。また、第１の始動入賞装置１７ａへの遊技球の入賞に起因して当否判定（第１の大当り抽選）が大当りであることに起因して発生した「４Ｒ確変大当りＢ」、「４Ｒ確変大当りＣ」及び「４Ｒ通常大当りＡ」を示す停止図柄は、３つの図柄のうち最後に停止される図柄（本実施例では中図柄）が「アルファベットのＡの文字」となる図柄組合せによって構成される。
【０２１９】
また、その他の大当り（以下、「バトル大当り」という。）を示す停止図柄は、３つの図柄のうち最後に停止される図柄（本実施例では中図柄）が「バトル図柄」となる図柄組合せによって構成される。更に、「外れ図柄」は、図５４（ｂ）に示すように、「バトル図柄」を除く数字図柄によって構成されるものであって、３つの疑似図柄表示部のうちの少なくとも１つに他と異なる数字図柄を表示して構成される。
【０２２０】
本実施例では、「バトル大当り」を生ずると、大当り遊技中に演出表示装置２７においてバトル演出が実行される（後述する。）。この場合、バトル演出においては、遊技者にとって味方となるキャラクタ（味方キャラクタ）と、遊技者にとって敵となるキャラクタ（敵キャラクタ）とが出現して、両キャラクタがバトル（対決）を行う演出が実行される。そして、バトル演出の結果として「味方キャラクタが勝利する場合」と「味方キャラクタが敗北する場合（敵キャラクタが勝利する場合）」とがあり、味方キャラクタが勝利する場合には、味方キャラクタが敗北する場合に比べ、後の遊技展開が遊技者にとって有利となるように構成されている。例えば、勝利パターンのバトル演出が行われると、大当り遊技の終了後に「開放延長手段が作動する確変モード」となり、敗北パターンのバトル演出が行われると、大当り遊技の終了後に「通常確率モード」となったり「潜伏確変モード」となったりする。
【０２２１】
また、本実施例では、バトル演出として３種類の演出パターンを設けている。つまり、図４８及び図４９に示すように、「１６Ｒ確変大当りＤ」、「１６Ｒ確変大当りＥ」、「１６Ｒ確変大当りＦ」、「１６Ｒ確変大当りＨ」若しくは「１６Ｒ通常大当りＡ」の発生を契機として「大当り遊技Ｄ」を開始すると、表示画面２７ａに「地上を示す背景図柄」を表示しつつバトル演出が開始される（以下、「陸上バトル」という。）。このバトル演出は、第１大当り動作Ａを実行しつつ行われ、味方キャラクタが勝利すると（「１６Ｒ確変大当りＤ」、「１６Ｒ確変大当りＥ」若しくは「１６Ｒ確変大当りＦ」の場合）、第２大当り動作Ａ（所謂「フルオープン」）が開始され、出球が多い大当り遊技（第１大当り遊技Ｄの変則タイプ）が実現される。
【０２２２】
一方、味方キャラクタが敗北すると（「１６Ｒ確変大当りＨ」若しくは「１６Ｒ通常大当りＡ」の場合）、第２大当り遊技Ｄの終了まで第１大当り動作Ａが継続され、出球が少ない大当り遊技が実現される。なお、図４８及び図４９中の「（１・勝）」及び「（１・負）」とは、バトルの勝敗が引き分けを挟むことなく、１回で得られる場合（１ターンで得られる場合）を示し、「（２・勝）」及び「（２・負）」とは、バトルの勝敗が１回の引き分けを挟んで得られる場合（２ターンで得られる場合）を示す。なお、「１６Ｒ確変大当りＨ」の発生を契機として「第２大当り遊技Ｄ」を開始した場合、第２大当り遊技Ｄの終了後に、原則として「開放延長手段が非作動の状態の高確率モード」となるが、開放延長手段の作動時に「１６Ｒ確変大当りＨ」を発生した場合には、「開放延長手段が作動した状態の高確率モード」となる。また、「陸上バトル」の詳細な説明については後述する。
【０２２３】
図４９に示すように、「１６Ｒ確変大当りＢ」若しくは「１６確変大当りＣ」の発生を契機として「大当り遊技Ｕ」を開始すると、表示画面２７ａに「海中を示す背景図柄」を表示しつつバトル演出が開始される（以下、「海中バトル」という。）。このバトル演出は、第１大当り動作Ｂを実行しつつ行われ、味方キャラクタが勝利すると（「１６Ｒ確変大当りＢ」の場合）、第２大当り動作Ｂ（所謂「フルオープン」）を１０ラウンド行うことで、出球が多い大当り遊技（第１大当り遊技Ｕの変則タイプ）が実現される。一方、味方キャラクタが敗北すると（「１６確変大当りＣ」の場合）、第２大当り動作Ｂを６ラウンドだけ行うことで、出球が少ない大当り遊技（第２大当り遊技Ｕの変則タイプ）が実現される。なお、「海中バトル」の結果が何れであっても、当該大当り遊技の終了後には、開放延長手段が作動する確変モードとなる。また、「海中バトル」の詳細な説明については省略する。
【０２２４】
図４９に示すように、「４Ｒ確変大当りＡ」若しくは「４Ｒ通常大当りＢ」の発生を契機として「大当り遊技」を開始すると、表示画面２７ａに「空中を示す背景図柄」を表示しつつバトル演出が開始される（以下、「空中バトル」という。）。このバトル演出は、第２大当り動作Ｂを実行しつつ行われ、味方キャラクタが勝利すると（「４Ｒ確変大当りＡ」の場合）、大当り遊技の終了後に「開放延長手段が作動した状態の高確率モード」となる。一方、味方キャラクタが敗北すると（「４Ｒ通常大当りＢ」の場合）、大当り遊技の終了後に、「開放延長手段が作動する低確率モード（「４Ｒ通常大当りＢ」の場合）」となる。また、「４Ｒ確変大当りＥ」の発生を契機として「大当り遊技」を開始した場合も「空中バトル」が開始される。この場合、大当り遊技の終了後に、原則として「開放延長手段が非作動の状態の高確率モード」となるが、開放延長手段の作動時に「４Ｒ確変大当りＥ」を発生した場合には、大当り遊技の終了後に「開放延長手段が作動した状態の高確率モード」となる。なお、「空中バトル」の詳細な説明については省略する。
【０２２５】
また、演出表示装置２７において、図５４（ａ）に示す大当り図柄（３個同一の図柄組合せ、アルファベット文字を含む図柄組合せを含む図柄組合せ、バトル図柄を含む図柄組合せ）を表示する場合、その前提となる変動表示の途中にリーチ表示を行う。また、演出表示装置２７において「外れ示す停止図柄」を表示する場合、その前提となる変動表示（つまり、外れ変動）の途中にリーチ表示を行わない場合（以下、「単純外れ」という。）と、リーチ表示を行う場合（以下、「リーチ外れ」という。）とがある。また、本実施例のリーチ表示は、演出表示装置２７の表示画面２７ａに表示される疑似図柄のうち２つの疑似図柄を同一図柄で停止させ、他の１つの疑似図柄を変動中とする演出表示である。
【０２２６】
（４）演出の概要
本実施例の遊技機１では、図柄変動遊技中及び大当り遊技中に、演出表示装置２７で次のような演出を行う。
【０２２７】
ａ．図柄変動遊技中の演出
第１の始動入賞装置１７ａ若しくは第２の始動入賞装置１７ｂへの遊技球の入賞（始動入賞）を生ずると、特別図柄の変動開始条件（当否判定実行条件）が成立する。これにより、対応する特別図柄表示部６２ａ、６２ｂで本図柄の変動表示（図柄変動遊技）を開始するとともに、図５５（ａ）、（ｂ）に示すように、演出表示装置２７の表示画面２７ａ（疑似図柄表示部２７ｂ〜２７ｄ）において、疑似図柄を用いた図柄変動演出を開始する。
【０２２８】
この図柄変動遊技および図柄変動演出の実行時間（変動時間）は、対応する特別図柄表示部６２ａ、６２ｂでの本図柄の変動表示開始時に決定される変動パターン（後述する。）によって異なるが、この実行時間が経過すると、何れかの特別図柄表示部６２ａ、６２ｂにおいて本図柄の停止図柄が停止表示されるとともに、表示画面２７ａにおいて疑似図柄の停止図柄が停止表示される。
【０２２９】
図柄変動遊技の結果が外れとなる場合（当否判定の結果が外れである場合）、表示画面２７ａにおいて、図５５（ａ）に示すように、「リーチ演出を伴わない外れ表示（所謂「通常外れ」）が行われるか、図５５（ｂ）に示すように、「リーチ演出を伴う外れ表示（所謂「外れリーチ」）」が行われる。
【０２３０】
ここで、リーチ表示（リーチ演出）とは、例えば、この変動表示（図柄変動遊技）の途中において、最終的に停止する図柄（以下、「最終停止図柄」という。）以外の図柄を所定の図柄で停止させ、最終停止図柄の種類によって、大当り表示がなされる可能性があることを示す演出的な表示である。例えば、複数の図柄の停止図柄がすべて同一であると大当り表示が完成する場合に、最終停止図柄以外の図柄を同一図柄で停止させた状態で「特別遊技の実行（大当りの発生）の可能性」が存在することを示す演出表示を指す。
【０２３１】
次に、図柄変動遊技の結果が大当りとなる場合（当否判定の結果が大当りである場合）について説明する。この場合も、第１の始動入賞装置１７ａ若しくは第２の始動入賞装置１７ｂへの遊技球の入賞（始動入賞）を生ずると、特別図柄の変動開始条件（当否判定実行条件）が成立する。これにより、対応する特別図柄表示部６２ａ、６２ｂで本図柄の変動表示（図柄変動遊技）を開始するとともに、図５５（ｃ）、図５６（ａ）〜（ｂ）に示すように、演出表示装置２７の表示画面２７ａ（疑似図柄表示部２７ｂ〜２７ｄ）において、疑似図柄を用いた図柄変動演出を開始する。
【０２３２】
この図柄変動遊技および図柄変動演出の実行時間（変動時間）は、対応する特別図柄表示部６２ａ、６２ｂでの本図柄の変動表示開始時に決定される変動パターンによって異なる（後述する。）が、この実行時間が経過すると、何れかの特別図柄表示部６２ａ、６２ｂにおいて本図柄の停止図柄が停止表示されるとともに、表示画面２７ａにおいて疑似図柄の停止図柄が停止表示される。
【０２３３】
ここで、疑似図柄の停止図柄として、「確率変動手段及び開放延長手段が非作動のときに生じた１６Ｒ確変大当りＡ（つまり、初当りとしての１６Ｒ確変大当りＡ）」を示す停止図柄を表示する場合には、図５５（ｃ）に示すようにリーチ演出を行った後、「３個同一の図柄を組合せた大当り図柄」が表示される。また、疑似図柄の停止図柄として、「４Ｒ確変大当りＢ」、「４Ｒ確変大当りＣ」及び「４Ｒ通常大当りＡ」の何れかを示す停止図柄を表示する場合には、図５６（ａ）に示すようにリーチ演出を行った後、「アルファベットのＡの文字からなる中図柄」を停止表示させた大当り図柄が表示される。また、「バトル大当り」を示す停止図柄を表示する場合には、図５６（ｂ）に示すようにリーチ演出を行った後、「バトル図柄を構成する中図柄」を停止表示させた大当り図柄が表示される。
【０２３４】
ｂ．大当り遊技中の演出
何れの大当りを生ずる場合においても、演出表示装置２７の表示画面２７ａにおいて、大当り開始表示（ファンファーレ表示）を行った後「大当り遊技」が開始され、その後、第１大入賞口３１ａ若しくは第２大入賞口３５ａが所定の開放パターン（所定の大当り動作）に従って開放状態となり、これに伴い表示画面２７ａにおいて「第１回目のラウンド遊技（１Ｒ）に係る演出表示」を行う。そして、「第１回目のラウンド遊技（１Ｒ）」の終了条件が成立すると、表示画面２７ａにおいてインターバル表示を行う。
【０２３５】
この後、所定のインターバル時間（つまり、待機時間の約２秒）を経て「第２回目のラウンド遊技（２Ｒ）」が開始され、第１大入賞口３１ａ若しくは第２大入賞口３５ａが所定の開放パターン（所定の大当り動作）に従って開放状態となり、これに伴い表示画面２７ａにおいて「第２回目のラウンド遊技（２Ｒ）に係る演出表示」を開始する。そして、「第２回目のラウンド遊技（２Ｒ）」の終了条件が成立すると、表示画面２７ａにおいてインターバル表示を行う。以降、同様にして「ラウンド遊技」が最終回のラウンド遊技まで「インターバル時間」及び「インターバル表示」を挟みつつ繰り返される。なお、第１大当り遊技Ｄにおいて、「第２回目のラウンド遊技（２Ｒ）」と、「第３回目のラウンド遊技（２Ｒ）」との間のインターバル時間が長時間（つまり、待機時間の約４４秒）に設定されている。
【０２３６】
そして、最終回のラウンド遊技が終了し、更に、エンディング表示が終了すると、遊技機１の遊技モードが「終了した大当り遊技の実行契機となった大当り図柄（本図柄）」に対応して定められる。つまり、「高確率短縮変動モード」、「低確率短縮変動モード」若しくは「高確率通常変動モード」の何れかに設定される。但し、演出表示装置２７の表示画面２７ａに「バトル図柄（バトル大当りを示す停止図柄）」を表示して開始された大当り遊技では、大当り演出において「遊技者にとって味方となるキャラクタ（味方キャラクタ）」と「遊技者にとって敵となるキャラクタ（敵キャラクタ）」とが出現して、両キャラクタがバトル（対決若しくは競争）を行う演出（バトル演出）が実行される。以下、このバトル演出うち、陸上バトル演出について詳細に説明する。
【０２３７】
図５７に示すように、演出表示装置２７の表示画面２７ａに「バトル図柄」が表示され、「１６Ｒ確変大当りＤ」、「１６Ｒ確変大当りＥ」、「１６Ｒ確変大当りＦ」若しくは「１６Ｒ通常大当りＡ」が発生すると（ａ１）、大当り開始表示（ファンファーレ表示）を行った後（ａ２）、遊技者に遊技球の発射を催促する表示（例えば、「ねらえ」という表示）を行う（ａ３）。このとき、第１大入賞口３１ａの下方において、後方開閉扉（左側扉９５Ｌ及び右側扉９５Ｒ）を閉状態に維持しつつ、前方開閉扉（左側扉９１Ｌ及び右側扉９１Ｒ）を開閉する演出（０．５秒の間、開放状態として閉鎖状態に戻す演出であって、以下、「前方開閉扉の開閉演出」という。）が行われる。
【０２３８】
この後、「第１大当り遊技（「第１大当り遊技Ｄの変則タイプ」若しくは「第２大当り遊技Ｄの変則タイプ」）が開始され、演出表示装置２７において「第１回目のラウンド遊技（１Ｒ）に係る演出表示」を行いつつ、陸上バトル演出を実行するとともに（ａ４〜ａ６）、第１大入賞口３１ａを第１大当り動作Ａに従って開放状態とする。このとき、演出表示装置２７では「第１回目のラウンド遊技（１Ｒ）に係る演出表示」として、味方キャラクタと敵キャラクタが対決する上述の「陸上バトル」が行われる。
【０２３９】
そして、「第１のラウンド遊技（１Ｒ）」の終了条件が成立すると、陸上バトルの結果（勝ち、負け、引き分け）の表示を行う。つまり、陸上バトル演出が前述の「２ターンタイプ」である場合には、「第１回目のラウンド遊技（１Ｒ）」を利用して、陸上バトルの結果が「引き分け」である旨の表示を行った後、陸上バトルの決着を「第２回目のラウンド遊技（２Ｒ）」以降に持ち越す。なお、この陸上バトルを「１ターンタイプ」で行う場合には、最終的に遊技者の味方のキャラクタが勝利する演出（以下、「勝ちパターンの演出」という。）のみが実行される。また、「２ターンタイプ」として行う場合には、「勝ちパターンの演出」または「最終的に遊技者の味方のキャラクタが敗北する演出（以下、「負けパターンの演出」という。）」が、発生した大当りの種類に応じて択一的に実行される（図４８、図４９を参照）。
【０２４０】
図５８に示すように、「勝ちパターンの陸上バトル」が「１ターンタイプ」として実行される場合において、「第１回目のラウンド遊技（１Ｒ）」が進行して、「第１回目のラウンド遊技（１Ｒ）」の終了条件が成立すると、味方キャラクタが敵キャラクタに勝利した旨の表示を行う（ａ７〜ａ１０）。この後、通常バージョンのインターバル演出（約２秒間のインターバル演出）を経て（ａ１１）、「第２回目のラウンド遊技（２Ｒ）に係る演出表示」を開始する（ａ１２〜ａ１４）。この「第２回目のラウンド遊技（２Ｒ）に係る演出表示」において、「味方キャラクタが勝ち誇る様子を示す表示」が、「第２のラウンド遊技（２Ｒ）」の終了条件が成立するまで継続される。
【０２４１】
「勝ちパターンの陸上バトル」が「２ターンタイプ」として実行される場合と、「負けパターンの陸上バトル」が実行される場合（必ず、２ターンタイプとして実行）においては、「第１回目のラウンド遊技（２Ｒ）に係る演出表示」を終了し、更に、通常バージョンのインターバル演出（約２秒間のインターバル演出）を実行した後、「第２回目のラウンド遊技（２Ｒ）に係る演出表示」を開始する。この「第２回目のラウンド遊技（２Ｒ）に係る演出表示」が開始されると、味方キャラクタと、敵キャラクタとがバトルを再開する。そして、「第２のラウンド遊技（２Ｒ）」の終了条件が成立すると、陸上バトル演出の決着（勝ち、負け）の表示を行う（図６３の「ｃ３」、図６９の「ｂ４」等を参照）。
【０２４２】
「負けパターンの陸上バトル」を実行する場合において、図６９に示すように、「第２のラウンド遊技（２Ｒ）」を終了すると、通常バージョンのインターバル演出（約２秒間のインターバル演出）を実行した後（ｂ５）、「第３回目のラウンド遊技（３Ｒ）に係る演出表示」を開始する（ｂ６）。この場合、「第３回目〜第１６回目の各ラウンド遊技」において、第１大当り動作Ａが実行される。
【０２４３】
図５９及び図６０に示すように、「勝ちパターンの陸上バトル（１ターンタイプのみならず、２ターンタイプであっても同様）」では、「第２回目のラウンド遊技（２Ｒ）を終了すると、ロングバージョンの（約４４秒間のインターバル演出）を実行した後、「第３回目のラウンド遊技（３Ｒ）に係る演出表示」を開始する（ａ１５〜ａ１８）。この場合、「第３回目〜第１６回目の各ラウンド遊技」において第２大当り動作Ａが実行される。
【０２４４】
この陸上バトルと同時進行で、演出用開閉扉装置を用いて以下のような演出が行われる。つまり、第１大入賞口３１ａを第１大当り動作Ａに従って開放状態としたときに、第１大入賞口３１ａに入球した遊技球の数に応じて、前方開閉扉ユニット９０を駆動する演出を行う。
【０２４５】
具体的には、陸上バトル（勝ちパターン、負けパターン）を実行している場合においては、第１大入賞口３１ａを第１大当り動作Ａに従って開放状態としたときに、「第１特定数」及び「第２特定数」以外の数（第１特定数未満の数等）の遊技球が第１大入賞口３１ａに入球しても、図６１（ａ）に示すように、左側扉９１Ｌ及び右側扉９１Ｒの位置を閉状態位置に維持される。一方、第１大入賞口３１ａを第１大当り動作Ａに従って開放状態としたときに、「第１特定数」の遊技球が第１大入賞口３１ａに入球すると、図６１（ｂ）に示すように、第１モータ９２ｃ及び第２モータ９２ｄを駆動して、左側扉９１Ｌ及び右側扉９１Ｒの位置を閉状態位置から半開状態位置（全開放位置に比べて、開放量が約半分となる開放状態位置）に変更した後、左側扉９１Ｌ及び右側扉９１Ｒの位置を閉状態位置に戻す演出動作（以下、「演出動作Ａ」という。）を行う。
【０２４６】
第１大入賞口３１ａを第１大当り動作Ａに従って開放状態としたときに、「第１特定数よりも多い第２特定数」の遊技球が第１大入賞口３１ａに入球すると、図６２（ａ）に示すように、第１モータ９２ｃ及び第２モータ９２ｄを駆動して、左側扉９１Ｌ及び右側扉９１Ｒの位置を閉状態位置から開状態位置（全開放位置）に変更するとともに、ＬＥＤランプ４Ｋの発光を開始する。これにより、遊技者に対して、演出表示装置２７を用いて「ボーナス遊技が開始される旨の表示」を視認させるとともに、レンズ９５Ｖ、９５Ｗの表面に強調表示される図柄（本実施例では、「極」の文字）を視認させて、これから「第２大当り動作Ａ（所謂「フルオープン」）」が開始されることを報知する。この「第２特定数」は、「特別演出実行個数」の具体例を構成するとともに、第１大入賞口３１ａへの遊技球の入球状況に応じて、限度個数（規定数の「８個」）を超えない範囲で設定される。なお、「第２特定数」の設定態様等に関しては後述する。
【０２４７】
また、陸上バトルの勝ちパターンを実行しているとき（第１大当り遊技Ｕの変則タイプを実行しているとき）、第３回目以降のラウンド遊技を開始するタイミングで、図６２（ｂ）に示すように、前方開閉扉（左側扉９１Ｌ、右側扉９１Ｒ）及び後方開閉扉（左側扉９５Ｌ、右側扉９５Ｒ）を開状態とする演出（以下、「演出動作Ｃ」という。）を開始する。そして、当該第３回目以降の各ラウンド遊技を終了するタイミングとなったところで、前方開閉扉（左側扉９１Ｌ、右側扉９１Ｒ）及び後方開閉扉（左側扉９５Ｌ、右側扉９５Ｒ）を閉状態に戻し、「演出動作Ｃ」を終了する（図６０の「ａ１９〜ａ２１」を参照）。
【０２４８】
ところで、図５７〜図６０は、「勝ちパターンの陸上バトル（１ターンタイプ）」を実行している場合においては、「第１回目のラウンド遊技（１Ｒ）」で、第２特定数の遊技球を第１大入賞口３１ａに入球させることに成功したケースを示している（ａ１０）。この場合、「第２回目のラウンド遊技（２Ｒ）」の終了後の特定時間（本実施例では「４秒」）を経過するまでの間、左側扉９１Ｌ及び右側扉９１Ｒの位置は開状態位置（全開放位置）に維持される（ａ１６）。
【０２４９】
なお、図示を省略するが、本実施例では、「勝ちパターンの陸上バトル（２ターンタイプ）」を実行している場合においても、「第１回目のラウンド遊技（１Ｒ）」で、第２特定数の遊技球を第１大入賞口３１ａに入球させることに成功した場合には、その時点で、左側扉９１Ｌ及び右側扉９１Ｒの位置は開状態位置（全開放位置）に変更される。そして、この変更された位置は、「第２回目のラウンド遊技（２Ｒ）」の終了後の特定時間（本実施例では「４秒」）を経過するまでの間、維持される。但し、「勝ちパターンの陸上バトル（２ターンタイプ）」を実行している場合において、「第１回目のラウンド遊技（１Ｒ）」で、第２特定数の遊技球を第１大入賞口３１ａに入球させることに成功した場合には、「第２回目のラウンド遊技（２Ｒ）」を開始した後に、左側扉９１Ｌ及び右側扉９１Ｒの位置は開状態位置（全開放位置）に変更することとしてもよい。
【０２５０】
図６３は、「勝ちパターンの陸上バトル（２ターンタイプ）」を実行している場合において、第２特定数の遊技球を第１大入賞口３１ａに入球させることに、「第１回目のラウンド遊技（１Ｒ）」では失敗したが「第２回目のラウンド遊技（１Ｒ）」で成功したケースを示している（ｃ３）。この場合も、「第２回目のラウンド遊技（２Ｒ）」の終了後の特定時間（本実施例では「４秒」）を経過するまでの間、左側扉９１Ｌ及び右側扉９１Ｒの位置は開状態位置（全開放位置）に維持される。なお、図示を省略するが、本実施例では、「勝ちパターンの陸上バトル（１ターンタイプ）」を実行している場合においても、第２特定数の遊技球を第１大入賞口３１ａに入球させることに、「第１回目のラウンド遊技（１Ｒ）」では失敗したが「第２回目のラウンド遊技（１Ｒ）」で成功したケースにおいても、成功した時点で左側扉９１Ｌ及び右側扉９１Ｒの位置が開状態位置（全開放位置）に変更される。この場合も、「第２回目のラウンド遊技（２Ｒ）」の終了後の特定時間（本実施例では「４秒」）を経過するまでの間、左側扉９１Ｌ及び右側扉９１Ｒの位置は開状態位置（全開放位置）に維持される。
【０２５１】
第２特定数の遊技球を第１大入賞口３１ａに入球させることに、「第１回目のラウンド遊技（１Ｒ）」と、「第２回目のラウンド遊技（１Ｒ）」とのうちの何れかにおいて成功すると、「第２回目のラウンド遊技（２Ｒ）」を終了後のインターバル演出を開始してから特定時間（本実施例では「４秒」）を経過したところで、左側扉９１Ｌ及び右側扉９１Ｒの位置が閉状態位置に戻され、ＬＥＤランプ４Ｋの発光を停止する。このとき、表示画面２７ａにおいてボーナス確定なる表示がなされる（ａ１７）。この後、「第３回目のラウンド遊技（３Ｒ）」を開始するまでの時間（４０秒）を用い、表示画面２７ａにおいて継続演出が実行される（ａ１８）。
【０２５２】
図６６に示すように、第２特定数の遊技球を第１大入賞口３１ａに入球させることに、「第１回目のラウンド遊技（１Ｒ）」若しくは「第２回目のラウンド遊技（１Ｒ）」において成功すると（図中の矢印Ａは、成功した時点を示す。）、前方開閉扉ユニット９０は、直ちに、演出動作Ｂを開始する。一方、第２特定数の遊技球を第１大入賞口３１ａに入球させることに、「第１回目のラウンド遊技（１Ｒ）」と、「第２回目のラウンド遊技（１Ｒ）」とのうちの何れにおいても失敗すると、図６４、図６５、図６７、図６８に示すように、「第２回目のラウンド遊技（２Ｒ）」を終了後のインターバル演出を開始してから第１所定時間（本実施例では「１秒」）を経過したところで、表示画面２７ａにおいて「演出ボタンＳＷの操作を催促する表示（以下、「ボタン表示」という。）がなされる（ｄ２）。
【０２５３】
その後、第２所定時間（本実施例では「１．５秒」）以内に、遊技者が演出ボタンＳＷを操作すると（図６４の「ｄ３」）、直ちに（図６７中のＣ１−Ｃ１に示す時点で）、前方開閉扉ユニット９０は演出動作Ｂを開始する。一方、第２所定時間以内に、遊技者が演出ボタンＳＷを操作しないと（図６５の「ｅ３」）、第２所定時間の経過時に前方開閉扉ユニット９０は演出動作Ｂを開始する（ｅ５）。
【０２５４】
演出ボタンＳＷを操作した場合と、操作しない場合の何れにおいても、「第２回目のラウンド遊技（２Ｒ）」を終了後のインターバル演出を開始してから特定時間（本実施例では「４秒」）を経過したところで、左側扉９１Ｌ及び右側扉９１Ｒの位置が閉状態位置に戻され、ＬＥＤランプ４Ｋの発光を停止する。この場合も、表示画面２７ａにおいてボーナス確定なる表示がなされる（ｄ５、ｅ５）。この後、「第３回目のラウンド遊技（３Ｒ）」を開始するまでの時間（４０秒）を用い、表示画面２７ａにおいて継続演出が実行される（ｄ６、ｅ６）。
【０２５５】
図６９は、「負けパターンの陸上バトル」を実行している場合において、第１特定数の遊技球を第１大入賞口３１ａに入球させた後、限度個数（８個）の遊技球を第１大入賞口３１ａに入球させた場合を示している。この場合も、「限度個数よりも少ない第１特定数」の遊技球を第１大入賞口３１ａに入球させたときに、前方開閉扉ユニット９０は演出動作Ａを実行するが（ｂ１）、限度個数（８個）を第１大入賞口３１ａに入球させたときには、左側扉９１Ｌ及び右側扉９１Ｒの位置を閉状態位置に維持される（ｂ２）。ここで、第１特定数の遊技球を第１大入賞口３１ａに入球させたときに行われる「演出動作Ａ」は、「煽り演出」の具体例を構成する。
【０２５６】
この「負けパターンの陸上バトル」を実行する場合、「第２回目のラウンド遊技（２Ｒ）」の終了条件が成立すると、通常バージョンのインターバル演出（約２秒間のインターバル演出）を経て、「第３回目のラウンド遊技（３Ｒ）」を開始する。そして、「第３回目〜第１６回目の各ラウンド遊技」において、第１大当り動作Ａが実行される。
【０２５７】
（５）コマンドの送信
本実施例の遊技機１は、前述の「変動演出表示（図柄変動演出表示）」等を実現するために種々の制御を行っている。この制御を実行する際に、主制御部２００Ａ（主制御基板２００）からサブ制御部２２０Ａ（サブ制御基板２２０）に向かって、種々のコマンドが送信される。次に、このコマンドが送信される様子について、図７０（ａ）の模式図を用いて説明する。
【０２５８】
主制御部２００Ａとサブ制御部２２０Ａとは、９ビット幅のパラレル信号ケーブルで接続されている。このうちの１ビット分はストローブ信号の出力用に割り当てられており、残りの８ビット分がコマンド出力用に割り当てられている。そして、主制御部２００Ａからサブ制御部２２０Ａにコマンドを出力する際には、先ず初めに、コマンド出力用に割り当てられた８ビット幅の信号ケーブルに８ビット分のコマンドデータが出力され、続いて１ビットのストローブ信号が出力される。また、サブ制御部２２０Ａは、ストローブ信号の立ち上がりのタイミングでコマンドデータを読み取ることにより、主制御部２００Ａから送信されたコマンドを確実に読み取ることができる。
【０２５９】
ここで、主制御部２００Ａ（主制御基板２００）からサブ制御部２２０Ａ（サブ制御基板２２０）に出力されるコマンドとしては、例えば、図７０（ｂ）に図示したものを例示できる。つまり、（Ａ）変動パターン指定コマンド（以下、「ＣＨＰ」と表記することがある。）、（Ｂ）特別図柄停止情報指定コマンド（以下、「ＣＪＳ」と表記することがある。）等がある。尚、変動パターン指定コマンドは変動パターンを指定するコマンドであり、始動入賞時に使用している変動パターンテーブルに応じて、通常変動用の変動パターン（後述する。）及び短縮変動用の変動パターン（後述する。）のうちの何れかが特定される。そして、変動パターン指定コマンドは、疑似図柄の変動を開始させるとともに、疑似図柄の変動時間を指定するコマンドでもある。
【０２６０】
（６）主制御部２００Ａによる遊技制御の概要
図７１は、主制御基板２００に搭載されたＣＰＵ２０１が実行する遊技制御処理の大まかな流れを示すフローチャートである。この遊技制御処理では、賞球払出処理（Ｓ８０）、普通図柄遊技処理（Ｓ１００）、普通電動役物遊技処理（Ｓ２００）、特別図柄遊技処理（Ｓ３００）、大当り遊技処理（Ｓ６００）、大当り動作開始コマンド出力処理（Ｓ８００）、大当り動作終了コマンド出力処理（Ｓ８５０）、入球コマンド出力処理（Ｓ９００）等の各処理が繰り返し実行されている。尚、本実施例の主制御基板２００に搭載されたＣＰＵ２０１は、電源投入後、４ｍｓｅｃ周期のタイマ割込みが発生する毎に、図７１のＳ８０〜Ｓ９００の処理を実行するように構成されている。つまり、図７１のＳ８０〜Ｓ９００の処理は、４ｍｓｅｃ毎に繰り返し実行される。そして、遊技制御処理を構成する各処理の中で、サブ制御基板２２０を初めとする各種制御基板に向けて各種の信号を送信する。こうすることにより、遊技機１全体の遊技が進行することになる。以下、図７１のフローチャートに従って、遊技制御処理について説明する。
【０２６１】
Ａ．賞球払出処理（Ｓ８０）
主制御基板２００に搭載されたＣＰＵ２０１は、遊技球を賞球として払い出す処理（賞球払出処理）を行う（Ｓ８０）。すなわち、始動口入賞検出スイッチ１７ｓ、１７ｔ若しくは一般入賞検出スイッチ４０ｓ、４１ｓ、４３ｓ、４４ｓの状態を検出して遊技球が入球したか否かを判断する。そして、遊技球が入球していた場合は、この情報を、主制御基板２００に搭載されているＲＡＭ２０２の所定領域に記憶する。そして、ＲＡＭ２０２上に記憶されている情報に基づいて、賞球の払出信号を払出制御基板２４０に向かって出力する。また、ＲＡＭ２０２上に、始動口入賞検出スイッチ１７ｓ等への入賞情報が既に記憶されていた場合には、先に記憶されていた情報を含めて適切な払出個数を指定して、払出信号を出力する。
【０２６２】
主制御部２００Ａから払出制御部２４０Ａへ払出信号を出力するに際しては、先ず、払出制御部２４０Ａ（払出制御基板２４０）に向かってストローブ信号を出力し、続いて信号データを出力する。これに対して、払出制御部２４０Ａを構成する払出制御基板２４０に搭載されたＣＰＵは、払出信号を受け取ると信号の内容を解釈し、賞球払出装置１０９に搭載された払出モータ１０９ｍに駆動信号を出力して賞球の払い出しを行う。そして、賞球払出装置１０９には、払い出された遊技球を検出する２つの払出スイッチ（前側払出スイッチ１０９ａ、後側払出スイッチ１０９ｂ）が設けられているので、これらスイッチで遊技球を１球ずつ検出しながら、払出信号で指定された個数の賞球を払い出す処理を行う。
【０２６３】
Ｂ．普通図柄遊技処理（Ｓ１００）
普通図柄遊技処理（Ｓ１００）が開始されると、普通図柄表示部６３において普通図柄の変動表示を開始させる。そして、ＣＰＵ２０１は、図７１の遊技制御処理を繰り返し行ううちに、普通図柄の変動表示の実行時間が経過したと判断すると、普通図柄の停止図柄の停止表示を行う。更に、ＣＰＵ２０１は、図７１の遊技制御処理を繰り返し行ううちに、この停止図柄の停止表示時間（例えば、０．５秒）」が経過したと判断すると、停止図柄が普通電動役物１７ｄを作動させる図柄（普通図柄の当り図柄）であるのか、或いは、作動させる図柄でないのか（普通図柄の外れ図柄）を判断する。
【０２６４】
そして、停止図柄が普通電動役物１７ｄを作動させる図柄（普通図柄の当り図柄）である場合、普通電動役物開放延長機能が作動しているか否か（つまり、開放延長手段が作動中であるか否か）が判断され、開放延長手段が作動中である場合、普通電動役物１７ｄの開放時間を「開放延長機能作動時における開放時間（例えば、前述の５秒）」に設定した後、普通図柄遊技処理（Ｓ１００）を終了して、図７１の遊技制御処理に復帰する。一方、開放延長手段が作動中でない場合、普通電動役物１７ｄの開放時間を「開放延長機能未作動時における開放時間（例えば、前述の０．２秒）」に設定した後、普通図柄遊技処理を終了して、図７１の遊技制御処理に復帰する。
【０２６５】
なお、ＣＰＵ２０１は、普通電動役物１７ｄが作動中でなく、普通図柄表示部６３において普通図柄の変動表示を実行中でなく、しかも普通図柄の停止表示を実行中でなく、更に、普通図柄に関する保留数が「０」でないと判断する場合、普通図柄の変動表示を開始させる。また、普通図柄に関する保留数は、普通図柄作動ゲート１６を遊技球が通過するとともに、普通図柄に関する保留数が所定数（本実施例では、４個）未満である場合に「＋１」され、普通図柄の変動表示を開始する度に「−１」される。
【０２６６】
Ｃ．普通電動役物遊技処理（Ｓ２００）
図７２は、普通電動役物遊技処理の概要を示すフロー図であり、ＣＰＵ２０１が図７２の遊技制御処理を行う中で、普通電動役物遊技処理が起動されると、普通電動役物１７ｄが作動中であるか否か（第２の始動入賞装置１７ｂが開放状態であるか否か）が判断される。そして、作動中である（第２の始動入賞装置１７ｂが開放状態である）と判断すると（Ｓ２０１；ＹＥＳ）、普通電動役物１７ｄの作動時間（第２の始動入賞装置１７ｂを開放状態に維持する所定時間であって、開放延長モードでは５秒、通常開放モードでは０．２秒）が経過したか否かを判断する（Ｓ２０２）。そして、作動時間（開放時間）が所定時間を経過したと判断すると（Ｓ２０２；ＹＥＳ）、普通電動役物１７ｄの作動を停止させることで開放状態にある第２の始動入賞装置１７ｂを閉鎖状態とし（Ｓ２０６）、普通電動役物遊技処理を終了させる。
【０２６７】
但し、ＣＰＵ２０１が、普通電動役物１７ｄ（第２の始動入賞装置１７ｂ）の開放中に、第２の始動入賞装置１７ｂに規定数（例えば、８個）の遊技球が入球したと判断すると、前述の作動時間（開放時間）が所定時間に達していない場合でも、普通電動役物１７ｄの作動を停止させ（Ｓ２０６）、普通電動役物遊技処理を終了させる。また、本遊技機１では普通電動役物１７ｄが作動すると、内部に設けられた普通電動役物ソレノイド１７ｃが駆動され、普通電動役物１７ｄを構成する第２の始動入賞部１７ｂの一対の翼片部が外側に回動して、第２の始動入賞部１７ｂが開放状態となる。
【０２６８】
Ｄ．特別図柄遊技処理（Ｓ３００）
次に、図７３〜図７７を用いて特別図柄遊技処理の概要を説明する。この特別図柄遊技処理が起動されると、図７３に示すように、先ず、第１の始動入賞装置１７ａ若しくは第２の始動入賞装置１７ｂに遊技球が入賞したか否かが判断される（Ｓ３０２ａ、Ｓ３０２ｂ）。そして、Ｓ３０２ａの処理及びＳ３０２ｂの処理において否定的な判断（遊技球が入賞していないとの判断）がなされる場合（Ｓ３０２ａ；ＮＯ、Ｓ３０２ｂ；ＮＯ）、そのまま図７４に示すＳ３０８以降の処理に移行する。
【０２６９】
一方、第１の始動入賞装置１７ａに遊技球が入賞したと判断されると（Ｓ３０２ａ；ＹＥＳ）、「第１の始動入賞装置１７に対応する特別図柄の保留数」が所定個数未満（本実施例は、４個未満）であるか否かが判断される（Ｓ３０４ａ）。このＳ３０４ａの処理において、所定個数未満と判断されると（Ｓ３０４ａ；ＹＥＳ）、第１の始動入賞装置１７ａへの入賞に関連する判定用乱数（抽選用乱数）を取得し、この判定用乱数（抽選用乱数）が主制御基板２００に搭載されたＲＡＭ２０２の所定アドレスに記憶されるとともに、「第１の始動入賞装置１７ａに対応する特別図柄の保留数」が「＋１」される（Ｓ３０６ａ）。
【０２７０】
ここで、本実施例の遊技機１は、始動入賞装置として、第１の始動入賞装置１７ａと、第２の始動入賞装置１７ｂとを備えるとともに、第１の始動入賞装置１７ａに対応する特別図柄（第１の特別図柄。以下、「特図１」ともいう。）と、第２の始動入賞装置１７ｂに対応する特別図柄（第２の特別図柄。以下、「特図２」ともいう。）とを備える。そして、第１の始動入賞装置１７ａへの始動入賞に基づく判定用乱数と、第２の始動入賞装置１７ｂへの始動入賞に基づく判定用乱数とが記憶された状況の下では、後者が優先的に処理される（後述する。）。
【０２７１】
また、ＣＰＵ２０１によって行われる処理のうちで、「第１の始動入賞装置１７ａに遊技球が入賞することに起因して実行される各処理（以下、特図１に関する処理という。）」と、「第２の始動入賞装置１７ｂに遊技球が入賞することに起因して実行する各処理（以下、特図２に関する処理という。）」のうちで、同様な処理に関して、図７３〜図７７においては、同一のステップ数（算用数字）を付している。そして、この同一のステップ数を付した処理は基本的には同一の処理であるため、以下の説明においては、「特図１に関する処理」及び「特図２に関する処理」のうちの一方を説明し、他方の説明を省略することがある。なお、「特図１に関する処理」については「ステップ数」にアルファベットの「ａ」を付し、「特図２に関する処理」について「ステップ数」にアルファベットの「ｂ」を付して区別することがある。
【０２７２】
Ｓ３０６ａの処理において取得される判定用乱数（抽選用乱数）としては、（ａ）第１の始動入賞装置１７ａへの遊技球の入賞に起因して実行される大当り抽選（以下、「特図１大当り抽選」という。）に際して用いる抽選用乱数（以下、「特図１大当り抽選乱数」という。）、（ｂ）第１の特別図柄表示部６２ａに停止表示される図柄を決定するための決定用乱数（以下、「特図１図柄決定乱数」という。）、（ｃ）演出表示装置２７の表示面２７ａにおいて実行される疑似図柄の変動表示においてリーチ表示を行うか否かを決定するためのリーチ乱数、などがある。なお、本実施例と異なり、第１の始動入賞装置１７ａへの遊技球の入賞に起因して小当り抽選（以下、「特図１小当り抽選」という。）を行う場合、Ｓ３０６ａの処理において取得される判定用乱数（抽選用乱数）には、「特図１小当り抽選」に際して用いる抽選用乱数（以下、「特図１小当り抽選乱数」という。）が含まれる。
【０２７３】
また、第２の始動入賞装置１７ｂに遊技球が入賞したと判断されると（Ｓ３０２ｂ；ＹＥＳ）、「第２の始動入賞装置１７ｄに対応する特別図柄の保留数」が所定個数未満（本実施例は、４個未満）であるか否かが判断される（Ｓ３０４ｂ）。このＳ３０４ｂの処理において、所定個数未満と判断されると（Ｓ３０４ｂ；ＹＥＳ）、第２の始動入賞装置１７ｂに関連する判定用乱数（抽選用乱数）を取得し、この判定用乱数（抽選用乱数）が主制御基板２００に搭載されたＲＡＭ２０２の所定アドレスに記憶されるとともに、「第２の始動入賞装置１７ｂに対応する特別図柄の保留数」が「＋１」される（Ｓ３０６ｂ）。この後、Ｓ３０８以降の処理に移行する。
【０２７４】
Ｓ３０６ｂの処理において取得される判定用乱数（抽選用乱数）としては、（ａ）第２の始動入賞装置１７ｂへの遊技球の入賞に起因して実行される大当り抽選（以下、「特図２大当り抽選」という。）に際して用いる抽選用乱数（以下、「特図２大当り抽選乱数」という。）、（ｂ）第２の特別図柄表示部６２ｂに停止表示される図柄を決定するための決定用乱数（以下、「特図２図柄決定乱数」という。）、（ｃ）演出表示装置２７の表示面２７ａにおいて実行される疑似図柄の変動表示においてリーチ表示を行うか否かを決定するためのリーチ乱数、などがある。なお、本実施例と異なり、第２の始動入賞装置１７ｂへの遊技球の入賞に起因して小当り抽選（以下、「特図２小当り抽選」という。）を行う場合、Ｓ３０６ｂの処理において取得される判定用乱数（抽選用乱数）には、「特図２小当り抽選」に際して用いる抽選用乱数（以下、「特図２小当り抽選乱数」という。）が含まれる。
【０２７５】
Ｓ３０８の処理では、図７４に示すように、大当り遊技を実行しているか否かが判断される（Ｓ３０８）。具体的には、大当り遊技フラグ（図７５のＳ３７８の処理を参照）がセット（ＯＮに設定）されていると、Ｓ３０８の処理において肯定的な判断がなされる。なお、大当り遊技フラグは「大当り遊技実行手段（制御プログラムであって、ＲＯＭ２０３に格納されている。）」が作動中であることを示すものである。
【０２７６】
ＣＰＵ２０１は、大当り遊技を実行中であると判断すると（Ｓ３０８；ＹＥＳ）、特別図柄遊技処理を終了して、図７１の遊技制御処理に復帰する。一方、Ｓ３０８の処理で、大当り遊技を実行中でないと判断すると（Ｓ３０８；ＮＯ）、特別図柄が変動中か否か、つまり、第１の特別図柄及び第２の特別図柄のうちの何れかが変動中であるか否かを判断する（Ｓ３１０）。そして、特別図柄が変動中でない場合は（Ｓ３１０；ＮＯ）、特別図柄が未だ変動していないか、若しくは変動表示後に停止図柄で停止表示されているかの、いずれかであると考えられる。そこで、特別図柄の停止図柄を表示させる停止表示時間中（本実施例では、この停止表示時間を０．６秒とする。）であるか否かを判断する（Ｓ３１２）。そして、特別図柄が変動表示されておらず（Ｓ３１０；ＮＯ）、且つ、特別図柄の停止図柄を表示している停止表示時間中でもない場合は（Ｓ３１２；ＮＯ）、変動表示を開始できるか否かを判断する（Ｓ３１４ａ、Ｓ３１４ｂ）。
【０２７７】
この「特別図柄の変動表示を開始できる条件」は「第１の特別図柄に関する保留数」と、「第２の特別図柄に関する保留数」とのうちの何れかが「ゼロ」でないことであるが、本実施例のＣＰＵ２０１は、「第２の特別図柄に関する保留数」が「ゼロ」であるか否かを優先して判断する（Ｓ３１４ｂ）。つまり、「第２の特別図柄に関する保留数」が「ゼロ」でない場合、ＲＡＭ２０２の所定アドレスから、最も古い判定用乱数（Ｓ３０６ｂで取得したもので、特図２大当り抽選乱数）を読み出し（Ｓ３１６ｂ）、第２の特別図柄に関する当否判定処理（特図２当否判定処理）を行う（Ｓ３２０ｂ）。
【０２７８】
この特図２当否判定処理（Ｓ３２０ｂ）においては、図７６に示すように、大当り抽選に関する処理（第２の大当り抽選に関する処理）を行う。つまり、遊技機１の遊技モードが高確率モードであるか否かが判断され（Ｓ３２２）、高確率モードであるときには（Ｓ３２２；ＹＥＳ）、「高確率用のデータテーブル」と「Ｓ３１６ｂの処理で読み出した特図２大当り抽選乱数」とを用いて当否判定が行われ（Ｓ３２４）、遊技機１の遊技モードが低確率モード（通常確率モード）であるときには（Ｓ３２２；ＮＯ）、「低確率用のデータテーブル」と「Ｓ３１６ｂの処理で読み出した特図２大当り抽選乱数」とを用いて当否判定が行われる（Ｓ３２６）。尚、高確率モードにおいては、「特別図柄及び普通図柄の変動時間を通常に比べて短くする変動短縮機能を作動させ、かつ第２の始動入賞装置１７ｂ（普通電動役物）の開放延長機能を作動させる場合」と、「変動短縮機能及び開放延長機能を作動させない場合」がある（後述する。）。
【０２７９】
Ｓ３２４またはＳ３２６の処理で行われる当否判定の結果が大当りである場合（Ｓ３３０；ＹＥＳ）、大当りフラグをセット（ＯＮに設定）した後（Ｓ３３２）、当否判定処理（Ｓ３２０ｂ）を終了し、「第２の特別図柄に関する変動開始処理（以下、特図２図柄変動開始処理という。）」に移行する（図７４のＳ５００ｂ）。また、当否判定の結果が外れである場合（Ｓ３３０；ＮＯ）、「外れフラグ（大当りを生じなかったことを示すフラグ）をセット（ＯＮに設定）した後（Ｓ３３９）、当否判定処理（Ｓ３２０ｂ）を終了し、特図２図柄変動開始処理に移行する（Ｓ５００ｂ）。なお、第１の始動入賞装置１７ａへの遊技球の入賞に起因して実行される「第１の特別図柄に関する当否判定処理（Ｓ３２０ａ）」も、最も古い判定用乱数（Ｓ３０６ａで取得したもので、特図１大当り抽選乱数）を読み出して（Ｓ３１６ａ）、図７６に従って同様に行われる。
【０２８０】
特図２図柄変動開始処理（Ｓ５００ｂ）においては、図７７に示すように、先ず、当否判定処理（Ｓ３２０ｂ）の結果を下に、変動設定処理（Ｓ５１０、Ｓ５４０）等を行う。すなわち、Ｓ５０２の処理にて、当否判定処理（Ｓ３２０）の結果が「大当り」であると判断されると（Ｓ５０２；ＹＥＳ）、Ｓ５１０に移行して「大当り変動設定処理」を行う。この大当り変動設定処理（Ｓ５１０）では、Ｓ３０６ｂの処理（図７３を参照）において取得した図柄決定乱数を読み出して、第２の特別図柄表示部６２ｂ（後述する特図１図柄変動開始処理（Ｓ５００ａ）においては、第１の特別図柄表示部６２ａ）に停止表示される図柄（大当り図柄）を設定（決定）した後、「決定された大当り図柄の態様と、遊技機１の遊技状態（遊技モード）とを考慮して選択される変動パターンテーブル」を用いて、乱数抽選によって変動パターンを設定（決定）する処理を行う。
【０２８１】
一方、Ｓ５０２の処理にて、当否判定処理（Ｓ３２０）の結果が「大当り」でないと判断されると（Ｓ５０２；ＮＯ）、Ｓ５４０に移行して「外れ変動設定処理」を行う。この外れ変動設定処理（Ｓ５４０）では、「遊技機１の遊技状態（遊技モード）と、リーチ演出の実行の有無とを考慮して選択される変動パターンテーブル」を用いて、乱数抽選によって変動パターンを設定（決定）する処理を行う。この後、図柄決定乱数を取得し、停止図柄を設定する処理を行う。なお、リーチ演出の実行の有無は、Ｓ３０６ｂの処理（図７３を参照）において取得したリーチ乱数を読み出し、この読み出したリーチ乱数に基づいて決定される。
【０２８２】
なお、本実施例において、「短縮変動モード（時短モード）」とは、変動時間短縮機能（時短機能）が作動している状態を指すもので、開放延長手段が作動する遊技モード、すなわち、「高確率開放延長モード（高確率短縮変動モード）」及び「通常確率開放延長モード（通常確率短縮変動モード）」において変動時間短縮機能（時短機能）が作動する。よって、本実施例の説明では、「短縮変動モード（時短モード）」を「開放延長モード」と読み替えることができる。また、Ｓ５１０若しくはＳ５４０で選択される変動パターンテーブルには、多数の変動パターン（例えば、２０種、５０種、１００種）が記憶されている。そして、当否判定の結果が「外れ」である場合において、「短縮変動モードの設定時に特定される変動時間」は、「短縮変動モードの非設定時に特定される変動時間」に比べて短くされる可能性が高い。また、本実施例では、当否判定の結果が「外れ」である場合、特別図柄の保留数が考慮される。つまり、特別図柄の保留数が更に考慮され、保留数が少ない場合（例えば、変動パターン決定時の保留数が「１」の場合）には、長めの変動時間を特定する変動パターンが選択され、保留数が多い場合（例えば、変動パターン決定時の保留数が「３」〜「４」の場合）には、短めの変動時間を特定する変動パターンが選択される傾向にある。また、リーチ表示を行わないと判断される場合に選択される変動パターンで特定される変動時間は、リーチ表示を行うと判断される場合に選択される変動パターンで特定される変動時間に比べて短くされる傾向にある。なお、各「変動パターンテーブル」は、主制御基板２００に搭載されたＲＯＭ２０３に予め設定されている。
【０２８３】
このＳ５１０若しくはＳ５４０の処理の後、ＣＰＵ２０１は第２の特別図柄表示部６２ｂにて特別図柄（特図２）の変動を開始する（Ｓ５９０）とともに、サブ制御部２００Ａ（サブ制御基板２２０）に向かって図柄変動の開始を示す所定のコマンド（図柄変動開始時コマンド）を送信する（Ｓ５９２）。つまり、主制御基板２００のＣＰＵ２０１は、サブ制御基板２２０に向かって第２の特別図柄に係る「変動パターン指定コマンド（変動パターンを指定するコマンド）」、「特別図柄停止情報指定コマンド」などを送信する。更に、ＣＰＵ２０１は、第２の特別図柄に係る「特別図柄の保留数」を「１」減算する処理と、減算された後の保留数を特定するためのコマンドをサブ制御基板２２０に送信する処理とを行った後（Ｓ５９５）、図柄変動開始処理（Ｓ５００ｂ）を終了し、更に特別図柄遊技処理（Ｓ３００）を終了して、図７１の遊技制御処理に復帰する。
【０２８４】
ここで、変動パターン指定コマンド及び特別図柄停止情報指定コマンドは、図７０に示したように、ストローブ信号とともにサブ制御基板２２０に向かって出力される。このストローブ信号は、サブ制御基板２２０に搭載されたＣＰＵ２２０ａの割り込み端子に接続されており、サブ制御基板２２０側のＣＰＵ２２０ａは、ストローブ信号が入力されると直ちに各指定信号を受け取って、指定信号の内容を解析する。詳細な説明は省略するが、変動パターンは、リーチ演出を行うか否か、特別図柄を停止表示させる図柄が当り図柄（大当り図柄）であるか否か等の種々の条件を考慮して決定されており、変動パターンが分かれば、特別図柄が変動表示する時間を決定することができる。また、特別図柄停止情報指定コマンドを解析すれば、特別図柄が大当り図柄で停止するのか外れ図柄で停止するのか、更には大当り図柄で停止する場合、その大当り図柄が何れであるか（図４８に示す大当りの種類、後述する特図１図柄変動開始処理（Ｓ５００ａ）においては図４９に示す大当りの種類）を知ることができる。
【０２８５】
サブ制御基板２２０に搭載されたＣＰＵ２２０ａは、これらの情報に基づいて、演出表示装置２７での演出態様を決定した後、演出表示制御基板２２２に対して疑似図柄の表示制御信号を出力し、疑似図柄の変動表示や停止表示等を行う。また、特別図柄の変動時間（変動パターン指定コマンド）に基づいて、演出表示装置２７でいわゆるリーチ演出を行うか否か、更にはどのような種類のリーチ演出とするかも決定する。そして、サブ制御基板２２０は、こうして決定した演出内容に従って、演出表示制御基板２２２や、アンプ基板２２４、装飾駆動基板２２６などを制御することにより、決定した内容の演出を行うことになる。
【０２８６】
図７４に戻り、「第２の特別図柄に関する保留数」が「ゼロ」であるとともに（Ｓ３１４ｂ；ＹＥＳ）、「第１の特別図柄に関する保留数」が「ゼロ」でない場合（Ｓ３１４ａ；ＮＯ）には、ＲＡＭ２０２の所定アドレスから、最も古い判定用乱数（Ｓ３０６ａで取得したもので、特図１大当り抽選乱数）を読み出し（Ｓ３１６ａ）、当否判定処理を行い（Ｓ３２０ａ）、特図１図柄変動開始処理（Ｓ５００ａ）を行った後、特別図柄遊技処理（Ｓ３００）を終了して、図７１の遊技制御処理に復帰する。ここで、Ｓ３２０ａの処理として行われる当否判定処理（特図１当否判定処理）も、Ｓ３２０ｂと同様に図７６に示す当否判定処理に従って行われ、Ｓ５００ａの処理として行われる特図１図柄変動開始処理も、Ｓ５００ｂと同様に図７７に示す図柄変動開始処理に従って行われる。
【０２８７】
次に、特別図柄遊技処理（Ｓ３００）のＳ３１０の処理（図７４参照）で、第１の特別図柄又は第２の特別図柄が変動中であると判断された場合は（Ｓ３１０；ＹＥＳ）、既に、特別図柄の変動パターンと停止図柄とが決定されて、特別図柄の変動が開始されていることとなる。そこで、特別図柄変動時間が経過したか否かを判断する（Ｓ３４１）。即ち、特別図柄の変動時間は変動パターンに応じて予め定められているので、特別図柄の変動を開始すると同時にタイマをセットすることにより、所定の変動時間が経過したかを判断するのである。そして、未だ変動時間が経過していない場合は（Ｓ３４１；ＮＯ）、そのまま特別図柄遊技処理（Ｓ３００）を終了して、図７１に示す遊技制御処理に復帰する。
【０２８８】
これに対して、変動時間が経過したと判断された場合は（Ｓ３４１；ＹＥＳ）、変動している第１の特別図柄又は第２の特別図柄を停止させ（Ｓ３４４）、停止図柄を表示するとともに、図柄停止コマンドをサブ制御基板２２０に向かって出力する（Ｓ３４６）。なお、図柄停止コマンドは、サブ制御基板２２０を介して演出表示制御基板２２２に転送される。そして、特別図柄を停止表示させる停止表示時間を設定した後（Ｓ３４８）、設定した停止表示時間が経過したか否かを判断する（Ｓ３５０）。
【０２８９】
Ｓ３５０の処理で、特別図柄の停止表示時間が経過していないと判断されれば（Ｓ３５０；ＮＯ）、そのまま特別図柄遊技処理（Ｓ３００）を終了して、図７１に示す遊技制御処理に復帰する。一方、特別図柄の停止表示時間が経過した場合は（Ｓ３５０；ＹＥＳ）、停止表示の態様が大当りを示す態様（大当り図柄）か否かを判断する（図７５のＳ３５２）。
【０２９０】
Ｓ３５２の処理で肯定的な判断がなされると、主制御基板２００のＣＰＵ２０１は、後述する「大当り遊技」の終了時に参照するためのバッファに、現在の遊技進行状況を示す情報をセット（記憶）する（Ｓ３５４）。具体的には、「大当りの種類（図４８及び図４９に示す大当りのうちの何れであるのかなど）」、「遊技状態フラグの状態」をセット（記憶）する（Ｓ３５４）。また、主制御基板２００に搭載されたＲＡＭ２０２の特定領域が、Ｓ３５４の処理で用いるバッファとして機能する。ここで、「遊技状態フラグ」とは「遊技機１の遊技状態」を示すフラグ、つまり、「確変フラグ」、「変動短縮フラグ」、「開放延長フラグ」などであり、Ｓ３５４の処理においては、これらのフラグが「ＯＮに設定」されているか、「ＯＦＦに設定」されているかを示すデータ、つまり、現在の遊技状態（遊技モード）を示すデータがセットされる。また、「確変フラグ」は遊技機１の遊技モード（遊技状態）が高確率モード（確率変動手段が作動するモード）にあることを示すフラグであり、「変動短縮フラグ」は遊技機１の遊技モード（遊技状態）が変動短縮モード（図柄変動表示の実行時間が短くなる可能性が高くなるモード）にあることを示すフラグである。また、「開放延長フラグ」は遊技機１の遊技モード（遊技状態）が開放延長モード（本実施例の第２の始動入賞装置１７ｂのような「可変式の始動入賞装置」の開放時間を長くするモード）にあることを示すフラグである。
【０２９１】
Ｓ３５４の処理に続いて、発生した大当りの態様に応じて、大入賞口（第１大入賞口３１ａ若しくは第２大入賞口３５ａ）の開放パターンをセットする処理を行う（Ｓ３７０）。すなわち、発生した大当りの種類に応じて、「予定出球数が多くなる開放パターン」若しくは「予定出球数が少なくなる開放パターン」をセットした後（Ｓ３７０）、Ｓ３７８以降の処理に移行する。そして、Ｓ３７８の処理大当り遊技フラグをセット（ＯＮに設定）する（Ｓ３７８）。この「大当り遊技フラグ」のセットにより、遊技機１の遊技状態は「大当り遊技状態」に移行する（大当り遊技実行手段が作動を開始する）。なお、主制御部２００Ａは、「大当り遊技フラグ」をセットするタイミングでサブ制御部２２０Ａに向かって、「大当り遊技開始指定コマンド（図中、開始Ｃと表記）を送信する（図７０を参照）。
【０２９２】
ここで、Ｓ３７０においてセットされる「予定出球数が多くなる開放パターン」は、（ａ）「１６Ｒ確変大当りＢ」の発生を契機とする「第１大当り遊技Ｕの変則タイプ」を実行するための開閉パターン、（ｂ）「１６Ｒ確変大当りＡ」、「１６Ｒ確変大当りＤ」、「１６Ｒ確変大当りＥ」若しくは「１６Ｒ確変大当りＦ」の発生を契機とする「第１大当り遊技Ｄの変則タイプ」を実行するための開閉パターンのうちの何れかである。また、Ｓ３７０においてセットされる「予定出球数が少なくなる開放パターン」は、（ｃ）「１６Ｒ確変大当りＣ」の発生を契機とする「第２大当り遊技Ｕの変則タイプ」を実行するための開閉パターン、（ｄ）「４Ｒ確変大当りＡ」、「４Ｒ確変大当りＢ」、「４Ｒ確変大当りＣ」、「４Ｒ確変大当りＥ」、「４Ｒ通常大当りＡ」若しくは「４Ｒ通常大当りＢ」の発生を契機とする「第２大当り遊技Ｕの基本タイプ」を実行するための開閉パターン、（ｅ）「１６Ｒ確変大当りＨ」若しくは「１６Ｒ通常大当りＡ」の発生を契機とする「第２大当り遊技Ｄの変則タイプ」を実行するための開閉パターンのうちの何れかである。
【０２９３】
Ｓ３７８の処理に続いて、Ｓ３８０以降の処理に移行する。ここで、Ｓ３７８の処理で「大当り遊技フラグ」がセットされると、遊技機１の遊技状態は「大当り遊技状態」に移行する（大当り遊技実行手段が作動を開始する）が、本実施例の遊技機１では、「大当り遊技フラグ」の設定中（つまり、大当り遊技実行手段の作動中）は、確変機能、時短機能、開放延長機能は働かないこととしている。このため、Ｓ３８０以降の一連の処理を以下のように行った後、特別図柄遊技処理（Ｓ３００）を終了する。
【０２９４】
つまり、Ｓ３８０の処理において、確変フラグがセット（ＯＮに設定）されているか否かを判断し（Ｓ３８０）、セットされていない場合は（Ｓ３８０；ＮＯ）、そのままＳ３８４の処理に移行し、セットされている場合は（Ｓ３８０；ＹＥＳ）、確変フラグを解除（ＯＦＦに設定）した後（Ｓ３８２）、Ｓ３８４の処理に移行する。そして、Ｓ３８４の処理においては、変動短縮フラグがセット（ＯＮに設定）されているか否かを判断し、セットされていない場合は（Ｓ３８４；ＮＯ）、そのまま特別図柄遊技処理（Ｓ３００）を抜けて、図７１の遊技制御処理に復帰する。一方、Ｓ３８４の処理において、変動短縮フラグがセット（ＯＮに設定）されていると判断される場合は（Ｓ３８４；ＹＥＳ）、変動短縮フラグと開放延長フラグとを解除（ＯＦＦに設定）した後（Ｓ３８６、Ｓ３８７）、特別図柄遊技処理（Ｓ３００）を抜けて、図７１の遊技制御処理に復帰する。そして、何れの場合においても、図７１の遊技制御処理に復帰すると、後述する大当り遊技処理（図７９）が開始され、大当り遊技が実行される。なお、Ｓ３８０の処理の肯定判断とＳ３８２の処理を経て、Ｓ３８４の処理で否定的な判断がなされる場合、遊技機１の当該大当りの発生前における遊技状態（遊技モード）は「高確率通常変動モード」、つまり「潜伏確変モード」である。
【０２９５】
次に、図７５のＳ３５２の処理で否定的な判断がなされる場合の処理について説明する。つまり、第１の特別図柄表示部６２ａ若しくは第２の特別図柄表示部６２ｂにおいて停止表示された特別図柄が「外れ図柄」の場合（Ｓ３５２；ＮＯ）、変動短縮フラグがセット（ＯＮに設定）されているか否かが判断される（Ｓ３９８）。そして、変動短縮フラグがセットされていない（ＯＦＦに設定されている）場合（Ｓ３９８；ＹＥＳ）、 そのまま特別図柄遊技処理（Ｓ３００）を抜けて、図７１の遊技制御処理に復帰する。
【０２９６】
一方、変動短縮フラグがセット（ＯＮに設定）されている場合（Ｓ３９８；ＹＥＳ）、つまり、外れ発生時の遊技モードが「低確率短縮変動モード」若しくは「高確率短縮変動モード」である場合、変動短縮カウンタの値を「−１」した後（Ｓ４００）、変動短縮カウンタの値が「ゼロ」になったか否かを判断する（Ｓ４０４）。そして、「ゼロ」になっていない場合（Ｓ４０４；ＮＯ）、 そのまま特別図柄遊技処理（Ｓ３００）を抜けて、図７１の遊技制御処理に復帰する。ここで、「変動短縮カウンタ」は「変動短縮しつつ実行する特別図柄の変動回数」の上限回数を示すものであり、その値が「ゼロ」になると、次回の特別図柄の変動において短縮変動は行われない。
【０２９７】
これに対して、Ｓ４０４の処理で、変動短縮カウンタの値が「ゼロ」になったと判断される場合（Ｓ４０４；ＹＥＳ）、遊技機１の遊技モードが低確率短縮変動モードから低確率通常変動モードに切り替わるか、或いは、高確率短縮変動モードから高確率通常変動モードに切り替わることになる。このため、変動短縮フラグを解除（ＯＦＦに設定）する処理（Ｓ４１０）と、開放延長フラグを解除（ＯＦＦに設定）する処理（Ｓ４１６）と、モード指定コマンドをサブ制御基板２２０に送信する処理（Ｓ４３０）とを行った後、特別図柄遊技処理（Ｓ３００）を抜けて、図７１の遊技制御処理に復帰する。なお、Ｓ４３０の処理では、低確率通常変動モード或いは高確率通常変動モードを指定する「モード指定コマンド」がサブ制御基板２２０に送信される。但し、「低確率短縮変動モード」、「高確率短縮変動モード」の何れかの遊技モードにおいて「確変大当り」を生ずると、変動短縮カウンタの初期値が「１０，０００」にセットされるので、この場合には、Ｓ４０４の肯定判断を生ずることはあり得ないため、そのような状況下から「高確率通常変動モード」を生ずることはない。
【０２９８】
Ｅ．大当り遊技処理（Ｓ６００）
主制御基板２００に搭載されたＣＰＵ２０１が、図７１の遊技制御処理を繰り返し行ううちに、図７８に示す大当り遊技処理（Ｓ６００）において「大当り遊技フラグ」がセットされていると判断すると（Ｓ６０２；ＹＥＳ）、大当り遊技の実行に係る処理が行われる。この処理により、本遊技機１では「第１大当り遊技Ｕ」、「第１大当り遊技Ｄの変則タイプ」、「第２大当り遊技Ｕの変則タイプ」、「第２大当り遊技Ｕの基本タイプ」、「第２大当り遊技Ｄの変則タイプ」の何れかが実現される。
【０２９９】
図７８は、大当り遊技処理（Ｓ６００）の流れを示すフローチャートである。各大当りラウンドが開始されると、前述のように、各大当りラウンドにおいて予定されている大当り動作を完了するか、遊技球の入球数が規定数（本実施例では８個）になると、当該「大当りラウンド」の終了条件が成立する。この後、所定の待機時間（例えば、２秒）を経て、「大当り遊技の終了条件」が成立していなければ、次の「大当りラウンド」が開始される。そして、この「大当りラウンド」を所定回数（本実施例では１５回）繰り返すと、大当り遊技を終了する。以下、図７８〜図７９を参照しながら、詳細な処理内容について説明する。
【０３００】
大当り遊技を開始すると（Ｓ６０２；ＹＥＳ）、先ず、「大当りラウンド」を実行中か否かを判断する（Ｓ６０４）。ここで、大当り遊技の対象となる大入賞口（第１大入賞口３１ａ若しくは第２大入賞口３５ａ）は、「大当り遊技状態ではない通常の遊技状態（図柄変動遊技状態）」では閉鎖状態を維持しており、大当り遊技の開始直後は、未だ「大当りラウンド」を実行していない。このため、大当り遊技の開始直後は、「大当りラウンド」を実行中ではないと判断され（Ｓ６０４；ＮＯ）、続いて、大当り遊技の終了条件が成立したか否かが判断される（Ｓ６１２）。つまり、「大当りラウンドの実行回数」が対応する大当り遊技の設定回数（本実施例では１６回若しくは４回）に達したか否かを判断する（Ｓ６１２）。
【０３０１】
但し、大当り遊技が開始された直後は、大当り遊技の終了条件が成立しないため、Ｓ６１２の処理では、必然的に否定的な判断がなされる（Ｓ６１２；ＮＯ）。このため、Ｓ６１４の処理に移行して、待機時間（インターバル時間であって、例えば、２秒若しくは４４秒）が経過したか否かを判断する（Ｓ６１４）。つまり、大当りラウンドの待機時間（インターバル時間）が経過したか否かを判断する（Ｓ６１４）。そして、大当り遊技が開始された直後は、大当りラウンドを実行していない状態となっているから、必然的に、待機時間が経過していると判断され（Ｓ６１４；ＹＥＳ）、大当りラウンドを開始させた後（Ｓ６１６）、図７８に示した大当り遊技処理を一旦終了して、図７１の遊技制御処理に復帰する。なお、主制御部２００Ａは、「大当りラウンド（ラウンド遊技）」を開始させるタイミングでサブ制御部２２０Ａに向かって、「ラウンド開始指定コマンド（図中、Ｒ開始Ｃと表記）を送信する（図７０を参照）。また、この待機時間（インターバル時間）としては、通常バージョン（約；２秒）と、ロングバージョン（約；４４秒）とが予定されている。そして、「第１大当り遊技Ｄの変則タイプ」の第２回目の大当りラウンドを終了した後の待機時間（インターバル時間）のみが、ロングバージョン（約；４４秒）とされ、その他の待機時間（インターバル時間）は全て通常バージョン（約；２秒）とされる。
【０３０２】
主制御基板２００のＣＰＵ２０１は遊技制御処理に復帰すると、図７１に示す一連の各種処理を行った後、再び大当り遊技処理（Ｓ６００）を開始する。この際、前述のように、図７１に示した遊技制御処理を、主制御基板２００のＣＰＵ２０１が一回、実行するために要する時間は、約４ｍｓｅｃとなっている。従って、図７８に示す大当り遊技処理（Ｓ６００）も、約４ｍｓｅｃ毎に繰り返して実行される。
【０３０３】
そして、Ｓ６０４の処理で肯定的な判断がなされると、「当該大当りラウンドにおける大当り動作」を完了したか否かが判断される（Ｓ６０６）。例えば、当該大当りラウンドにおいて予定されている大当り動作が「第１大当り動作Ａ」であれば、第１大入賞口３１ａの合計の開放時間が１０秒になったか否か（０．２秒の開放を２回行った後、９．６秒の開放を完了したか否か）が判断される。また、当該大当りラウンドにおいて予定されている大当り動作が「第２大当り動作Ａ」であれば、第１大入賞口３１ａの開放時間が２６秒になったか否かが判断される。更に、当該大当りラウンドにおいて予定されている大当り動作が「第１大当り動作Ｂ」であれば、第２大入賞口３５ａの合計の開放時間が０．４秒になったか否か（０．２秒の開放を２回行ったか否か）が判断される。また、当該大当りラウンドにおいて予定されている大当り動作が「第２大当り動作Ｂ」であれば、第２大入賞口３５ａの開放時間が２０秒になったか否かが判断される。
【０３０４】
Ｓ６０６の処理で肯定的な判断がされると、当該大当りラウンドを終了した後（Ｓ６１０）、図７８に示した大当り遊技処理（Ｓ６００）を抜けて、図７１の遊技制御処理に復帰する。一方、Ｓ６０６の処理で否定的な判断がなされる場合は（６０６；ＮＯ）、大当り遊技の対象となっている大入賞口（第１大入賞口３１ａ若しくは第２大入賞口３５ａ）に入賞した遊技球が規定数（８個）に達しているか否かを判断する（Ｓ６０８）。そして、遊技球の入賞数が規定数に達した場合も（Ｓ６０８；ＹＥＳ）、当該大当りラウンドを終了した後（Ｓ６１０）、図７８に示した大当り遊技処理（Ｓ６００）を抜けて、図７１の遊技制御処理に復帰する。つまり、遊技球の入賞数が規定数に達すると、「大当りラウンドにおいて予定されている大当り動作の完了を待たずに、「大当り遊技の対象となっている大入賞口（第１大入賞口３１ａ若しくは第２大入賞口３５ａ）」を閉鎖する。なお、主制御部２００Ａは、「大当りラウンド（ラウンド遊技）」を終了させるタイミングでサブ制御部２２０Ａに向かって、「ラウンド終了指定コマンド（図中、Ｒ終了Ｃと表記）を送信する（図７０を参照）。
【０３０５】
一方、「当該大当りラウンドにおいて予定されている大当り動作」が完了せず（Ｓ６０６；ＮＯ）、しかも、入賞数が規定数に達していない場合は（Ｓ６０８；ＮＯ）、大当りラウンドを継続させたまま、図７８の大当り遊技処理を抜けて、図７１の遊技制御処理に復帰する。
【０３０６】
遊技機１の遊技状態が「大当り遊技状態」である場合（Ｓ６０２；ＹＥＳ）、図７１の遊技制御処理を何回も繰り返し実行しているうちに、Ｓ６０６の処理で肯定的な判断がなされるか、若しくは、Ｓ６０８の処理で肯定的な判断がなされる。こうして、１回の大当りラウンドを終了する。
【０３０７】
遊技機１の遊技状態が「大当り遊技状態」にあるときに、再度、大当り遊技処理（Ｓ６００）が実行され、Ｓ６０４において「大当りラウンド」を実行中でないと判断されると（Ｓ６０４；ＮＯ）、当該「大当り遊技」の終了条件が成立したか否かが判断される（Ｓ６１２）。つまり、何れの大当り遊技（「第１大当り遊技Ｕ」、「第１大当り遊技Ｄの変則タイプ」、「第２大当り遊技Ｕの変則タイプ」、「第２大当り遊技Ｕの基本タイプ」、「第２大当り遊技Ｄの変則タイプ」）においても、その大当り遊技中に実行した「大当りラウンド数」が「最終ラウンドとして設定されているラウンド数（「１６」若しくは「４」）に達したか否かが判断される。そして、実行した「大当りラウンド」の回数（ラウンド数）が設定されているラウンド数に到達していなければ（Ｓ６１２；ＮＯ）、インターバル時間（例えば、２秒若しくは４４秒）が経過したことを確認した後（Ｓ６１４；ＹＥＳ）、新たな大当りラウンドを実行する（Ｓ６１６）。
【０３０８】
一方、Ｓ６１２の処理において、当該「大当り遊技」の終了条件が成立したと判断される場合は（Ｓ６１２；ＹＥＳ）、以下に示す「大当り遊技終了時処理（Ｓ８００）」を行った後、大当り遊技処理（Ｓ６００）を終了し、図７１の遊技制御処理に復帰する。この大当り遊技終了時処理（Ｓ８００）が起動すると、ＣＰＵ２０１は、図７９に示すように、大当り遊技フラグ（図７５のＳ３７８を参照）を解除（ＯＦＦに設定）した後（Ｓ８０５）、前述の「大当り終了時参照用バッファ（図７５のＳ３５４を参照）」を参照することによって、「今回の大当り遊技の前提となった大当り図柄（以下、「今回の大当り図柄」という。）」の種類に関する情報を取得し（Ｓ８１０）、この情報に基づいて、大当り遊技終了後の遊技モードを設定する処理等を行う。
【０３０９】
つまり、「今回の大当り図柄（図７４のＳ３４４の処理で停止した図柄）」が「通常大当り図柄」であった場合（Ｓ８２０；ＮＯ）には、変動短縮カウンタに「１００」をセットする処理（Ｓ８４０）と、変動短縮フラグをセットする処理（Ｓ８５０）と、開放延長フラグをセットする処理（Ｓ８５５）とを行う。そして、大当り遊技終了後における遊技機１の遊技モードが「低確率短縮変動モード」であること指定するモード指定コマンドをサブ制御基板２２０に送信した後（Ｓ８６０）、大当り遊技終了時処理（Ｓ８００）を終了する。なお、「通常大当り図柄」は、「４Ｒ通常大当りＡ」、「１６Ｒ通常大当りＡ」及び「４Ｒ通常大当りＢ」のうちの何れかを示す大当り図柄である。
【０３１０】
また、今回の大当り図柄が「確変大当り図柄」である場合は（Ｓ８２０；ＹＥＳ）、確変フラグをセット（ＯＮに設定）する処理（Ｓ８２２）を行った後、Ｓ８２５の処理に移行する。ここで、「確変大当り図柄」は、「１６Ｒ確変大当りＡ」、「１６Ｒ確変大当りＢ」、「１６Ｒ確変大当りＣ」、「１６Ｒ確変大当りＤ」、「１６Ｒ確変大当りＥ」、「１６Ｒ確変大当りＦ」、「１６Ｒ確変大当りＨ」、「４Ｒ確変大当りＡ」、「４Ｒ確変大当りＢ」、「４Ｒ確変大当りＣ」及び「４Ｒ確変大当りＥ」のうちの何れかを示す大当り図柄である。また、これらのうちで、「潜伏確変図柄」は、「４Ｒ確変大当りＣを示す大当り図柄」と、「４Ｒ確変大当りＥを示す大当り図柄」が、「潜伏確変大当りを示す大当り図柄（つまり、潜伏確変図柄）」である。
【０３１１】
Ｓ８２５の処理では、今回の大当り図柄が「潜伏確変図柄」であるか否かを判断する（Ｓ８２５）。そして、「潜伏確変図柄」でないと判断される場合（Ｓ８２５；ＮＯ）には、変動短縮カウンタに「１０，０００」をセットする処理（Ｓ８３５）と、変動短縮フラグをセットする処理（Ｓ８５０）と、開放延長フラグをセットする処理（Ｓ８５５）とを行う。更に、大当り遊技終了後における遊技機１の遊技モードが「高確率短縮変動モード」であること指定するモード指定コマンドをサブ制御基板２２０に送信した後（Ｓ８６０）、大当り遊技終了時処理（Ｓ８００）を終了する。
【０３１２】
一方、Ｓ８２５の処理で「潜伏確変図柄」であると判断される場合（Ｓ８２５；ＹＥＳ）には、大当り発生時に開放延長フラグがセット（ＯＮに設定）されていたか否かを判断し（Ｓ８３０）、セット（ＯＮに設定）されていた場合（Ｓ８３０；ＹＥＳ）には、変動短縮カウンタに「１０，０００」をセットする処理（Ｓ８３５）と、変動短縮フラグをセットする処理（Ｓ８５０）と、開放延長フラグをセットする処理（Ｓ８５５）とを行う。更に、大当り遊技終了後における遊技機１の遊技モードが「高確率短縮変動モード」であること指定するモード指定コマンドをサブ制御基板２２０に送信した後（Ｓ８６０）、大当り遊技終了時処理（Ｓ８００）を終了する。つまり、開放延長手段が作動している状態で「潜伏確変大当り」を生じた場合には、大当り遊技終了後における遊技機１の遊技モードを「高確率通常変動モード」とするのではなく、「高確率短縮変動モード」とする。
【０３１３】
また、Ｓ８２５の処理で「潜伏確変図柄」であると判断され（Ｓ８２５；ＹＥＳ）、かつ、大当り発生時に開放延長フラグが解除（ＯＦＦに設定）されていた場合（Ｓ８３０；ＮＯ）には、大当り遊技終了後における遊技機１の遊技モードが「高確率通常変動モード」であること指定するモード指定コマンドをサブ制御基板２２０に送信した後（Ｓ８６０）、大当り遊技終了時処理（Ｓ８００）を終了する。なお、実施例１では、開放延長手段が作動する遊技状態を特定遊技状態としている。また、後述する実施例２では、開放延長手段及び確率変動手段が作動する遊技状態を特定遊技状態としている。よって、実施例１において「Ｓ８３５」若しくは「Ｓ８４０」を経て「Ｓ８５０」と「Ｓ８５５」とを行う処理は、主制御基板２００に搭載されたＣＰＵ２０１が「遊技状態設定手段」として行う処理の具体例を構成し、実施例２において「Ｓ８２２」と「Ｓ８３５」を経て「Ｓ８５０」と「Ｓ８５５」とを行う処理は、主制御基板２００に搭載されたＣＰＵ２０１が「遊技状態設定手段」として行う処理の具体例を構成する。なお、主制御部２００Ａは、大当り遊技フラグを解除（ＯＦＦに設定）する（Ｓ８０５）タイミングでサブ制御部２２０Ａに向かって、「大当り遊技終了指定コマンド（図中、Ｒ終了Ｃと表記）を送信する（図７０を参照）。
【０３１４】
Ｆ．大当り動作開始コマンド出力処理（Ｓ８００）
次に、図８０（ａ）を用いて大当り動作開始コマンド出力処理（Ｓ８００）の概要を説明する。つまり、主制御基板２００に搭載されたＣＰＵ２０１が、図７１の遊技制御処理を繰り返し行ううちに、開閉本体部３１ｐ（作動片）を作動して、第１大入賞口３１ａを開放させる動作（つまり、第１大入賞口３１ａを開放させる大当り動作）が開始されたと判断すると（Ｓ８０２；ＹＥＳ）、Ｓ８１０以降の処理を行う。ここで、第１大入賞口３１ａを開放させる大当り動作の実行開始は、主制御基板２００に搭載されたＣＰＵ２０１が、「第１大当り動作Ａ」若しくは「第２大当り動作Ａ」の開始に従って、大入賞口ソレノイド３１ｃの駆動を開始させる時点である。
【０３１５】
そして、開始される開放動作が「第２大当り動作Ａ」である場合（Ｓ８０２；ＹＥＳ）には、「特定大当り動作開始コマンド（第２大当り動作Ａに対応した大当り動作開始コマンド、つまり、開始される開放動作態様が第２大当り動作Ａである旨を示す動作態様情報が付加されたコマンド）」をサブ制御基板２２０に向かって出力した後（Ｓ８１５）、大当り動作開始コマンド出力処理（Ｓ８００）を終了し、図７１の遊技制御処理に復帰する。
【０３１６】
Ｇ．入球コマンド出力処理（Ｓ９００）
次に、図８０（ｂ）を用いて、「入球コマンド出力処理（Ｓ９００）」の概要を説明する。つまり、主制御基板２００に搭載されたＣＰＵ２０１が、図７１の遊技制御処理を繰り返し行ううちに、「第１大入賞口３１ａに遊技球の入球があった」と判断すると（Ｓ９１０；ＹＥＳ）、９１５以降の処理を行う。
【０３１７】
Ｓ９１５の処理では、「第１大入賞口３１ａへの遊技球の入球時」に、開閉本体部３１ｐ（作動片）が第１大当り動作Ａを行っていたか否かが判断され（Ｓ９１５）、肯定的な判断がなされる場合（Ｓ９１５；ＹＥＳ）には、「第１大当り動作Ａ」に対応した入球コマンド（開放動作態様が第１大当り動作Ａである旨を示す動作態様情報が付加されたコマンド）」をサブ制御基板２２０に向かって出力した後（Ｓ９２０）、入球コマンド出力処理（Ｓ９００）を終了し、図７１の遊技制御処理に復帰する。また、「第１大入賞口３１ａへの遊技球の入球時」に、開閉本体部３１ｐ（作動片）が第２大当り動作Ａを行っていたと判断される場合（Ｓ９１５；ＮＯ）には、そのまま、入球コマンド出力処理（Ｓ９００）を終了し、図７１の遊技制御処理に復帰する。
【０３１８】
（７）演出制御処理
図８１を用いて、サブ制御部２２０Ａ（サブ制御部２２０Ａを構成するサブ制御基板２２０のＣＰＵ２２０ａ）が、演出表示制御部２２２Ａ（演出表示制御基板２２２の図示しないＣＰＵ）と協働して行う「演出制御処理」の概要について説明する。なお、図８１には、演出制御処理を構成する各処理のうちで主要な処理のみを図示している。この演出制御処理では、遊技機１に電源が投入されるか、リセットスイッチが押されると（９５０；ＹＥＳ）、先ず、初期化処理（Ｓ９５５）と、初期テーブル設定処理（Ｓ９６０）を行う。
【０３１９】
ここで、初期テーブル設定処理（Ｓ９６０）は、後述する演出扉処理（Ｓ１７５０）で使用する演出テーブルを電源投入時に設定する処理であり、「演出テーブルＡ（陸上バトルの勝ちパターン用の演出パターン）」と「演出テーブルＨ（陸上バトルの負けパターン用の演出パターン）」が設定される。また、「演出テーブルＡ」は、演出テーブル設定処理（Ｓ１６００）を実行することによって、他の演出テーブル（Ｂ〜Ｄ）に置き換えられる可能性があるが、「演出テーブルＨ」は他の演出テーブルに置き換えられることなく、「陸上バトルの負けパターン専用の演出テーブル」として常時、使用される。なお、演出テーブルの詳細に関しては後述する。
【０３２０】
サブ制御部２２０Ａを構成するサブ制御基板２２０のＣＰＵ２２０ａは、初期化処理（Ｓ９５５）と、初期テーブル設定処理（Ｓ９６０）を行うと、遊技機の電源がＯＦＦになるまでの間（Ｓ２３００で肯定判断されるまでの間）、図柄変動演出処理（Ｓ１１００）、大当り演出処理（Ｓ１２００）、初期演出処理（Ｓ１５００）、入球コマンドカウント処理（Ｓ１５５０）、演出テーブル設定処理（Ｓ１６００）、演出扉処理（Ｓ１７５０）、演出テーブルデフォルト処理（Ｓ１７９０）、全開放開始処理（Ｓ１８００）、全開放開終了処理（Ｓ１８５０）などの主要な処理が繰り返し実行される。尚、図８１の一周の処理に要する時間は、ほぼ２ｍｓｅｃとなっているため、これらの処理は約２ｍｓｅｃ毎に繰り返し実行される。以下、図８１のフロー図に従ってサブ制御処理について説明する。
【０３２１】
ａ．図柄変動演出処理（Ｓ１１００）
図柄変動演出処理（Ｓ１１００）においては、図８２に示すように、サブ制御部２２０Ａ（サブ制御部２２０Ａを構成するサブ制御基板２２０のＣＰＵ２２０ａ）が、図柄変動開始時のコマンドを受信すると（Ｓ１１０５；ＹＥＳ）、Ｓ１１１０以降の処理が実行される。ここで、Ｓ１１０５の処理で受信するコマンドは、変動パターン指定コマンド（ＣＨＰ）及び特別図柄停止情報指定コマンド（ＣＪＳ）である。
【０３２２】
ここで、サブ制御部２２０Ａは、受信した「特別図柄停止情報指定コマンド」に基づき、主制御部２００Ａにおいて実行された当否判定（Ｓ３２０ａ，Ｓ３２０ｂ）の結果を判断することができる。そして、当否判定の結果が大当りである場合（Ｓ１１１０；ＹＥＳ）、受信した変動パターン指定コマンドに基づき、「大当り演出の変動パターン（演出表示装置２７の表示画面２７ａで実行される演出表示の実行態様、リーチ表示の態様等）」及び「大当り停止図柄（演出表示装置２７の表示画面２７ａで大当りを確定表示する疑似図柄の態様）」を決定する処理を行った後（Ｓ１１１５）、Ｓ１１６０の処理に移行する。
【０３２３】
更に、当否判定の結果が外れある場合（Ｓ１１１０；ＮＯ）、受信した変動パターン指定コマンドに基づき、「外れ演出の変動パターン（演出表示装置２７の表示画面２７ａで実行される演出表示の実行態様、リーチ表示の実行有無、リーチ表示を実行する場合のリーチ表示態様等）」及び「外れ停止図柄（演出表示装置２７の表示画面２７ａで外れを確定表示する疑似図柄の態様）」を決定する処理を行った後（Ｓ１１１８）、Ｓ１１６０の処理に移行する。
【０３２４】
Ｓ１１２０の処理において、サブ制御部２２０Ａは、受信した変動パターン指定コマンド（ＣＨＰ）及び特別図柄停止情報指定コマンド（ＣＪＳ）に基づいて、Ｓ１１１５若しくはＳ１１１８で決定した「変動パターン（演出パターン）」及び「疑似図柄の停止図柄」を指定するコマンド（演出表示詳細コマンド）を演出表示制御部２２２Ａ（演出表示制御基板２２２）に送信し、演出表示装置２７において、疑似図柄や背景図柄等の演出図柄の変動表示（変動遊技）を開始させる（Ｓ１１６０）。つまり、演出表示装置２７の表示画面２７ａにおける図柄変動演出表示を開始させる（Ｓ１１６０）。
【０３２５】
そして、サブ制御部２２０Ａが、主制御部２００Ａ（主制御基板２００）から送信される図柄停止指定コマンド（ＣＺＥ）を受信すると（Ｓ１１６５；ＹＥＳ）、サブ制御部２２０Ａは、受信した演出停止指定コマンドを演出表示制御部２２２Ａに転送し、演出表示装置２７において、疑似図柄と背景図柄の演出表示を停止させる（Ｓ１１７０）。
【０３２６】
ｂ．大当り演出処理（Ｓ１３００）
大当り演出処理（Ｓ１３００）は、本遊技機１が大当り遊技を行うときになされるものである。この大当り演出処理（Ｓ１３００）は、サブ制御部２２０Ａ（サブ制御部２２０Ａを構成するサブ制御基板２２０のＣＰＵ２２０ａ）が「大当り演出実行手段」として行う処理の具体例を構成する。図８３に示すように、大当り演出処理（Ｓ１３００）では「大当り遊技開始指定コマンド」を受信すると（Ｓ１３０５；ＹＥＳ）、大当り開始演出（ファンファーレ演出）を実行する（Ｓ１３１０）。
【０３２７】
ここで、本遊技機１においては、大当りを生ずると、主制御部２００Ａからサブ制御部２２０Ａに大当り遊技開始指定コマンドが送信される。つまり、主制御部２００Ａは、「大当り遊技フラグ」をセット（ＯＮに設定）するとともに「第１大入賞口３１ａ若しくは第２大入賞口３５ａの開放パターン」をセットするタイミングで（図７５のＳ３７０、Ｓ３７８を参照）、サブ制御部２２０Ａに大当り遊技開始指定コマンドを送信する（図７０を参照）。
【０３２８】
大当り遊技開始指定コマンドを受信したサブ制御部２２０Ａは、受信した大当り遊技開始指定コマンドを解析して、今回の大当りの種類（「１６Ｒ確変大当りＡ」、「１６Ｒ確変大当りＢ」、「１６Ｒ確変大当りＣ」、「１６Ｒ確変大当りＤ」、「１６Ｒ確変大当りＥ」、「１６Ｒ確変大当りＦ」、「１６Ｒ確変大当りＨ」、「４Ｒ確変大当りＡ」、「４Ｒ確変大当りＢ」、「４Ｒ確変大当りＣ」、「１６Ｒ通常大当りＡ」、「４Ｒ通常大当りＡ」若しくは「４Ｒ通常大当りＢ」のうちの何れか）を特定し、演出表示装置２７等において、今回の大当りの種類に対応した大当り開始演出（ファンファーレ演出）を実行する（Ｓ１３１０）。
【０３２９】
この大当り開始演出（ファンファーレ演出）を終了すると、サブ制御部２２０Ａは、ラウンド開始指定コマンド（ラウンド数指定コマンド）を順次、受信する（Ｓ１３１５）。そして、サブ制御部２２０Ａは、ラウンド開始指定コマンドを受信する度に、演出表示装置２７の表示画面２７ａ等においてラウンド演出（大当り遊技の種類に応じた大入賞口の開放時の演出）を行うための「ラウンド演出実行処理」を実行する（Ｓ１３２０）。この「ラウンド演出」においては、今回の大当りの種類に対応する演出（対応するバトル演出、確変昇格演出、ラウンド継続演出等）を行う。
【０３３０】
主制御部２００Ａは大当りラウンド（ラウンド遊技）を終了させるタイミングでサブ制御部２２０Ａに向かって「ラウンド終了指定コマンド」を送信する（図７０を参照）。そして、サブ制御部２２０Ａは、ラウンド終了指定コマンドを受信すると（Ｓ１３２５；ＹＥＳ）、実行中のラウンド演出を終了するとともに、演出表示装置２７等において「インターバル演出（各ラウンド間の演出表示である。）」を開始する（Ｓ１３３０、Ｓ１３４０、Ｓ１３３５）。
【０３３１】
つまり、サブ制御部２２０Ａは、ラウンド終了指定コマンドを受信し（Ｓ１３２５；ＹＥＳ）、実行中のラウンド演出を終了すると、終了した大当りラウンドが、「陸上バトルの勝ちパターンの２Ｒ（第２回目の大当りラウンド）」であるか否かを判断する（Ｓ１３３０）。そして、否定的な判断がなされる場合には（Ｓ１３３０；ＮＯ）、通常インターバル処理を実行し（Ｓ１３３５）、肯定的な判断がなされる場合には（Ｓ１３３０；ＹＥＳ）、特定インターバル処理（Ｓ１３４０）を実行する。ここで、通常インターバル処理（Ｓ１３３５）は通常バージョンのインターバル演出（約２秒間のインターバル演出）を行うための処理であり、特別インターバル処理（Ｓ１３４０）はロングバージョンのインターバル演出（約４４秒間のインターバル演出）を行うための処理である。
【０３３２】
サブ制御部２２０Ａは、インターバル演出を終了するタイミングで、ラウンド開始指定コマンド（ラウンド数指定コマンド）を受信し（Ｓ１３１５；ＹＥＳ）、「ラウンド演出実行処理」を実行する（Ｓ１３２０）。更に、ラウンド終了指定コマンドを受信し（Ｓ１３２５；ＹＥＳ）、実行中のラウンド演出を終了した後、インターバル演出（Ｓ１３３０、Ｓ１３４０、Ｓ１３３５）を実行する。
【０３３３】
ラウンド演出とインターバル演出とを上限回数まで繰り返すると、最終ラウンドが終了するタイミングとなり、主制御部２００Ａからサブ制御部２２０Ａに向かって「大当り遊技終了指定コマンド」が送信される（Ｓ１３９５、図７９を参照）。そして、サブ制御部２２０Ａは、その「大当り遊技終了指定コマンド」を受信すると（Ｓ１３９５；ＹＥＳ）、「大当り終了演出を実行する処理（Ｓ１３８５）」を行った後、大当り演出処理（Ｓ１３００）を終了する。
【０３３４】
次に、図８４（ａ）を用いて、特別インターバル処理（Ｓ１３４０）について説明する。この特別インターバル処理（Ｓ１３４０）が起動すると、「実行中フラグ」がＯＦＦに設定（解除）されているか否かを判断する（Ｓ１３４５）。ここで、「実行中フラグ」とは「現在、演出動作Ｂを実行中であること」を示すフラグである。なお、「演出動作Ｂ」は、前述のように、「左側扉９１Ｌ及び右側扉９１Ｒの位置を閉状態位置から開状態位置（全開放位置）に変更するとともに、ＬＥＤランプ４Ｋの発光を開始することを内容」とする演出動作である。そして、Ｓ１３４５の処理は、この演出動作Ｂを実行している状態で、陸上バトルの勝ちパターンの２Ｒ（第２回目の大当りラウンド）を開始したか否かを判断するための処理である。
【０３３５】
「実行中フラグ」がＯＮに設定（セット）されている場合（Ｓ１３４５；ＮＯ）には、「ロングバージョンのインターバル演出」を開始してから特定時間（Ｔ＝約４秒）が経過したところで、「演出動作Ｂ」を終了するとともに、「実行中フラグ」をＯＦＦに設定（解除）する（Ｓ１３６５）。そして、演出表示装置２７の表示画面２７ａにおいて、「当り継続演出（第２大当り動作Ｂ、つまり、フルオープンが開始することを示す演出）」を所定時間（約４０秒）行ったところで（Ｓ１３８０）、特別インターバル処理（Ｓ１３４０）を終了する。
【０３３６】
「実行中フラグ」がＯＦＦに設定（解除）されている場合（Ｓ１３４５；ＹＥＳ）には、「ロングバージョンのインターバル演出」を開始してから第１所定時間（ｔ１＝約１秒）が経過したところで、演出表示装置２７の表示画面２７ａにおいて「演出ボタンＳＷの操作を催促する表示（ボタン表示）」が実行される（Ｓ１３５０）。そして、「ロングバージョンのインターバル演出」を開始してから第２所定時間（ｔ２＝約２．５秒）が経過するまでに、演出ボタンＳＷに操作が施されると、その時点から演出動作Ｂを開始し、「ロングバージョンのインターバル演出」を開始してから特定時間（Ｔ＝約４秒）が経過したところで、「演出動作Ｂ」を終了し（Ｓ１３６０）、Ｓ１３８０の処理に移行する。
【０３３７】
一方、「ロングバージョンのインターバル演出」を開始してから第２所定時間（ｔ２＝約２．５秒）が経過するまでに、演出ボタンＳＷに操作が施されない場合（Ｓ１３５５；ＮＯ）には、第２所定時間の経過時から演出動作Ｂを開始し、「ロングバージョンのインターバル演出」を開始してから特定時間（Ｔ＝約４秒）が経過したところで、「演出動作Ｂ」を終了し（Ｓ１３７０）、Ｓ１３８０の処理に移行する。なお、図８４（ｂ）は、「特定時間Ｔの経過時」と、「第１所定時間ｔ１の経過時」と、「第２所定時間ｔ２の経過時」との関係を示す説明図である。
【０３３８】
ｃ．初期演出処理（Ｓ１５００）
初期演出処理（Ｓ１５００）は、大当り開始表示（ファンファーレ表示）を開始した後であって、第１大当り遊技Ｄ若しくは第２大当り遊技Ｄを開始する前に、前方開閉扉（左側扉９１Ｌ及び右側扉９１Ｒ）を用いて行う演出を制御するための処理である。つまり、図８５に示すように、この初期演出処理（Ｓ１５００）が起動すると、サブ制御部２２０Ａ（サブ制御部２２０Ａを構成するサブ制御基板２２０のＣＰＵ２２０ａ）は、初期演出タイマが所定値（例えば、１秒の経過を示す値）に達しているか否かを判断する（Ｓ１５０５）。ここで、この初期演出タイマは、サブ制御部２２０Ａが大当り遊技開始指定コマンドを受信した後に経過した時間を計測するためのタイマであり、その値が所定値に達すると（つまり、大当り開始表示を開始した後、所定時間が経過すると）、初期演出が実行される。
【０３３９】
Ｓ１５０５の処理で否定的な判断がなされる場合（Ｓ１５０５；ＮＯ）においては、主制御部２００Ａからの大当り遊技開始指定コマンドを受信したか否かを判断し（Ｓ１５１４）、大当り遊技開始指定コマンドを受信したと判断すると（Ｓ１５１４；ＹＥＳ）、今回の大当りが「大当り遊技中に陸上バトル演出を実行する大当り」であるか否かを判断する（Ｓ１５１５）。このＳ１５１５の処理では、今回の大当りが「１６Ｒ確変大当りＦ」、「１６Ｒ通常大当りＡ」若しくは「１６Ｒ確変大当りＨ」の何れかである場合に肯定的な判断がなされる。
【０３４０】
Ｓ１５１５の処理で否定的な判断がなされると（Ｓ１５１５；ＮＯ）、そのまま初期演出処理（Ｓ１５００）を終了して、図８１に示す演出制御処理に復帰する。一方、Ｓ１５１５の処理で肯定的な判断がなされると（Ｓ１５１５；ＹＥＳ）、初期演出タイマをセットする処理（初期演出開始までの時間計測を開始する処理）を行った後（Ｓ１５１６）、一旦、初期演出処理（Ｓ１５００）を終了して、図８１に示す演出制御処理に復帰する。
【０３４１】
そして、サブ制御部２２０Ａが、図８１の演出制御処理を繰り返して行ううちに、初期演出タイマが所定値に達した判断すると（Ｓ１５０５；ＹＥＳ）、前方開閉扉（左側扉９１Ｌ及び右側扉９１Ｒ）を開閉するとともに、初期演出タイマを初期化する処理を行った後（Ｓ１５１０）、初期演出処理（Ｓ１５００）を終了する。つまり、このＳ１５１０の処理により、第１大当り遊技Ｄ若しくは第２大当り遊技Ｄの開始前における前方開閉扉の開閉演出（つまり、初期演出）」が行われる。
【０３４２】
ｄ．入球コマンドカウント処理（Ｓ１５５０）
入球コマンドカウント処理（Ｓ１５５０）は、第１大当り動作Ａの実行中に、第１大入賞口３１ａに入球する遊技球の数をカウントする処理である。この入球コマンドカウント処理（Ｓ１５５０）を起動すると、図８６に示すように、陸上バトル演出の「第１回目の大当りラウンド」若しくは陸上バトル演出の「第２回目の大当りラウンド」を実行中であるか否かを判断する。そして、否定的な判断がなされる場合（Ｓ１５５５；ＮＯ）、そのまま入球コマンドカウント処理（Ｓ１５５０）を終了する。
【０３４３】
一方、Ｓ１５５５の処理において肯定的な判断がなされる場合（Ｓ１５５５；ＹＥＳ）、入球コマンドを受信すると（Ｓ１５６０；ＹＥＳ）、入球カウンタの値を「＋１」する処理を行った後（Ｓ１５６５）、入球コマンドカウント処理（Ｓ１５５０）を終了する。ここで、入球カウンタは、第１大当り動作Ａを実行中に、第１大入賞口３１ａに入球する遊技球をカウント（計数）するためのカウンタである。なお、入球コマンドカウント処理（Ｓ１５５０）は、サブ制御基板２２０に搭載されたＣＰＵ２２０ａが「監視手段」として行う処理の具体例を構成する。
【０３４４】
ｅ．演出テーブル設定処理（Ｓ１６００）
演出テーブル設定処理（Ｓ１６００）は、後述する演出扉処理（Ｓ１６００）において使用する演出テーブルを、「遊技球の第１大入賞口３１ａへの入球状況」に基づいて設定する処理である。この演出テーブル設定処理（Ｓ１６００）が起動すると、図８７に示すように、「陸上バトル演出の勝ちパターンを実行中であるか否か」を判断する（Ｓ１６１０）。つまり、「１６Ｒ確変大当りＤ」、「１６Ｒ確変大当りＥ」若しくは「１６Ｒ確変大当りＦ」の発生に起因して、「第１大当り遊技Ｄの変則タイプ」を実行中であるか否かを判断する（Ｓ１６１０）。そして、このＳ１６１０の処理で否定的な判断がなされる場合（Ｓ１６１０；ＮＯ）、そのまま演出テーブル設定処理（Ｓ１６００）を終了する。つまり、陸上バトル演出以外のバトル演出を実行中である場合のみならず、陸上バトル演出の負けパターンを実行中である場合（「１６Ｒ確変大当りＨ」若しくは「１６Ｒ通常大当りＡ」の発生に起因して、「第２大当り遊技Ｄの変則タイプ」を実行中である場合）においても、演出テーブルの設定がなされることはない。陸上バトル演出の負けパターンを実行中である場合においては、常時、演出テーブルＨを使用するからである。
【０３４５】
なお、図８８〜図９１に示すように、「サブ制御基板に搭載されたＲＯＭ２２０ｂ」の所定領域には、勝ちパターンに対応する演出テーブル（Ａ〜Ｄ）と、負けパターンに対応する演出テーブル（Ｈ）とが記憶されている。また、演出テーブル（Ａ〜Ｄ）には、複数個の演出パターン（「勝ちパターンに対応する演出パターンＮＯ．１〜２２」、「負けパターンに対応する演出パターンＮＯ．５１〜５７」）が記憶され、後述する演出扉処理（Ｓ１６００）においては、演出テーブル設定処理（Ｓ１６００）、初期設定処理（Ｓ９６０）若しくは後述する「演出テーブルデフォルト処理（Ｓ１７９０）」で設定された演出パターンを用いつつ乱数抽選を行うことで、使用する演出パターンが決定される。なお、サブ制御基板２２０に搭載されたＲＡＭ２２０ｃの所定の記憶領域は実行個数記憶手段として用いられ、本遊技機１の電源投入時に初期個数としての「８個」が記憶される。このため、本遊技機１の電源投入時には、「勝ちパターンに対応する演出テーブル」として、「演出実行個数を８個とする演出テーブルＡ」が設定される。
【０３４６】
また、図８８〜図９１には、各演出パターン（ＮＯ．１〜２２、５１〜５７）毎に、入球数（１〜８）と、演出動作との関係が図示されており、「ＳＥ１」とは演出動作を行わない状態（図６１（ａ）の状態）を示す。また、「ＳＥ２」とは「演出動作Ａ（煽り動作）」を行う状態（図６１（ｂ）の状態）を示し、「ＳＥ３」とは「演出動作Ｂ」を行う状態（図６２（ａ）の状態）を示している。なお、負けパターンに対応する演出パターン（ＮＯ．５１〜５７）においては、遊技球が何球入球しても（たとえ、「限度個数」入球しても）「演出動作Ｂ」を行うことはない。
【０３４７】
図８７に示すように、Ｓ１６１０の処理で肯定的な判断がなされる場合（Ｓ１６１０；ＹＥＳ）、第１回目の大当りラウンド（１Ｒ）の終了時であるか否かを判断し（Ｓ１６１５）、否定的な判断がなされる場合（Ｓ１６１５；ＮＯ）、そのまま演出テーブル設定処理（Ｓ１６００）を終了する。つまり、本実施例では、陸上バトル演出の勝ちパターンにおいて、第２回目の大当りラウンド（２Ｒ）で使用する演出テーブルを、第１回目の大当りラウンドにおける「遊技球の第１大入賞口３１ａへの入球状況」に基づいて設定することとしている。
【０３４８】
Ｓ１６１５の処理で肯定的な判断がなされると（Ｓ１６１５；ＹＥＳ）、「第１回目の大当りラウンド（１Ｒ）においてカウントした入球カウンタＣの値（カウント値）」と、「基準値」との差（Ｓ）を演算する（Ｓ１６２０）。つまり、「入球カウンタＣのカウント値」から「基準値」を減じた値（Ｓ）を算出する（Ｓ１６２０）。そして、本実施例では、この差（Ｓ）によって、「遊技球の第１大入賞口３１ａへの入球状況（入球の難易）」を判断することとしている。なお、本実施例では、「基準値」を「８個（限度個数）」としている。
【０３４９】
Ｓ１６２０の処理を終了すると、入球カウンタＣを初期化する処理（Ｓ１６２５）を行った後、Ｓ１６２０の処理で算出した差（Ｓ）を用いて演出テーブルの設定を行う。つまり、差（Ｓ）が「ゼロ（限度個数の遊技球が入球）」若しくは「−１（７個の遊技球が入球）」であり（Ｓ１６３０；ＹＥＳ）、遊技球が第１大入賞口３１ａに入球し易い状況と判断されるため、演出実行個数を限度個数（８個）に決定する（Ｓ１６３５）。つまり、演出扉処理（Ｓ１６００）で使用する演出テーブルとして、「演出テーブルＡ」を設定した後（Ｓ１６３５）、演出テーブル設定処理（Ｓ１６００）を終了する。ここで、「演出テーブルＡ」には多数の演出パターン（ＮＯ．１〜７）が記憶されているが、これらの演出パターンは、「遊技球が対象となる第１大入賞口３１ａに限度個数の遊技球が入球すること」を条件に演出動作Ｂを行うことを内容とする演出パターンである。
【０３５０】
差（Ｓ）が「−２（６個の遊技球が入球）」若しくは「−３（５個の遊技球が入球）」であり（Ｓ１６３０；ＮＯ、Ｓ１６４０；ＹＥＳ）、遊技球が第１大入賞口３１ａにやや入球し易い状況と判断される場合には、演出実行個数を「７個」若しくは「６個」に決定する（Ｓ１６４５）。つまり、演出扉処理（Ｓ１６００）で使用する演出テーブルとして、「演出テーブルＢ」を設定した後（Ｓ１６４５）、演出テーブル設定処理（Ｓ１６００）を終了する。ここで、「演出テーブルＢ」には多数の演出パターン（ＮＯ．８〜１４）が記憶されている。そして、「演出テーブルＢ」には、第１大当り動作Ａの実行中において、「遊技球が第１大入賞口３１ａに７個の遊技球が入球することを条件に演出動作Ｂを行うこと」を内容とする演出パターンと、「６個の遊技球が入球することを条件に演出動作Ｂを行うこと」を内容とする演出パターンとが記憶されている。
【０３５１】
差（Ｓ）が「−４（４個の遊技球が入球）」若しくは「−５（３個の遊技球が入球）」であり（Ｓ１６３０；ＮＯ、Ｓ１６４０；ＮＯ、Ｓ１６５０；ＹＥＳ）、遊技球が第１大入賞口３１ａに入球し難い状況と判断される場合には、演出実行個数を「５個」、「４個」若しくは「３個」に決定する（Ｓ１６４５）。つまり、演出扉処理（Ｓ１６００）で使用する演出テーブルとして、「演出テーブルＣ」を設定した後（Ｓ１６５５）、演出テーブル設定処理（Ｓ１６００）を終了する。ここで、「演出テーブルＣ」にも多数の演出パターン（ＮＯ．１５〜２０）が記憶されているが、これらの演出パターンとしては、「遊技球が対象となる第１大入賞口３１ａに５個の遊技球が入球すること」を条件に演出動作Ｂを行うことを内容とする演出パターンと、「遊技球が対象となる第１大入賞口３１ａに４個の遊技球が入球すること」を条件に演出動作Ｂを行うことを内容とする演出パターンと、「遊技球が対象となる第１大入賞口３１ａに３個の遊技球が入球すること」を条件に演出動作Ｂを行うことを内容とする演出パターンとが記憶されている。
【０３５２】
差（Ｓ）が「−６以上（入球数が２個以下）」であり（Ｓ１６３０；ＮＯ、Ｓ１６４０；ＮＯ、Ｓ１６５０；ＮＯ）、遊技球が第１大入賞口３１ａに「かなり入球し難い状況」と判断される場合には、演出実行個数を「２個」若しくは「１個」に決定する（Ｓ１６５５）。つまり、演出扉処理（Ｓ１６００）で使用する演出テーブルとして、「演出テーブルＤ」を設定した後（Ｓ１６６０）、演出テーブル設定処理（Ｓ１６００）を終了する。ここで、「演出テーブルＣ」としては、「遊技球が対象となる第１大入賞口３１ａに２個の遊技球が入球すること」を条件に演出動作Ｂを行うことを内容とする演出パターン（ＮＯ．２１）と、「遊技球が対象となる第１大入賞口３１ａに１個の遊技球が入球すること」を条件に演出動作Ｂを行うことを内容とする演出パターンと、「遊技球が対象となる第１大入賞口３１ａに３個の遊技球が入球すること」を条件に演出動作Ｂを行うことを内容とする演出パターン（ＮＯ．２１）とが記憶されている。なお、「Ｓ１６３０」、「Ｓ１６４０」及び「Ｓ１６５０」は、サブ制御基板２２０に搭載されたＣＰＵ２２０ａが行う「判断手段」としての処理の具体例を構成し、「Ｓ１６３５」、「Ｓ１６４５」、「Ｓ１６５５」及び「Ｓ１６６０」は、サブ制御基板２２０に搭載されたＣＰＵ２２０ａが行う「個数決定手段」としての処理の具体例を構成する。
【０３５３】
ｆ．演出扉処理（Ｓ１７５０）
演出扉処理（Ｓ１７５０）は、「演出動作Ａ」を実行したり、「演出動作Ｂ」の開始タイミングを制御するための処理である。この演出扉処理（Ｓ１７５０）が起動すると、図９２に示すように、陸上バトル演出（１Ｒ若しくは２Ｒ）を実行中であるか否かを判断する（Ｓ１７５５）。そして、このＳ１７５５の処理で否定的な判断がなされる場合（Ｓ１７５５；ＮＯ）、そのまま演出扉処理（Ｓ１７５０）を終了する。
【０３５４】
Ｓ１７５５の処理で肯定的な判断がなされる場合（Ｓ１７５５；ＹＥＳ）、実行中フラグがＯＦＦに設定（解除）されているか否かを判断する（Ｓ１７５８）。そして、「実行中フラグ」がＯＮに設定（セット）されている場合（Ｓ１７５８；ＮＯ）には、既に、「演出動作Ｂ」を実行中であるため、そのまま演出扉処理（Ｓ１７５０）を終了する。一方、実行中フラグがＯＦＦに設定（解除）されている場合（Ｓ１７５８；ＮＯ）には、Ｓ１７６０以降の処理に移行する。
【０３５５】
Ｓ１７６０の処理では、演出パターンが既に決定されているか否かを判断し（Ｓ１７６０）、既に決定されている場合（Ｓ１７６０；ＹＥＳ）には、そのままＳ１７６５の処理に移行する。一方、演出パターンが決定されていない場合（Ｓ１７６０；ＮＯ）には、前述の演出テーブル設定処理（Ｓ１６００）で設定した演出テーブルを用いつつ乱数抽選を行い、演出パターンを決定した後（Ｓ１７６２）、Ｓ１７６５の処理に移行する。
【０３５６】
Ｓ１７６５以降の処理では、「第１大入賞口３１ａへの遊技球の入球個数」に応じて、「演出動作Ａ」を実行したり、「演出動作Ｂ」を開始する処理等を行う。ここで、図９２に示す「第１特定入球数」とは、「決定済みの演出パターン」において「演出動作Ａ」の実行契機となる入球個数であり、「第２特定入球数」とは「決定済み演出パターン」において「演出動作Ｂ」の開始契機となる入球個数である。また、図８８〜図９１に示す演出パターンの中には、「第１特定入球数」を２回設定しているもの（例えば，ＮＯ．７）と、一回設定しているもの（例えば，ＮＯ．２）と、一回も設定していないもの（例えば，ＮＯ．１）とがある。更に、「陸上バトルの負けパターンに対応する演出パターン」においては、「第１特定入球数」は存在するが「第２特定入球数」は存在しない。つまり、「陸上バトルの負けパターンに対応する演出パターン」を実行している場合においては、「第１大入賞口３１ａへの遊技球の入球個数」が、たとえ、規定数（限度個数＝８個）となっても「演出動作Ｂ」が開始されることはない（図６９を参照）。
【０３５７】
Ｓ１７６５の処理では、現在使用している演出パターンに基づいて「第１大入賞口３１ａへの遊技球の入球個数」が「第１特定入球数」となったか否かを判断する。但し、ラウンド遊技開始直後には、「第１大入賞口３１ａへの遊技球の入球個数」は、未だ「第１特定入球数」に到達しないため、Ｓ１７６５の処理及びＳ１７７０の処理の否定的な判断を経て、演出扉処理（Ｓ１７５０）を一旦終了して、図８１の演出制御処理に復帰する。
【０３５８】
サブ制御基板２２０のＣＰＵ２２０ａは演出制御処理に復帰すると、図８１に示す一連の各種処理を行った後、再び演出扉処理（Ｓ１７５０）を開始する。この際、前述のように、図８１に示した演出制御処理を、サブ制御基板２２０のＣＰＵ２２０ａが一回、実行するために要する時間は、約２ｍｓｅｃとなっている。従って、演出扉処理（Ｓ１７５０）も、約２ｍｓｅｃ毎に繰り返して実行される。
【０３５９】
そして、演出扉処理（Ｓ１７５０）を繰り返して実行するうちに、「第１特定入球数」になったと判断されると（Ｓ１７６５；ＹＥＳ）、「演出動作Ａ」を実行した後（Ｓ１７６７）、演出扉処理（Ｓ１７５０）を一旦、終了して、図８１の演出制御処理に復帰する。なお、Ｓ１７６７の処理において、未だ、先に開始された「演出動作Ａ」を完了していない場合は、所定のウエイトタイム（先行する演出動作Ａの終了を待つための期間であり、例えば、一律に「２秒間」）の経過を待って「演出動作Ａ」を実行する。
【０３６０】
また、演出扉処理（Ｓ１７５０）を繰り返して実行するうちに、「第２特定入球数」になったと判断されると（Ｓ１７６５；ＮＯ、Ｓ１７７０；ＹＥＳ）、「演出動作Ｂ」を開始する（Ｓ１７７８）。そして、実行中フラグをＯＮに設定（セット）した後、演出扉処理（Ｓ１７５０）を終了して、図８１の演出制御処理に復帰する。なお、Ｓ１７７８の処理において、未だ、先に開始された「演出動作Ａ」を完了していない場合は、所定のウエイトタイム（実行中の演出動作Ａの終了を待つための期間であり、例えば、一律に「２秒間」）の経過を待って、「演出動作Ｂ」を開始する。また、Ｓ１７７８の処理で開始した「演出動作Ｂ」は、前述のように、「ロングバージョンのインターバル演出」を開始してから特定時間（Ｔ＝約４秒）が経過したところで終了する。その際、「実行中フラグ」もＯＦＦに設定（解除）される。
【０３６１】
ｇ．演出テーブルデフォルト処理（Ｓ１７９０）
演出テーブルデフォルト処理（Ｓ１７９０）は、前述の演出テーブル設定処理（Ｓ１６００）において設定した演出テーブル（勝ちパターン用の演出テーブル）を、初期状態の「演出テーブルＡ」に戻すための処理である。つまり、図９３に示すように、サブ制御基板２２０のＣＰＵ２２０ａは、「陸上バトル」において、第２回目の大当りラウンド（２Ｒ）の終了タイミングが到来したか否かを判断する（Ｓ１７９８）。
【０３６２】
Ｓ１７９８の処理で肯定的な判断がなされると（Ｓ１７９８；ＹＥＳ）、演出テーブルとして「演出テーブルＡ」を設定する処理を行った後（Ｓ１７９８）、演出テーブルデフォルト処理（Ｓ１７９０）を終了する。
【０３６３】
ｈ．フルオープン演出用の処理
フルオープン演出用の処理は、図９４（ａ）に示す全開放開始処理（Ｓ１８００）と、図９４（ｂ）に示す全開放終了処理（Ｓ１８５０）とで構成される。
【０３６４】
全開放開始処理（Ｓ１８００）が起動すると、図９４（ａ）に示すように、サブ制御基板２２０のＣＰＵ２２０ａ）は、特定大当り動作開始コマンド（第２大当り動作Ａを開始したことを示すコマンド）を受信したか否かを判断する（Ｓ１８０５）。そして、特定大当り動作開始コマンドを受信すると（Ｓ１８０５；ＹＥＳ）、前方開閉扉（左側扉９１Ｌ、右側扉９１Ｒ）及び後方開閉扉（左側扉９５Ｌ、右側扉９５Ｒ）を開状態とする処理を行った後（Ｓ１８１５）、全開放開始処理（Ｓ１８００）を終了して、図８１の演出制御処理に復帰する。
【０３６５】
全開放終了処理（Ｓ１８５０）が起動すると、図９４（ｂ）に示すように、サブ制御基板２２０のＣＰＵ２２０ａ）は、前方開閉扉（左側扉９１Ｌ、右側扉９１Ｒ）及び後方開閉扉（左側扉９５Ｌ、右側扉９５Ｒ）が開状態であるか否かを判断する（Ｓ１８５５）。そして、Ｓ１８５５で肯定的に判断される場合には、実行中の大当りラウンドを終了するタイミングとなったところで（Ｓ１８６０；ＹＥＳ）、前方開閉扉（左側扉９１Ｌ、右側扉９１Ｒ）及び後方開閉扉（左側扉９５Ｌ、右側扉９５Ｒ）を閉状態とする処理を行った後（Ｓ１８１５）、全開放開始処理（Ｓ１８００）を終了して、図８１の演出制御処理に復帰する。
【０３６６】
（８）実施例の効果
本遊技機１によると、先に終了したラウンド遊技における「第１大入賞口３１ａへの遊技球の入球状況」に基づいて、特別演出（演出動作Ｂ）の実行タイミングを調整する。このため、遊技機１の設置状況（「遊技機の設置角度」、「遊技盤面の摩耗度合い」、「第１大入賞口３１ａ周囲の釘調整の度合い」）等により、第１大入賞口３１ａに遊技球が入球し難くなっている場合であっても、「特別演出」を実行可能とできる。この結果、当該「特別演出の実行に伴う遊技効果」を発揮できるため、遊技者の興趣を向上させることができる。
【実施例２】
【０３６７】
次に、実施例２の遊技機について説明する。この実施例２の遊技機は、図５８の代わりに図９５を用いる点と、図９１の代わりに図９６を用いる点と、図８７の代わりに９７を用いる点と、図８１に示す演出制御処理において、演出テーブルデフォルト処理（Ｓ１７９０）を実行しない点が実施例１と異なり、その他の点は実施例１と同様である。
【０３６８】
この実施例２は、図９５及び図９６に示すように、陸上バトルの勝ちパターンの「１ターン（第１回目の大当りラウンド）」においては、一律に「演出テーブルＨ」が使用される。つまり、実施例２では、第１大入賞口３１ａへの入球数が、たとえ限度個数に到達したとしても演出操作Ｂが実行されることはない。
【０３６９】
また、実施例２の演出テーブル設定処理（Ｓ１６００）は、図９８に従って行われる。この演出テーブル設定処理（Ｓ１６００）では、現在実行している大当り遊技（陸上バトルの勝ちパターン）の「第１回目の大当りラウンド（１Ｒ）」及び「第２回目の大当りラウンド（２Ｒ）」における「遊技球の入球状況」を監視する。そして、その監視結果に基づいて、次回実行される大当り遊技（陸上バトルの勝ちパターン）の「第２回目の大当りラウンド（２Ｒ）」で使用する演出テーブルを設定する。
【０３７０】
実施例２の演出テーブル設定処理（Ｓ１６００）が起動すると、図９７に示すように、陸上バトル演出の勝ちパターンを実行中であるか否かを判断する（Ｓ１６１０）。そして、このＳ１６１０の処理で肯定的な判断がなされる場合（Ｓ１６１０；ＹＥＳ）、第２回目の大当りラウンド（２Ｒ）の終了時であるか否かを判断し（Ｓ１６１６）、否定的な判断がなされる場合（Ｓ１６１６；ＮＯ）、そのまま演出テーブル設定処理（Ｓ１６００）を終了する。一方、第２回目の大当りラウンド（２Ｒ）の終了時である場合（Ｓ１６１６；ＹＥＳ）には、「現在実行中の大当り遊技を開始してから、当該大当りラウンド（２Ｒ）が終了するまでの間の第１大入賞口３１ａへの入球状況」に応じて、「次回の陸上バトル演出の勝ちパターンにおいて、第２回目の大当りラウンド（２Ｒ）で使用する演出テーブル」を設定する。
【０３７１】
Ｓ１６１６の処理で肯定的な判断がなされると（Ｓ１６１６；ＹＥＳ）、「第１回目の大当りラウンド（１Ｒ）においてカウントした入球カウンタＣの値（カウント値）と、第２回目の大当りラウンド（２Ｒ）において計数したカウントした入球カウンタＣの値（カウント値）の合計値（Ｖ）」と、「基準値（限度個数＝８）を２倍した値（以下、「倍数値＝１６」）」との差（Ｗ）を演算する（Ｓ１６２１）。つまり、「合計値（Ｖ）」から「基準値の２倍」を減じた値（Ｗ）を算出する（Ｓ１６２１）。そして、実施例２では、この差（Ｗ）によって、「遊技球の第１大入賞口３１ａへの入球状況（入球の難易）」を判断することとしている。
【０３７２】
Ｓ１６２１の処理を終了すると、入球カウンタＣを初期化する処理（Ｓ１６２５）を行った後、Ｓ１６２１の処理で算出した差（Ｗ）を用いて演出テーブルの設定を行う。つまり、差（Ｗ）が「−２」〜「ゼロ（限度個数の遊技球が入球）」であり（Ｓ１６３１；ＹＥＳ）、遊技球が第１大入賞口３１ａに入球し易い状況と判断される場合には、演出扉処理（Ｓ１６００）で使用する演出テーブルとして、「演出テーブルＡ」を設定した後（Ｓ１６３５）、演出テーブル設定処理（Ｓ１６００）を終了する。
【０３７３】
差（Ｗ）が「−６」〜「−３」であり（Ｓ１６３１；ＮＯ、Ｓ１６４１；ＹＥＳ）、遊技球が第１大入賞口３１ａにやや入球し易い状況と判断される場合には、演出扉処理（Ｓ１６００）で使用する演出テーブルとして、「演出テーブルＢ」を設定した後（Ｓ１６４５）、演出テーブル設定処理（Ｓ１６００）を終了する。また、差（Ｗ）が「−１０」〜「−７」であり（Ｓ１６３１；ＮＯ、Ｓ１６４１；ＮＯ、Ｓ１６５１；ＹＥＳ）、遊技球が第１大入賞口３１ａに入球し難い状況と判断される場合には、演出扉処理（Ｓ１６００）で使用する演出テーブルとして、「演出テーブルＣ」を設定した後（Ｓ１６５５）、演出テーブル設定処理（Ｓ１６００）を終了する。更に、差（Ｗ）が「−１１」〜「１６」であり（Ｓ１６３１；ＮＯ、Ｓ１６４１；ＮＯ、Ｓ１６５１；ＮＯ）、遊技球が第１大入賞口３１ａに「かなり入球し難い状況」と判断される場合には、演出扉処理（Ｓ１６００）で使用する演出テーブルとして、「演出テーブルＤ」を設定した後（Ｓ１６６０）、演出テーブル設定処理（Ｓ１６００）を終了する。
【０３７４】
本遊技機１によると、先に終了した大当り遊技における「第１大入賞口３１ａへの遊技球の入球状況」に基づいて、特別演出（演出動作Ｂ）の実行タイミングを調整する。このため、遊技機１の設置状況（「遊技機の設置角度」、「遊技盤面の摩耗度合い」、「第１大入賞口３１ａ周囲の釘調整の度合い」）等により、第１大入賞口３１ａに遊技球が入球し難くなっている場合であっても、「特別演出」を実行可能とできる。この結果、当該「特別演出の実行に伴う遊技効果」を発揮できるため、遊技者の興趣を向上させることができる。
【実施例３】
【０３７５】
次に、実施例３の遊技機について説明する。この実施例２の遊技機は、図９８〜図１０１が付加されている点が実施例１と異なる。つまり、実施例３においては、「空中バトル演出」においても、特別演出（以下、「第２特別演出」という。）を行う点と、各大当りラウンド毎に「第２大入賞口３５ａへの遊技球の入球状況」を監視し、その監視結果を「当該入球状況を監視した大当りラウンドに後続する大当りラウンド」で反映させる態様が付加されている点が、実施例１と異なる。
【０３７６】
「空中バトル演出」は、図４９に示すように、「４Ｒ確変大当りＡ」、「４Ｒ通常大当りＢ」若しくは「４Ｒ確変大当りＥ（潜確）」の発生を契機として実行される。この「空中バトル演出」を行う際には、「第２大当り遊技Ｕ」の基本タイプが実行され、「第１大当りラウンド（１Ｒ）」から「第４大当りラウンド（４Ｒ）」までの各大当りラウンドにおいて、第２大当り動作Ｂが実行される。
【０３７７】
この「空中バトル演出の勝ちパターン」を実行する場合（４Ｒ確変大当りＡの発生を契機とする第２大当り遊技Ｕを実行する場合）、図９８に示すように、「第１大当りラウンド（１Ｒ）」から「第４大当りラウンド（４Ｒ）」の何れのラウンドにおいても、第２大入賞口３５ａへの遊技球の入球数が第１特定入球数となると、演出表示装置２７の表示画面２７ａに「チャンスの文字」が表示され（Ｚ０２，Ｚ０６、Ｚ０７）、第２大入賞口３５ａへの遊技球の入球数が第２特定入球数となると、演出表示装置２７の表示画面２７ａに「確変確定の文字」が表示される（ｚ０８ａ）。但し、「第１大当りラウンド（１Ｒ）」から「第４大当りラウンド（４Ｒ）」の何れのラウンドにおいても、第２大入賞口３５ａへの遊技球の入球数が第２特定入球数とならなかった場合には、「第４大当りラウンド（４Ｒ）」終了後の「エンディング表示」の際、演出表示装置２７の表示画面２７ａに「確変確定の文字」が表示される（Ｚ０８ｂ）。
【０３７８】
一方、「空中バトル演出の負けパターン」を実行する場合（４Ｒ通常大当りＢ若しくは４Ｒ確変大当りＥの発生を契機とする第２大当り遊技Ｕを実行する場合）、「第１大当りラウンド（１Ｒ）」から「第４大当りラウンド（４Ｒ）」の何れのラウンドにおいても、第２大入賞口３５ａへの遊技球の入球数が第１特定入球数となると、演出表示装置２７の表示画面２７ａに「チャンスの文字」が表示されるが、第２大入賞口３５ａへの遊技球の入球数が「限度個数（８個）」となっても、演出表示装置２７の表示画面２７ａに「確変確定の文字」が表示されることはない。
【０３７９】
実施例３においては、遊技制御処理（図７１）に「第２入球コマンド出力処理（Ｓ９００ｂ）」が追加されている。このため、実施例３の遊技制御処理では、賞球払出処理（Ｓ８０）、普通図柄遊技処理（Ｓ１００）、普通電動役物遊技処理（Ｓ２００）、特別図柄遊技処理（Ｓ３００）、大当り遊技処理（Ｓ６００）、大当り動作開始コマンド出力処理（Ｓ８００）、大当り動作終了コマンド出力処理（Ｓ８５０）、入球コマンド出力処理（Ｓ９００）、「第２入球コマンド出力処理（Ｓ９００ｂ）等の各処理が繰り返し実行されている。
【０３８０】
図９９（ａ）を用いて、「第２入球コマンド出力処理（Ｓ９００ｂ）」の概要を説明する。つまり、主制御基板２００に搭載されたＣＰＵ２０１が、図７１の遊技制御処理を繰り返し行ううちに、「第２大入賞口３５ａに遊技球の入球があった」と判断すると（Ｓ９１１；ＹＥＳ）、９１６以降の処理を行う。
【０３８１】
Ｓ９１６の処理では、「第２大入賞口３５ａへの遊技球の入球時」に、第２大当り動作Ｂを行っていたか否かが判断され（Ｓ９１６）、肯定的な判断がなされる場合（Ｓ９１６；ＹＥＳ）には、「第２大当り動作Ｂ」に対応した入球コマンド（開放動作態様が第２大当り動作Ｂである旨を示す動作態様情報が付加されたコマンド）」をサブ制御基板２２０に向かって出力した後（Ｓ９２１）、第２入球コマンド出力処理（Ｓ９００ｂ）を終了し、図７１の遊技制御処理に復帰する。また、「第２大入賞口３５ａへの遊技球の入球時」に、第１大当り動作Ｂを行っていたと判断される場合（Ｓ９１６；ＮＯ）には、そのまま、第２入球コマンド出力処理（Ｓ９００ｂ）を終了し、図７１の遊技制御処理に復帰する。
【０３８２】
実施例３においては、演出御処理（図８１）に「第２入球コマンドカウント処理（Ｓ１５５０ｂ）」と、「第２演出テーブル設定処理（Ｓ１６００ｂ）」と、「第２演出テーブルデフォルト処理（Ｓ１７９０ｂ）」とが追加されている点が、実施例１と異なる。つまり、実施例３の演出制御処理では、初期化処理（Ｓ９５５）と、初期テーブル設定処理（Ｓ９６０）を行うと、遊技機の電源がＯＦＦになるまでの間（Ｓ２３００で肯定判断されるまでの間）、図柄変動演出処理（Ｓ１１００）、大当り演出処理（Ｓ１２００）、初期演出処理（Ｓ１５００）、入球コマンドカウント処理（Ｓ１５５０）、第２入球コマンドカウント処理（Ｓ１５５０ｂ）、演出テーブル設定処理（Ｓ１６００）、第２演出テーブル設定処理（Ｓ１６００ｂ）、演出扉処理（Ｓ１７５０）、演出テーブルデフォルト処理（Ｓ１７９０）、第２演出テーブルデフォルト処理（Ｓ１７９０ｂ）、全開放開始処理（Ｓ１８００）、全開放開終了処理（Ｓ１８５０）などの主要な処理が繰り返し実行される。
【０３８３】
第２入球コマンドカウント処理（Ｓ１５５０ｂ）は、図９９（ｂ）に示すように、第２大当り動作Ｂの実行中に、第２大入賞口３５ａに入球する遊技球をカウントする処理である。この第２入球コマンドカウント処理（Ｓ１５５０ｂ）を起動すると、空中バトル演出を実行中であるか否かを判断する（Ｓ１５５６）。そして、否定的な判断がなされる場合（Ｓ１５５６；ＮＯ）、そのまま第２入球コマンドカウント処理（Ｓ１５５０ｂ）を終了する。
【０３８４】
一方、Ｓ１５５６の処理において肯定的な判断がなされる場合（Ｓ１５５６；ＹＥＳ）、入球コマンド（Ｓ９１６の処理で主制御基板２００から送信された第２大当り動作Ｂに対応した入球コマンド）を受信すると（Ｓ１５６１；ＹＥＳ）、入球カウンタの値を「＋１」する処理を行った後（Ｓ１５６６）、第２入球コマンドカウント処理（Ｓ１５５０）を終了する。ここで、第２入球カウンタＦは、第２大当り動作Ｂを実行中に、第２大入賞口３５ａに入球する遊技球をカウント（計数）するためのカウンタである。
【０３８５】
第２演出テーブル設定処理（Ｓ１６００ｂ）は、「空中バトル演出の勝ちパターンの実行を伴う大当り演出処理（Ｓ１３００）」で使用する演出テーブルを、「遊技球の第２大入賞口３５ａへの入球状況」に基づいて設定する処理である。この第２演出テーブル設定処理（Ｓ１６００ｂ）が起動すると、図１００に示すように、「空中バトル演出の勝ちパターン」を実行中であるか否かを判断する（Ｓ１６１２）。そして、このＳ１６１２の処理で否定的な判断がなされる場合（Ｓ１６１２；ＮＯ）、そのまま第２演出テーブル設定処理（Ｓ１６００ｂ）を終了する。
【０３８６】
なお、第２演出テーブル設定処理（Ｓ１６００ｂ）においても、図８８〜図９０に示す演出テーブル（Ａ〜Ｄ）が使用される。また、空中バトル演出の負けパターンを実行中である場合、負けパターンに対応する演出テーブルＨ（図９１を参照）が使用される。また、大当り演出処理（Ｓ１２００）においては、第２演出テーブル設定処理（Ｓ１６００ｂ）、初期設定処理（Ｓ９６０）若しくは後述する「第２演出テーブルデフォルト処理（Ｓ１７９０ｂ）」で設定された演出パターンを用いて乱数抽選を行うことで、使用する演出パターンが決定される。
【０３８７】
図１００に示すように、Ｓ１６１２の処理で肯定的な判断がなされる場合（Ｓ１６１２；ＹＥＳ）、大当りラウンドの終了時であるか否かを判断し（Ｓ１６１７）、否定的な判断がなされる場合（Ｓ１６１７；ＮＯ）、そのまま第２演出テーブル設定処理（Ｓ１６００ｂ）を終了する。つまり、実施例３では、空中バトル演出の勝ちパターンにおいて、次回の大当りラウンドで使用する演出テーブルを、「遊技球の第２大入賞口３５ａへの入球状況」に応じて設定することとしている。
【０３８８】
Ｓ１６１７の処理で肯定的な判断がなされると（Ｓ１６１７；ＹＥＳ）、当該終了した大当りラウンドにおいて計数したカウントした入球カウンタＦの値（カウント値）と、基準値との差（Ｇ）を演算する（Ｓ１６２２）。つまり、「入球カウンタＦのカウント値」から「基準値」を減じた値（Ｇ）を算出する（Ｓ１６２２）。そして、この差（Ｇ）によって、「遊技球の第２大入賞口３５ａへの入球状況（入球の難易）」を判断することとしている。この場合も、「基準値」を「８個（限度個数）」としている。
【０３８９】
Ｓ１６２２の処理を終了すると、入球カウンタＦを初期化する処理（Ｓ１６２７）を行った後、Ｓ１６２２の処理で算出した差（Ｇ）を用いて演出テーブルの設定を行う。つまり、差（Ｇ）が「ゼロ（限度個数の遊技球が入球）」若しくは「−１（７個の遊技球が入球）」であり（Ｓ１６３２；ＹＥＳ）、遊技球が第２大入賞口３５ａに入球し易い状況と判断される場合には、大当り演出処理（Ｓ１２００）で使用する演出テーブルとして、「演出テーブルＡ」を設定した後（Ｓ１６３８）、第２演出テーブル設定処理（Ｓ１６００）を終了する。
【０３９０】
差（Ｇ）が「−２（６個の遊技球が入球）」若しくは「−３（５個の遊技球が入球）」であり（Ｓ１６３２；ＮＯ、Ｓ１６４３；ＹＥＳ）、遊技球が第２大入賞口３５ａにやや入球し易い状況と判断される場合には、大当り演出処理（Ｓ１２００）で使用する演出テーブルとして、「演出テーブルＢ」を設定した後（Ｓ１６４７）、第２演出テーブル設定処理（Ｓ１６００ｂ）を終了する。
【０３９１】
差（Ｇ）が「−４（４個の遊技球が入球）」若しくは「−５（３個の遊技球が入球）」であり（Ｓ１６３２；ＮＯ、Ｓ１６４３；ＮＯ、Ｓ１６５３；ＹＥＳ）、遊技球が第２大入賞口３５ａに入球し難い状況と判断される場合には、大当り演出処理（Ｓ１２００）で使用する演出テーブルとして、「演出テーブルＣ」を設定した後（Ｓ１６５８）、第２演出テーブル設定処理（Ｓ１６００ｂ）を終了する。また、差（Ｇ）が「−６以上（入球数が２個以下）」であり（Ｓ１６３２；ＮＯ、Ｓ１６４３；ＮＯ、Ｓ１６５３；ＮＯ）、遊技球が第２大入賞口３５ａに「かなり入球し難い状況」と判断される場合には、大当り演出処理（Ｓ１２００）で使用する演出テーブルとして、「演出テーブルＤ」を設定した後（Ｓ１６６３）、第２演出テーブル設定処理（Ｓ１６００ｂ）を終了する。
【０３９２】
第２演出テーブルデフォルト処理（Ｓ１７９０ｂ）は、第２演出テーブル設定処理（Ｓ１６００ｂ）において設定した演出テーブル（勝ちパターン用の演出テーブル）を、初期状態の「演出テーブルＡ」に戻すための処理である。つまり、図１０１に示すように、サブ制御基板２２０のＣＰＵ２２０ａは、「空中バトル」の終了タイミングが到来したか否かを判断し（Ｓ１７９５ｂ）、肯定的な判断がなされると（Ｓ１７９５ｂ；ＹＥＳ）、演出テーブルとして演出テーブルＡを設定する処理を行った後（Ｓ１７８ｂ）、第２演出テーブルデフォルト処理（Ｓ１７９０ｂ）を終了する。
【０３９３】
実施例３によると、実施例１の効果と同様な効果を得ることができる。しかも、実施例３では、複数種類の演出（陸上バトル演出、空中バトル演出）に付随して特別演出を実行するため、遊技興趣を更に高めることができる。
【０３９４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０３９５】
即ち、実施例１及び２では演出用開閉扉装置を用いて特別演出を実行する態様を例示したが、その他の可動物を用いて特別演出を実行してもよい。また、実施例３に示すように、演出表示装置２７における表示を用いて特別演出を行う場合には、例えば、表示画面２７ａに表示されるキャラクタの変更、追加等によって特別演出を行ってもよいし、スピーカＳＰ１〜ＳＰ４から出力される音声を変更することや、遊技機１に振動を与えること等によって特別演出を行ってもよい。更に、大入賞装置としては、各実施例に示す出没タイプ（開閉部材が出没して大入賞口を開閉するタイプ」の他に所謂「アタッカータイプを例示することもできる。例えば、遊技盤面に開口する大入賞口と、大入賞口の下縁部の下方に、下部が回転可能に支持される開閉扉と、を備える大入賞装置を例示することもできる。この大入賞装置では、開閉扉が起立姿勢となることで大入賞口を閉鎖し、開閉扉が前傾姿勢となることで大入賞口を開放する。
【０３９６】
また、各実施例では、一個の可変式の始動入賞装置（第２の始動入賞装置１７ｂ）と、一個の非可変式の始動入賞装置（第１の始動入賞装置１７ａ）とを備える遊技機１を例示したが、一個の可変式の始動入賞装置のみを有する遊技機、複数個の可変式の始動入賞装置のみを有する遊技機、複数個の可変式の始動入賞装置と一個若しくは複数個の非可変式の始動入賞装置を備える遊技機、一個の可変式の始動入賞装置と複数個の非可変式の始動入賞装置とを備える遊技機について、各請求項の発明を適用できる。
【産業上の利用可能性】
【０３９７】
本発明は、遊技機を製造、販売等する分野において利用できる。
【符号の説明】
【０３９８】
１；遊技機（弾球遊技機）、
２；外枠、
１０；遊技盤、
１１；遊技領域、
１７ａ；第１の始動入賞装置、
１７ｂ；第２の始動入賞装置、
１７１ａ；第１の始動入賞口を構成する開口部、
１７ｆ；第１の始動入賞口を構成する開口部、
２７；演出表示装置（演出手段）
２７ａ；表示画面、
３１ａ；第１大入賞口、
３１ｓ、３１ｔ；大入賞口入賞検出スイッチ（検出手段）、
３５ａ；第２大入賞口、
３１ｅ；シャッター部材、
６２ａ；第１の特別図柄表示部、
６２ｂ；第２の特別図柄表示部、
９０及び９５；演出手段、
９０；前方開閉扉ユニット（第１開閉扉装置）、
９１Ｌ及び９１Ｒ；前方開閉扉（第１開閉扉）、
９１Ｌ；左側扉、
９１Ｒ；右側扉、
９５；後方開閉扉ユニット（第２開閉扉装置）、
９５Ｌ及び９５Ｒ；後方開閉扉（第１開閉扉）、
９５Ｌ；左側扉、
９５Ｒ；右側扉、
２００Ａ；主制御部（当否判定手段、大当り遊技実行手段）、
２２０Ａ；サブ制御部（大当り演出実行手段、監視手段、判断手段、個数決定手段、実行個数記憶手段）、
２２２Ａ；演出表示制御部。
【図１】
0005418575.tif 000002
【図２】
0005418575.tif 000003
【図３】
0005418575.tif 000004
【図４】
0005418575.tif 000005
【図５】
0005418575.tif 000006
【図６】
0005418575.tif 000007
【図７】
0005418575.tif 000008
【図８】
0005418575.tif 000009
【図９】
0005418575.tif 000010
【図１０】
0005418575.tif 000011
【図１１】
0005418575.tif 000012
【図１２】
0005418575.tif 000013
【図１３】
0005418575.tif 000014
【図１４】
0005418575.tif 000015
【図１５】
0005418575.tif 000016
【図１６】
0005418575.tif 000017
【図１７】
0005418575.tif 000018
【図１８】
0005418575.tif 000019
【図１９】
0005418575.tif 000020
【図２０】
0005418575.tif 000021
【図２１】
0005418575.tif 000022
【図２２】
0005418575.tif 000023
【図２３】
0005418575.tif 000024
【図２４】
0005418575.tif 000025
【図２５】
0005418575.tif 000026
【図２６】
0005418575.tif 000027
【図２７】
0005418575.tif 000028
【図２８】
0005418575.tif 000029
【図２９】
0005418575.tif 000030
【図３０】
0005418575.tif 000031
【図３１】
0005418575.tif 000032
【図３２】
0005418575.tif 000033
【図３３】
0005418575.tif 000034
【図３４】
0005418575.tif 000035
【図３５】
0005418575.tif 000036
【図３６】
0005418575.tif 000037
【図３７】
0005418575.tif 000038
【図３８】
0005418575.tif 000039
【図３９】
0005418575.tif 000040
【図４０】
0005418575.tif 000041
【図４１】
0005418575.tif 000042
【図４２】
0005418575.tif 000043
【図４３】
0005418575.tif 000044
【図４４】
0005418575.tif 000045
【図４５】
0005418575.tif 000046
【図４６】
0005418575.tif 000047
【図４７】
0005418575.tif 000048
【図４８】
0005418575.tif 000049
【図４９】
0005418575.tif 000050
【図５０】
0005418575.tif 000051
【図５１】
0005418575.tif 000052
【図５２】
0005418575.tif 000053
【図５３】
0005418575.tif 000054
【図５４】
0005418575.tif 000055
【図５５】
0005418575.tif 000056
【図５６】
0005418575.tif 000057
【図５７】
0005418575.tif 000058
【図５８】
0005418575.tif 000059
【図５９】
0005418575.tif 000060
【図６０】
0005418575.tif 000061
【図６１】
0005418575.tif 000062
【図６２】
0005418575.tif 000063
【図６３】
0005418575.tif 000064
【図６４】
0005418575.tif 000065
【図６５】
0005418575.tif 000066
【図６６】
0005418575.tif 000067
【図６７】
0005418575.tif 000068
【図６８】
0005418575.tif 000069
【図６９】
0005418575.tif 000070
【図７０】
0005418575.tif 000071
【図７１】
0005418575.tif 000072
【図７２】
0005418575.tif 000073
【図７３】
0005418575.tif 000074
【図７４】
0005418575.tif 000075
【図７５】
0005418575.tif 000076
【図７６】
0005418575.tif 000077
【図７７】
0005418575.tif 000078
【図７８】
0005418575.tif 000079
【図７９】
0005418575.tif 000080
【図８０】
0005418575.tif 000081
【図８１】
0005418575.tif 000082
【図８２】
0005418575.tif 000083
【図８３】
0005418575.tif 000084
【図８４】
0005418575.tif 000085
【図８５】
0005418575.tif 000086
【図８６】
0005418575.tif 000087
【図８７】
0005418575.tif 000088
【図８８】
0005418575.tif 000089
【図８９】
0005418575.tif 000090
【図９０】
0005418575.tif 000091
【図９１】
0005418575.tif 000092
【図９２】
0005418575.tif 000093
【図９３】
0005418575.tif 000094
【図９４】
0005418575.tif 000095
【図９５】
0005418575.tif 000096
【図９６】
0005418575.tif 000097
【図９７】
0005418575.tif 000098
【図９８】
0005418575.tif 000099
【図９９】
0005418575.tif 000100
【図１００】
0005418575.tif 000101
【図１０１】
0005418575.tif 000102